(57)【要約】【課題】ウェブサービスイネーブル（WSD）印刷装置により印刷を行うための装置及び方法を提供すること。【解決手段】WSD印刷装置により印刷を行う方法では、印刷ドライバが、WSD印刷装置から印刷装置機能データを取得し、少なくとも印刷装置機能データに基づいてプリンタ記述データを生成する。プリンタ記述データ（PDD）は、WSD装置が現在サポートしている機能及びオプションの１つ以上に対する表示データを特定する。印刷ドライバは、PDDに少なくとも基づいて、グラフィカルユーザインターフェース（GUI）データを生成し、該GUIデータをアプリケーションプログラム（AP）に提供する。印刷ドライバは、APにより生成されたアプリケーションデータを受信し、印刷データ及び印刷ジョブチケットを生成する。印刷データ及び印刷ジョブチケットが、処理を行うWSD印刷装置に送信されることを、印刷ドライバは引き起こす。【選択図】図１
2010211795.tif 000002
【特許請求の範囲】
【請求項１】
ウェブサービスが実行可能な印刷装置により印刷を行うためにコンピュータで使用される方法であって、
印刷ドライバが、クライアント装置で実行され、前記ウェブサービスが実行可能な印刷装置から、前記ウェブサービスが実行可能な印刷装置が現在サポートしている複数の機能及びオプションを特定する印刷装置機能データを取得するステップと、
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、ステップと、
前記印刷ドライバが、前記プリンタ記述データに含まれている表示データに少なくとも基づいて、グラフィカルユーザインターフェースデータを生成し、該グラフィカルユーザインターフェースデータは、アプリケーションプログラムにより処理された場合、機能及びオプションの少なくとも一部が、グラフィカルユーザインターフェースに表示されることを引き起こす、ステップと、
前記印刷ドライバが、前記アプリケーションプログラムにより生成されたアプリケーションデータを、前記アプリケーションプログラムから受け取るステップと、
前記印刷ドライバが、少なくともアプリケーションデータに基づいて印刷データ及び印刷ジョブチケットを生成するステップと、
前記印刷データ及び前記印刷ジョブチケットが、前記ウェブサービスが実行可能な印刷装置に送信されることを、前記印刷ドライバが引き起こすステップと
を有する方法。
【請求項２】
前記表示データが、特定のオプションに対応する文字列変数を示し、
グラフィカルユーザインターフェースデータを生成する前記ステップは、前記文字列変数に対応するストリングを取得するステップを含む、請求項１記載の方法。
【請求項３】
前記表示データが、特定のオプションに対応するストリングを示し、
グラフィカルユーザインターフェースデータが、前記特定のオプションに対応する前記ストリングを含む、請求項１記載の方法。
【請求項４】
前記プリンタ記述データが、特定のオプションに対応するPDLキーワード値を示し、
印刷データを生成する前記ステップが、前記PDLキーワード値を使用して、前記特定のオプションに対する特定の印刷データを生成するステップを含む、請求項１記載の方法。
【請求項５】
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、前記ステップが、
前記ウェブサービスが実行可能な印刷装置が現在サポートしている、複数の機能の内の特定の機能及びオプションについて、
前記ウェブサービスが実行可能な印刷装置がサポートしている機能及びオプションの標準的なセットを規定しているコアマッピングデータにより、前記特定の機能が規定されているか否かを判断し、
前記特定の機能が前記コアマッピングデータにより規定されていた場合、前記特定の機能に対応するPDLキーワード値及び文字列変数の双方を、前記コアマッピングデータから抽出し、前記PDLキーワード値及び文字列変数を、前記特定の機能に関連する前記プリンタ記述データに含め、
前記特定の機能が前記コアマッピングデータにより規定されていなかった場合、前記特定の機能に対応する機能名及び１つ以上の表示名文字列の双方を、前記装置機能データから抽出し、少なくとも前記特徴名に基づいてPDLキーワード値を生成し、生成したPDLキーワード値及び１つ以上の表示名文字列を、前記特定の機能に関連する前記プリンタ記述データに含める、請求項１記載の方法。
【請求項６】
前記印刷ドライバが、前記ウェブサービスが実行可能な印刷装置で実行する更新サービスに加入するステップと、
前記ウェブサービスが実行可能な印刷装置において、更新された印刷装置機能データが利用可能になったことを示すイベント通知を、前記印刷ドライバが前記更新サービスにより受信するステップと、
前記ウェブサービスが実行可能な印刷装置が現在サポートしている機能及びオプションを示す更新された印刷装置機能データを、前記印刷ドライバが、前記イベント通知に応答して、前記ウェブサービスが実行可能な印刷装置から抽出するステップと、
更新された印刷装置機能データにより示される複数の機能及びオプションの内の１つ以上のオプションに対する表示データが指定されている更新されたプリンタ記述データを、前記印刷ドライバが、少なくとも前記印刷装置機能データに基づいて生成するステップと、
前記印刷ドライバが、前記更新されたプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記更新された装置機能データにより示される機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第３の印刷データを受信するステップと、
前記印刷ドライバが、少なくとも前記第３の印刷データに基づいて、第４の印刷データ及び印刷ジョブチケットを生成するステップと、
前記印刷ドライバにより、前記第４の印刷データ及び前記印刷ジョブチケットが、前記ウェブサービスが実行可能な印刷装置に送信されるようにするステップと
をさらに有する、請求項２記載の方法。
【請求項７】
前記ウェブサービスが実行可能な印刷装置とは異なる第２のウェブサービスが実行可能な印刷装置から、該第２のウェブサービスが実行可能な印刷装置が現在サポートしている複数の機能及びオプションを示す第２の印刷装置機能データを、前記印刷ドライバが抽出するステップと、
前記第２のウェブサービスが実行可能な印刷装置が現在サポートしている複数の機能及びオプションの内の１つ以上の機能及びオプションに対する表示データが示されている第２のプリンタ記述データを、少なくとも前記第２の印刷装置機能データに基づいて、前記印刷ドライバが生成するステップと、
前記印刷ドライバが、前記第２のプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記第２のウェブサービスが実行可能な印刷装置が現在サポートしている機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第２のアプリケーションデータを受信するステップと、
前記印刷ドライバが、少なくとも前記第２のアプリケーションデータに基づいて、第２の印刷データ及び第２の印刷ジョブチケットを生成するステップと、
前記印刷ドライバにより、前記第２の印刷データ及び前記第２の印刷ジョブチケットが、前記第２のウェブサービスが実行可能な印刷装置に送信されるようにするステップと
をさらに有する、請求項１記載の方法。
【請求項８】
ウェブサービスが実行可能な印刷装置により印刷を行うためのコンピュータ読取可能な記録媒体であって、１つ以上のプロセッサに或る方法を実行させる命令を記録し、該方法は、
印刷ドライバが、クライアント装置で実行され、前記ウェブサービスが実行可能な印刷装置から、前記ウェブサービスが実行可能な印刷装置が現在サポートしている複数の機能及びオプションを特定する印刷装置機能データを取得するステップと、
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、ステップと、
前記印刷ドライバが、前記プリンタ記述データに含まれている表示データに少なくとも基づいて、グラフィカルユーザインターフェースデータを生成し、該グラフィカルユーザインターフェースデータは、アプリケーションプログラムにより処理された場合、機能及びオプションの少なくとも一部が、グラフィカルユーザインターフェースに表示されることを引き起こす、ステップと、
前記印刷ドライバが、前記アプリケーションプログラムにより生成されたアプリケーションデータを、前記アプリケーションプログラムから受け取るステップと、
前記印刷ドライバが、少なくともアプリケーションデータに基づいて印刷データ及び印刷ジョブチケットを生成するステップと、
前記印刷データ及び前記印刷ジョブチケットが、前記ウェブサービスが実行可能な印刷装置に送信されることを、前記印刷ドライバが引き起こすステップと
を有する、コンピュータ読取可能な記録媒体。
【請求項９】
前記表示データが、特定のオプションに対応する文字列変数を示し、
グラフィカルユーザインターフェースデータを生成する前記ステップは、前記文字列変数に対応するストリングを取得するステップを含む、請求項８記載の記録媒体。
【請求項１０】
前記表示データが、特定のオプションに対応するストリングを示し、
グラフィカルユーザインターフェースデータが、前記特定のオプションに対応する前記ストリングを含む、請求項８記載の記録媒体。
【請求項１１】
前記プリンタ記述データが、特定のオプションに対応するPDLキーワード値を示し、
印刷データを生成する前記ステップが、前記PDLキーワード値を使用して、前記特定のオプションに対する特定の印刷データを生成するステップを含む、請求項８記載の記録媒体。
【請求項１２】
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、前記ステップが、
前記ウェブサービスが実行可能な印刷装置が現在サポートしている、複数の機能の内の特定の機能及びオプションについて、
前記ウェブサービスが実行可能な印刷装置がサポートしている機能及びオプションの標準的なセットを規定しているコアマッピングデータにより、前記特定の機能が規定されているか否かを判断し、
前記特定の機能が前記コアマッピングデータにより規定されていた場合、前記特定の機能に対応するPDLキーワード値及び文字列変数の双方を、前記コアマッピングデータから抽出し、前記PDLキーワード値及び文字列変数を、前記特定の機能に関連する前記プリンタ記述データに含め、
前記特定の機能が前記コアマッピングデータにより規定されていなかった場合、前記特定の機能に対応する機能名及び１つ以上の表示名文字列の双方を、前記装置機能データから抽出し、少なくとも前記特徴名に基づいてPDLキーワード値を生成し、生成したPDLキーワード値及び１つ以上の表示名文字列を、前記特定の機能に関連する前記プリンタ記述データに含める、請求項８記載の記録媒体。
【請求項１３】
前記印刷ドライバが、前記ウェブサービスが実行可能な印刷装置で実行する更新サービスに加入するステップと、
前記ウェブサービスが実行可能な印刷装置において、更新された印刷装置機能データが利用可能になったことを示すイベント通知を、前記印刷ドライバが前記更新サービスにより受信するステップと、
前記ウェブサービスが実行可能な印刷装置が現在サポートしている機能及びオプションを示す更新された印刷装置機能データを、前記印刷ドライバが、前記イベント通知に応答して、前記ウェブサービスが実行可能な印刷装置から抽出するステップと、
更新された印刷装置機能データにより示される複数の機能及びオプションの内の１つ以上のオプションに対する表示データが指定されている更新されたプリンタ記述データを、前記印刷ドライバが、少なくとも前記印刷装置機能データに基づいて生成するステップと、
前記印刷ドライバが、前記更新されたプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記更新された装置機能データにより示される機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第３の印刷データを受信するステップと、
前記印刷ドライバが、少なくとも前記第３の印刷データに基づいて、第４の印刷データ及び印刷ジョブチケットを生成するステップと、
前記印刷ドライバにより、前記第４の印刷データ及び前記印刷ジョブチケットが、前記ウェブサービスが実行可能な印刷装置に送信されるようにするステップと
を前記方法がさらに有する、請求項９記載の記録媒体。
【請求項１４】
前記ウェブサービスが実行可能な印刷装置とは異なる第２のウェブサービスが実行可能な印刷装置から、該第２のウェブサービスが実行可能な印刷装置が現在サポートしている複数の機能及びオプションを示す第２の印刷装置機能データを、前記印刷ドライバが抽出するステップと、
前記第２のウェブサービスが実行可能な印刷装置が現在サポートしている複数の機能及びオプションの内の１つ以上の機能及びオプションに対する表示データが示されている第２のプリンタ記述データを、少なくとも前記第２の印刷装置機能データに基づいて、前記印刷ドライバが生成するステップと、
前記印刷ドライバが、前記第２のプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記第２のウェブサービスが実行可能な印刷装置が現在サポートしている機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第２のアプリケーションデータを受信するステップと、
前記印刷ドライバが、少なくとも前記第２のアプリケーションデータに基づいて、第２の印刷データ及び第２の印刷ジョブチケットを生成するステップと、
前記印刷ドライバにより、前記第２の印刷データ及び前記第２の印刷ジョブチケットが、前記第２のウェブサービスが実行可能な印刷装置に送信されるようにするステップと
を前記方法がさらに有する、請求項８記載の記録媒体。
【請求項１５】
ウェブサービスが実行可能な印刷装置により印刷を行うための装置であって、ある方法を１つ以上のプロセッサに実行させる命令を含むメモリを有し、該方法は、
印刷ドライバが、クライアント装置で実行され、前記ウェブサービスが実行可能な印刷装置から、前記ウェブサービスが実行可能な印刷装置が現在サポートしている複数の機能及びオプションを特定する印刷装置機能データを取得するステップと、
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、ステップと、
前記印刷ドライバが、前記プリンタ記述データに含まれている表示データに少なくとも基づいて、グラフィカルユーザインターフェースデータを生成し、該グラフィカルユーザインターフェースデータは、アプリケーションプログラムにより処理された場合、機能及びオプションの少なくとも一部が、グラフィカルユーザインターフェースに表示されることを引き起こす、ステップと、
前記印刷ドライバが、前記アプリケーションプログラムにより生成されたアプリケーションデータを、前記アプリケーションプログラムから受け取るステップと、
前記印刷ドライバが、少なくともアプリケーションデータに基づいて印刷データ及び印刷ジョブチケットを生成するステップと、
前記印刷データ及び前記印刷ジョブチケットが、前記ウェブサービスが実行可能な印刷装置に送信されることを、前記印刷ドライバが引き起こすステップと
を有する、ウェブサービスが実行可能な印刷装置により印刷を行うための装置。
【請求項１６】
前記表示データが、特定のオプションに対応する文字列変数を示し、
グラフィカルユーザインターフェースデータを生成する前記ステップは、前記文字列変数に対応するストリングを取得するステップを含む、請求項１５記載の装置。
【請求項１７】
前記表示データが、特定のオプションに対応するストリングを示し、
グラフィカルユーザインターフェースデータが、前記特定のオプションに対応する前記ストリングを含む、請求項１５記載の装置。
【請求項１８】
前記印刷ドライバが、少なくとも前記印刷装置機能データに基づいてプリンタ記述データを生成し、該プリンタ記述データは、複数の機能及びオプションに属する機能及びオプションの１つ以上に対する表示データを特定する、前記ステップが、
前記ウェブサービスが実行可能な印刷装置が現在サポートしている、複数の機能の内の特定の機能及びオプションについて、
前記ウェブサービスが実行可能な印刷装置がサポートしている機能及びオプションの標準的なセットを規定しているコアマッピングデータにより、前記特定の機能が規定されているか否かを判断し、
前記特定の機能が前記コアマッピングデータにより規定されていた場合、前記特定の機能に対応するPDLキーワード値及び文字列変数の双方を、前記コアマッピングデータから抽出し、前記PDLキーワード値及び文字列変数を、前記特定の機能に関連する前記プリンタ記述データに含め、
前記特定の機能が前記コアマッピングデータにより規定されていなかった場合、前記特定の機能に対応する機能名及び１つ以上の表示名文字列の双方を、前記装置機能データから抽出し、少なくとも前記特徴名に基づいてPDLキーワード値を生成し、生成したPDLキーワード値及び１つ以上の表示名文字列を、前記特定の機能に関連する前記プリンタ記述データに含める、請求項１５記載の装置。
【請求項１９】
前記印刷ドライバが、前記ウェブサービスが実行可能な印刷装置で実行する更新サービスに加入するステップと、
前記ウェブサービスが実行可能な印刷装置において、更新された印刷装置機能データが利用可能になったことを示すイベント通知を、前記印刷ドライバが前記更新サービスにより受信するステップと、
前記ウェブサービスが実行可能な印刷装置が現在サポートしている機能及びオプションを示す更新された印刷装置機能データを、前記印刷ドライバが、前記イベント通知に応答して、前記ウェブサービスが実行可能な印刷装置から抽出するステップと、
更新された印刷装置機能データにより示される複数の機能及びオプションの内の１つ以上のオプションに対する表示データが指定されている更新されたプリンタ記述データを、前記印刷ドライバが、少なくとも前記印刷装置機能データに基づいて生成するステップと、
前記印刷ドライバが、前記更新されたプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記更新された装置機能データにより示される機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第３の印刷データを受信するステップと、
前記印刷ドライバが、少なくとも前記第３の印刷データに基づいて、第４の印刷データ及び印刷ジョブチケットを生成するステップと、
前記印刷ドライバにより、前記第４の印刷データ及び前記印刷ジョブチケットが、前記ウェブサービスが実行可能な印刷装置に送信されるようにするステップと
を前記方法がさらに有する、請求項１６記載の装置。
【請求項２０】
前記ウェブサービスが実行可能な印刷装置とは異なる第２のウェブサービスが実行可能な印刷装置から、該第２のウェブサービスが実行可能な印刷装置が現在サポートしている複数の機能及びオプションを示す第２の印刷装置機能データを、前記印刷ドライバが抽出するステップと、
前記第２のウェブサービスが実行可能な印刷装置が現在サポートしている複数の機能及びオプションの内の１つ以上の機能及びオプションに対する表示データが示されている第２のプリンタ記述データを、少なくとも前記第２の印刷装置機能データに基づいて、前記印刷ドライバが生成するステップと、
前記印刷ドライバが、前記第２のプリンタ記述データに含まれている少なくとも表示データに基づいて、第２のグラフィカルユーザインターフェースデータを生成し、該第２のグラフィカルユーザインターフェースデータは、アプリケーションプログラムにより処理される場合、前記第２のウェブサービスが実行可能な印刷装置が現在サポートしている機能及びオプションの少なくとも一部分が、グラフィカルユーザインターフェースに表示されることを引き起こす、ステップと、
前記印刷ドライバが、前記アプリケーションプログラムから、前記アプリケーションプログラムにより生成された第２のアプリケーションデータを受信するステップと、
前記印刷ドライバが、少なくとも前記第２のアプリケーションデータに基づいて、第２の印刷データ及び第２の印刷ジョブチケットを生成するステップと、
前記印刷ドライバにより、前記第２の印刷データ及び前記第２の印刷ジョブチケットが、前記第２のウェブサービスが実行可能な印刷装置に送信されるようにするステップと
を前記方法がさらに有する、請求項１５記載の装置。
【発明の詳細な説明】
【技術分野】
【０００１】
本発明は一般に印刷システムに関連し、かつウェブサービスイネーブル印刷装置（Web  service-enabled  printing  device）による印刷に関連する。
【背景技術】
【０００２】
この「背景技術」で説明される方法は、追跡可能な方法ではあるが、過去に考察又は追跡されている方法であるとは限らない。したがって、特に断りのない限り、「背景技術」で説明されるどの方法も、「背景技術」に含まれているという理由だけで、それを「従来技術」とすべきでない。
【０００３】
ユーザが印刷装置で電子文書を印刷しようと思った場合、ユーザのクライアント装置における印刷サブシステムは、アプリケーションプログラムにより生成されたアプリケーションデータを処理し、印刷データを生成する。印刷データは、電子文書を印刷するために印刷装置が必要とする全ての情報を含んでいる。例えば、PCにおけるワードプロセシングアプリケーションを用いて、ユーザは電子文書を作成する。そして、ユーザはワードプロセシングアプリケーションの印刷オプションを選択し、電子文書が特定のプリンタにより印刷されることをリクエスト（要求）する。PCにおける印刷サブシステムは、ワードプロセシングアプリケーションにより生成されたアプリケーションデータを処理することで、そのリクエストを処理し、特定のプリンタによりサポートされているフォーマットで印刷データを生成し、その印刷データを特定のプリンタに送る。一般に、印刷装置が認識する印刷ジョブの一部として、印刷データは印刷装置に送られる。
【０００４】
通常、印刷データを生成する際、意図する（ターゲットの）印刷装置に固有の印刷ドライバを使用する。すなわち、印刷ドライバ各々は、印刷データを、ターゲット印刷装置がサポートしているフォーマットに変換する。したがって、クライアント装置が特定の印刷装置により適切に印刷を行うためには、クライアント装置は、その特定の印刷装置用の印刷ドライバをインストールしておく必要がある。この方法による問題の１つは、その印刷ドライバが、ターゲット印刷装置にとって最新のものでなければならないことである。印刷装置のコンフィギュレーションが変更された場合、新たな印刷ドライバが生成されかつ多数のユーザに配布される必要がある。印刷装置メーカーは、最新の印刷ドライバを彼らのウェブサイトでダウンロードするように試みているが、多くのユーザは、製造者のウェブサイトを調べて最新のドライバを探してはいない。さらに、多くの印刷ドライバは、オペレーティングシステムを作った企業により、或いは印刷装置メーカーにより認証される必要があり、それには時間がかかり高価になってしまう。一般に、印刷ドライバに対する如何なる変更も、再認証を要することになる。
【発明の概要】
【発明が解決しようとする課題】
【０００５】
本発明の課題は、ウェブサービスイネーブル印刷装置により印刷を行うための装置及び方法を提供することである。
【課題を解決するための手段】
【０００６】
ウェブサービスイネーブル印刷装置により印刷する方法が提供される。印刷ドライバは、クライアント装置にインストールされ、複数のウェブサービスイネーブル印刷装置に対して印刷することを可能にする。なお、ウェブサービスイネーブル印刷装置とは、ウェブサービスを実行することが可能な印刷装置であり、この点、一般的な印刷装置と変わりはない。印刷ドライバは、例えばWSD通信プロトコルを使用して、ウェブサービスイネーブル印刷装置から、印刷装置機能データ（printing  device  capabilities  data）を取得するよう構築されている。印刷装置機能データは、ウェブサービスイネーブル印刷装置により現在サポートされている複数の機能及びオプション（features  and  options）を特定する。印刷ドライバは、少なくとも印刷装置機能データに基づいて、プリンタ記述データを生成するようにさらに構築されている。プリンタ記述データは、ウェブサービスイネーブル印刷装置により現在サポートされている１つ以上の機能及びオプションの表示データを特定する。印刷ドライバは、少なくともプリンタ記述データに基づいて、グラフィカルユーザインターフェースデータを生成する。グラフィカルユーザインターフェースデータは、アプリケーションプログラムにより処理された場合、機能やオプションがグラフィカルユーザインターフェースに表示されることを引き起こす。印刷ドライバは、アプリケーションプログラムにより生成されたアプリケーションデータを受信し、少なくともそのアプリケーションデータに基づいて印刷データ及び印刷ジョブチケットを生成する。印刷ドライバは、プリンタ記述データを使用して印刷データや印刷ジョブチケットを生成してもよい。印刷ドライバは、印刷データ及び印刷ジョブチケットが、処理を行うウェブサービスイネーブル印刷装置に送信されることを引き起こす。本発明の実施例は、印刷ドライバがウェブサービスイネーブル印刷装置から或るイベントを受信するように予約することも包含し、そのイベントは、インストールされている機能やオプションに変更が生じたことを示すイベントである。印刷ドライバは、そのようなイベントに応答して、プリンタ記述データを更新するように構築されている。
【図面の簡単な説明】
【０００７】
【図１】ウェブサービスイネーブル印刷装置により印刷する方法を示すフローチャート。
【図２】ネットワークを介して通信可能に結合されたクライアント装置及び印刷装置を含む印刷システム例を示すブロック図。
【図３】クライアント装置のオペレーティングシステムが、コンパチブルデバイスIDをサポートしていなかった場合にWSD印刷装置により印刷する方法を示すフローチャート。
【図４】クライアント装置のオペレーティングシステムが、コンパチブルデバイスIDをサポートしていた場合にWSD印刷装置により印刷する方法を示すフローチャート。
【図５】プリンタ記述データを生成する方法を示すフローチャート。
【図６】プリンタ記述データを更新する方法を示すフローチャート。
【図７】本発明の実施例が使用されているコンピュータシステムのブロック図。
【発明を実施するための形態】
【０００８】
本発明の一形態による方法は、ウェブサービスイネーブル印刷装置により印刷を行うためにコンピュータで使用される方法であり、当該方法は、印刷ドライバが、クライアント装置で実行され、ウェブサービスイネーブル印刷装置から印刷装置機能データを取得するステップを含み、該印刷装置機能データは、ウェブサービスイネーブル印刷装置により現在サポートされている複数の機能及びオプションを特定する。印刷ドライバは、少なくとも印刷装置機能データに基づいてプリンタ記述データを生成し、該プリンタ記述データは、複数の機能及びオプションに属する機能及びオプションの１つ以上に対する表示データを特定する。印刷ドライバは、プリンタ記述データに含まれている表示データに少なくとも基づいて、グラフィカルユーザインターフェースデータを生成し、該グラフィカルユーザインターフェースデータは、アプリケーションプログラムにより処理された場合、機能及びオプションの少なくとも一部が、グラフィカルユーザインターフェースに表示されることを引き起こす。印刷ドライバは、アプリケーションプログラムにより生成されたアプリケーションデータを、アプリケーションプログラムから受け取る。印刷ドライバは、少なくともアプリケーションデータに基づいて印刷データ及び印刷ジョブチケットを生成し、その印刷データ及び印刷ジョブチケットがウェブサービスイネーブル印刷装置に送信されるようにする。
【０００９】
本発明は限定例ではない具体例により添付図面とともに説明され、図中同様な参照番号は同様な要素を指す。
【００１０】
以下の説明では、説明の目的で様々な具体的詳細が述べられ、本発明の十分な理解を促す。しかしながら、そのような具体的詳細によらず本発明が実施されてもよいことは明白である。なお、本発明を曖昧にしてしまうことを避けるため、周知の構造及び装置はブロック図形式で示されている。
【００１１】
本発明の実施例は以下の観点から説明される。
【００１２】
I．概  要
II．印刷システムアーキテクチャ
III．コンパチブルIDをサポートしていないオペレーティングシステムでWSD印刷装置により印刷すること  
IV．コンパチブルIDをサポートしているオペレーティングシステムでWSD印刷装置により印刷すること
V．プリンタ記述データの生成
VI．プリンタ記述データの動的な更新
VII．実現手段
VIII．付録Ａ−装置機能データの具体例
IX．付録Ｂ−コアマッピングデータの具体例
X．付録Ｃ−プリンタ記述データの具体例
【実施例１】
【００１３】
＜I．概  要＞
ウェブサービスイネーブル印刷装置により印刷する方法が提供される。印刷ドライバは、クライアント装置にインストールされ、複数のウェブサービスイネーブル印刷装置に対して印刷することを可能にする。印刷ドライバは、例えばWSD通信プロトコルを使用して、ウェブサービスイネーブル印刷装置から、印刷装置機能データを取得するよう構築されている。印刷装置機能データは、ウェブサービスイネーブル印刷装置により現在サポートされている複数の機能及びオプションを特定する。印刷ドライバは、少なくとも印刷装置機能データに基づいて、プリンタ記述データを生成するようにさらに構築されている。プリンタ記述データは、ウェブサービスイネーブル印刷装置により現在サポートされている１つ以上の機能及びオプションの表示データを特定する。印刷ドライバは、少なくともプリンタ記述データに基づいて、グラフィカルユーザインターフェースデータを生成する。グラフィカルユーザインターフェースデータは、アプリケーションプログラムにより処理された場合、機能やオプションがグラフィカルユーザインターフェースに表示されることを引き起こす。印刷ドライバは、アプリケーションプログラムにより生成されたアプリケーションデータを受信し、少なくともそのアプリケーションデータに基づいて印刷データ及び印刷ジョブチケットを生成する。印刷ドライバは、プリンタ記述データを使用して印刷データや印刷ジョブチケットを生成してもよい。印刷ドライバは、印刷データ及び印刷ジョブチケットが、処理を行うウェブサービスイネーブル印刷装置に送信されることを引き起こす。本発明の実施例は、印刷ドライバがウェブサービスイネーブル印刷装置から或るイベントを受信するように予約することも包含し、そのイベントは、インストールされている機能やオプションに変更が生じたことを示すイベントである。印刷ドライバは、そのようなイベントに応答して、プリンタ記述データを更新するように構築されている。
【００１４】
このような方法は或る印刷ドライバをインストールできるようにし、その印刷ドライバは、ウェブサービスイネーブル印刷装置の機能及びオプションの最小限のセットをサポートしている。そして、印刷ドライバは、複数のウェブサービスイネーブル印刷装置の現在のコンフィギュレーションをサポートするように自らカスタマイズすることが可能であり、時間経過とともに、それらウェブサービスイネーブル印刷装置のコンフィギュレーションに対してなされた変更に適合することが可能である。
【００１５】
図１は、ウェブサービスイネーブル印刷装置により印刷する方法を示す本発明の一実施例によるフローチャートを示す。ステップ102において、クライアント装置においてインストールされ実行される印刷ドライバが、ウェブサービスイネーブル印刷装置から印刷装置機能データを取得する。印刷装置機能データは、ウェブサービスイネーブル印刷装置により現在サポートされている複数の機能及びオプションを示す。
【００１６】
ステップ104において、印刷ドライバは、少なくとも印刷装置機能データに基づいてプリンタ記述データを生成する。プリンタ記述データは、ウェブサービスイネーブル印刷装置により現在サポートされている機能及びオプションの１つ以上に対する表示データを示す。
【００１７】
ステップ106において、印刷ドライバは、プリンタ記述データに含まれている表示データに少なくとも基づいて、グラフィカルユーザインターフェースデータを生成する。グラフィカルユーザインターフェースデータは、アプリケーションプログラムにより処理された場合、機能及びオプションの少なくとも一部がグラフィカルユーザインターフェースに表示されるようにする。
【００１８】
ステップ108において、印刷ドライバは、アプリケーションプログラムにより生成されたアプリケーションデータを受け取り、少なくともアプリケーションデータに基づいて印刷データ及び印刷ジョブチケットを生成する。印刷ドライバは、プリンタ記述データを使用して、印刷データ又は印刷ジョブチケットを生成してもよい。
【００１９】
ステップ110において、印刷ドライバは、印刷データ及び印刷ジョブチケットが、処理を行うウェブサービスイネーブル印刷装置に送信されるようにする。
【００２０】
＜II．印刷システムアーキテクチャ＞
図２は印刷システム例200を示すブロック図であり、印刷システムは、ネットワーク206を介して通信可能に結合されたクライアント装置202及びウェブサービスイネーブル（WSD：Web  Services-enabled）印刷装置204を含む。ネットワーク206は、クライアント装置202及びWSD印刷装置204間でデータ交換を行う如何なる媒体や仕組みで実現されてもよい。ネットワーク206の具体例は、ローカルエリアネットワーク（LAN）、広域ネットワーク（WAN）、イーサーネット若しくはインターネット、又は地上、衛星若しくは無線リンクの１つ以上等のネットワークを含むが、これらに限定されない。
【００２１】
WSD印刷装置204はWSD印刷サービス208を含む。クライアント装置202は、ユーザインターフェース210、アプリケーションプログラム212、印刷ドライバインストレーションアプリケーション214、印刷ドライバ216（ユーザインターフェース（UI）モジュール及びレンダリングモジュール220を含む）、ポートモニタ及びウェブサービスデバイス（WSD:  Web  Service  Device）アプリケーションプログラムインターフェース（API）モジュール222、スプーラ224及びストレージ226を含む。ストレージ226は、印刷装置機能データ228、印刷データ230及び印刷ジョブチケット232を格納する。また、ストレージは、印刷ドライバストレージ234及びレジストリ236を含み、レジストリはプリンタ記述データ238及びデフォルト印刷チケット240を格納する。これらの要素各々は、以下で概説され、後に詳細に説明される。
【００２２】
ユーザインターフェース210は、ユーザに情報を提示し、ユーザ入力を可能にする機構及び／又は手段である。アプリケーションプログラム212は、データを印刷する何らかのタイプのプログラムである。アプリケーションプログラム212の具体例は、ワードプロセシングプログラム、スプレッドシートプログラム、電子メールクライアント等であるが、これらに限定されない。説明の簡明化のため、図２では１つのアプリケーションプログラム212しか示されていないが、クラアイント装置202はアプリケーションプログラムを幾つでも備えていてよい。
【００２３】
印刷ドライバインストレーションアプリケーション214は、印刷ドライバ216のインストールを実行し、そのインストールは、印刷ドライバ216に必要とされる如何なるデータやファイルをインストールすることを含む。印刷ドライバ216のインストールは、オペレーティングシステムに必要とされる何らかのコンフィギュレーションを設定することに加えて、実施形態に依存して、他のソースやロケーションからデータ及び／又はファイルを取得することも含む。
【００２４】
印刷ドライバ216は、アプリケーションプログラム212とやり取りを行い、WSD印刷装置204における印刷用の印刷データを生成する。UIモジュール218はグラフィカルユーザインターフェースデータを生成し、グラフィカルユーザインターフェースデータは、アプリケーションプログラム212により実行された場合、グラフィカルユーザインターフェースをユーザインターフェース210に提供し、特定の電子文書を印刷する際に使用される機能やオプションをユーザが選択できるようにする。レンダリングモジュール220は、アプリケーションプログラム212により生成されたアプリケーションデータを処理し、印刷データを生成し、該印刷データは、WSD印刷装置204により処理された場合、印刷データに反映されている電子文書の印刷バージョンが、WSD印刷装置204により印刷されることを引き起こす。印刷ドライバ216は、後にさらに詳細に説明される他の様々な機能も実行する。
【００２５】
ポートモニタ及びWSD−APIモジュール222は、印刷ドライバ216及びWSD印刷装置204間の通信を可能にする。例えば、WSD-APIモジュール222は、あるカスタムポートにインストールされ、そのカスタムポートを介して印刷ドライバ216はWSD-APIモジュール222と通信を行う。ポートモニタ及びWSD-APIモジュール222は、WSD印刷装置204と通信を行う。そして、ポートモニタ及びWSD-APIモジュール222は、クライアント側のコマンド（例えば、BiDiファンクションコール）をSOAPエンベロープ形式のSOAPリクエストに変換することができ、WSD印刷装置204からSOAPエンベロープ形式で受信したSOAP応答から、XML情報を抽出し、BiDiファンクションコールレスポンスを生成することができる。ポートモニタ及びWSD-APIモジュール222は、SOAPリクエストを、WSD印刷サービス208に関するポートに送信する。
【００２６】
印刷装置機能データ228は、WSD印刷装置204の現在の機能及びオプションを示すデータであり、具体的には各機能に許容されている値である。印刷装置機能の具体例は、用紙トレイ、両面印刷、ステープリング、穴あけ、紫外線（UV）コーティング等を含むが、これらに限定されない。各々の機能は１つ以上のオプション、すなわち値を有する。ある機能は２つのオプションしか持たないかもしれない。例えば、一般的にUVコーディングは、「イネーブル」又は「ディセーブル」のような２つのオプションしか持たない。例えば用紙サイズのような他の属性は、例えば「A4」、「定形（legal）」、「81/2×11」等のような多くのオプションを有する。クライアント装置202に保存される印刷装置機能データ228は、如何なる数のWSD印刷装置の印刷装置機能データを含んでいてもよい。
【００２７】
印刷データ230は、アプリケーションプログラム212により生成された少なくともアプリケーションデータに基づいて、印刷ドライバ216により生成されたデータであり、そのデータは、WSD印刷装置204により処理されると、印刷データ230に表現されている電子文書の印刷バージョンが印刷されることを引き起こす。印刷ジョブチケット232は、印刷データ230がWSD印刷装置204でどのように処理されるかを示す１つ以上のパラメータを示す。印刷データ230は複数の印刷ジョブに関するデータを含み、印刷ジョブチケット232は複数の印刷ジョブチケットを含んでもよい。
【００２８】
印刷ドライバストレージ234は、印刷装置で印刷するためにクライアント装置で使用される１つ以上の印刷ドライバを含む。レジストリ236はストレージ226内の領域であり、プリンタ記述データ238及びデフォルト印刷チケット240を保存する。レジストリ236は、クライアント装置202のオペレーティングシステムの制御下にある、ストレージ226の保護された領域でもよい。デフォルト印刷チケット240は、WSD印刷装置204によりサポートされている機能のデフォルトオプションを示すデータを含む。デフォルト印刷チケット240は、如何なる数の印刷装置のデフォルト印刷チケットを含んでもよい。
【００２９】
印刷ドライバ216は、少なくとも印刷装置機能データ228に基づいてプリンタ記述データ238を生成する。プリンタ記述データ238は、WSD印刷装置204が現在サポートしている１つ以上の機能及びオプションに対する表示データを示す。印刷ドライバ216は、プリンタ記述データ238を使用して、グラフィカルユーザインターフェースデータを生成し、印刷データ230及び／又は印刷ジョブチケット232も生成する。
【００３０】
＜III．コンパチブルIDをサポートしていないオペレーティングシステムでWSD印刷装置により印刷すること＞
図３は、クライアント装置のオペレーティングシステムが、コンパチブルデバイスIDをサポートしていなかった場合にWSD印刷装置により印刷する方法を示すフローチャート300である。この方法が使用される状況の一例は、クライアント装置202のオペレーティングシステムがコンパチブルな識別子の利用をサポートしていなかった場合である。すなわち、オペレーティングシステムは、ターゲットの印刷装置に合致する印刷ドライバを必要とする。この種のオペレーティングシステムの具体例は、ウインドウズXP、ウインドウズビスタ、及び他のウインドウズでないオペレーティングシステムを含む。一般に、オペレーティングシステムは、インストールされた印刷装置の装置ID又はデバイスIDを取得し、同じデバイスIDを有する印刷ドライバを探す。例えば、ウインドウズのオペレーティングシステムの場合、オペレーティングシステムはINFファイルとして知られているセットアップファイルを探索し、そのファイルはインストールされた印刷装置のデバイスIDに合致しているものである。
【００３１】
印刷ドライバインストレーションアプリケーション214は利用可能な印刷装置を発見しており、WSD印刷装置204がインストール用に選択されている、と仮定する。印刷ドライバインストレーションアプリケーション214は、ベーシックジェネリックプリンタ記述（GPD:  Generic  Printer  Description）ファイルとともに基本的な印刷ドライバをインストールし、GPDファイルは、標準的な最小限の機能群が、グラフィカルユーザインターフェースを生成しかつ印刷データを生成するのに必要な情報を含んでいる。
【００３２】
ステップ１において、印刷ドライバインストレーションアプリケーション214は、例えばWSD印刷装置204のメタデータを求めるユニキャストリクエストを使用して、WSD印刷装置204から装置情報（デバイス情報）を取得する。デバイス情報は、例えば、WSD印刷装置204のモデル番号を含む。ステップ２において、WSD印刷装置204のUUIDを使用してポートが設定される。ステップ３において、印刷ドライバインストレーションアプリケーション214は、セットアップAPIとやり取りをすることで、設定されたポートに印刷ドライバをインストールする。ステップ４において、セットアップAPIはスプーラ224に通知を行い、スプーラはステップ５においてプリンタ初期化イベントを引き起こす。例えば、このプリンタ初期化イベントは、PRINTER_EVENT_INITIALIZEというイベントコードを有する。
【００３３】
ステップ６において、WSD印刷装置204の装置機能を求めるリクエストを、ポートモニタ及びWSD-APIモジュール222に送信することで、UIモジュール218はプリンタ初期化イベントに応答する。このリクエストは、例えばSendRecvBiDiDataファンクションに対するコール（call）により実行され、これはWSD印刷装置204の装置機能データのリクエストを含んでいる。この場合、SendRecvBiDiDataファンクションは、ポートモニタ及びWSD-APIモジュール222に対するコールを行う。
【００３４】
ステップ７において、ポートモニタ及びWSD-APIモジュール222は、WSD印刷装置204の装置機能データを求めるリクエストをUIモジュール218から受信する。ポートモニタ及びWSD-APIモジュール222は、UIモジュール218から受信したリクエストに少なくとも基づいて、SOAPエンベロープ形式でSOAPリクエストを生成し、そのSOAPリクエストをWSD印刷装置204に転送する。WSD印刷装置204は、SOAPエンベロープ形式のSOAPレスポンスを生成してポートモニタ及びWSD-APIモジュール222に送信し、そのSOAPレスポンスはWSD印刷装置204の装置機能データを含む。WSD印刷装置204の装置機能データは、WSD印刷装置204が現在サポートしている機能及びオプションを示す。SOAPレスポンスにおける装置機能データは、特定の実施形態に依存して、WSD印刷装置204で利用可能な装置機能データの全部又は一部を含む。さらに、装置機能データは、如何なる数のSOAPリクエスト及びレスポンスを使用して取得されてもよい。SOAPレスポンスはデフォルト印刷チケットを含んでいてもよく、デフォルト印刷チケットは、WSD印刷装置204のデフォルトオプションを示す。
【００３５】
ステップ８において、ポートモニタ及びWSD-APIモジュール222は、WSD印刷装置204の装置機能データを含むレスポンス（応答）をUIモジュール218に送信する。これは、ポートモニタ及びWSD-APIモジュール222が、SOAPレスポンスからXML情報を抽出すること、及び抽出した情報を含むレスポンスを生成することを含む。リクエストが、SendRecvBiDiDataファンクションに対するコールを用いて実現される場合、そのファンクションコールに対するレスポンスは、WSD印刷装置204からの装置機能データを含む。
【００３６】
ステップ９において、UIモジュール218はWSD印刷装置204のプリンタ記述データ238を生成し、プリンタ記述データ238をレジストリ236に格納する。プリンタ記述データ238を生成するプロセスは、後に詳細に説明される。プリンタ記述データ238及びデフォルト印刷チケット240はレジストリ236に格納される。
【００３７】
ステップ１０において、アプリケーションプログラム212は、グラフィカルユーザインターフェース（GUI）データを求めるリクエストをUIモジュール218に対して行う。ステップ11において、UIモジュール218はレジストリ236からプリンタ記述データ238を取得し、プリンタ記述データ238に基づいてGUIデータを生成する。これは、例えば、プリンタ記述データ238に含まれている文字列変数に対応するストリングを取得することを含む。詳細に後述されるように、文字列変数は、コアマッピングファイル（rcNameIDバリュータグにより特定される）から取得され、プリンタ記述データ238に付加される。文字列変数のストリングは、例えば様々な言語をサポートするために保持される１つ以上のデータファイルから取得され、GUIデータに含められる。例えば、１つ以上のデータファイルが文字列変数及び対応する文字列のリストを含み、その文字列は特定の言語で機能名又はオプション名を表わす。GUIを別の言語に変更する場合、１つ以上のデータファイルは、１つ以上の他のデータファイルと置換され、他のデータファイルは、他の言語で特徴名又はオプション名を表す文字列変数及び対応する文字列のリストを含む。
【００３８】
GUIデータはあるデータを含み、そのデータは、アプリケーションプログラム212により処理される場合、WSD印刷装置204がサポートしている機能及び設定をユーザが閲覧及び変更することを可能にする。GUIデータは、例えば、ディスプレイストリングを含む表示データを含み、ディスプレイストリングは、WSD印刷装置204が現在サポートしている機能及びオプションに対応している。ステップ１２において、UIモジュール218はGUIデータをアプリケーションプログラム212に与える。
【００３９】
ユーザはアプリケーションプログラム212とやり取りを行い、特定の電子文書を印刷するのに使用される特定の機能及びオプションを閲覧して選択する。例えばユーザは穴あけを行う両面カラー印刷を選択する。ユーザが、特定の電子文書を印刷するために選択する様々なオプションを選択すると、ステップ１３において、アプリケーションプログラム212は、単独の文字列変数を有するデバイスモード（DEVMODE）構造の印刷ジョブを生成してレンダリングモジュール220に提供し、その文字列変数はジョブ設定を指定する印刷ジョブチケットを保っている。ステップ１４において、レンダリングモジュールは、UUIDのポート名とともに、目下の例ではWSD印刷装置204である装置の最終アドレス（endpoint  address）を求めるBiDiリクエストを、ポートモニタ及びWSD-APIモジュール222に送信する。ステップ１５において、ポートモニタ及びWSD-APIモジュール222は、WSD印刷装置204のIPアドレスを求めるリクエストを生成してWSD印刷装置204に送信する。WSD印刷装置204は、自身のIPアドレスをポートモニタ及びWSD-APIモジュール222に提供し、そのモジュール222はIPアドレスをレンダリングモジュール220に提供する。
【００４０】
ステップ１６において、レンダリングモジュール220は、DEVMODE構造から印刷ジョブチケットを抽出し、その印刷ジョブチケットを１つ以上のプリンタジョブ言語（PJL）コマンドとして、印刷データ230とともにポートモニタ及びWSD-APIモジュール222に送信する。PJLコマンドは、印刷データ230の一部として包含され、或いは別々に送信される。ステップ１７において、ポートモニタ及びWSD-APIモジュール222は、印刷データ230及び印刷ジョブチケット232を含む印刷ジョブを、WSD印刷装置204へHTTPを介して送信する。印刷データ230及び印刷ジョブチケット232は、W3Cメッセージ伝送最適化メカニズム（MTOM:  Message  Transmission  Optimization  Mechanism）を利用してWSD印刷装置204に送信されてもよい。
【００４１】
＜IV．コンパチブルIDをサポートしているオペレーティングシステムでWSD印刷装置により印刷すること＞
図４は、クライアント装置のオペレーティングシステムが、コンパチブルデバイスIDをサポートしていた場合にWSD印刷装置により印刷する方法を示すフローチャート400である。この例の場合、クライアント装置202のオペレーティングシステムはコンパチブルIDの利用をサポートしている。これは、オペレーティングシステムが、インストールされた印刷装置に正確に合致するセットアップファイルを探すことを意味する。正確な合致を発見できなかった場合、オペレーティングシステムは、インストールされた印刷装置のクラス、タイプ又はグループについて、セットアップファイルを用意する。この種のオペレーティングシステムの一例は、ウインドウズ７である。
【００４２】
目下の例において、セットアップAPIは、クライアント装置202に印刷ドライバを提供しているものとする。ステップ１において、プラグアンドプレイ（PnP-X）機能が、標準的なWSDポートモニタに印刷ドライバをインストールし、スプーラ224に通知する。UIモジュール218は、WSD印刷装置204のデバイスIDを取得し、ポートモニタ及びWSD-APIモジュール222をインストールし、ポートを設定し、そのポートを、標準的なWSDモニタポートから、ポートモニタ及びWSD-APIモジュール222のポートへ変更する。セットアップAPIはスプーラ224に通知を行い、スプーラはステップ２においてプリンタ初期化イベントを引き起こす。例えば、このプリンタ初期化イベントは、PRINTER_EVENT_INITIALIZEというイベントコードを有する。
【００４３】
ステップ３において、WSD印刷装置204の装置機能を求めるリクエストを、ポートモニタ及びWSD-APIモジュール222に送信することで、UIモジュール218はプリンタ初期化イベントに応答する。このリクエストは例えばSendRecvBiDiDataファンクションに対するコール（call）により実現され、WSD印刷装置204の装置機能データを求めるリクエストを含む。この場合において、SendRecvBiDiDataファンクションは、ポートモニタ及びWSD-APIモジュール222に対するコールを行う。
【００４４】
ステップ４において、ポートモニタ及びWSD-APIモジュール222は、WSD印刷装置204の装置機能データを求めるリクエストをUIモジュール218から受信する。ポートモニタ及びWSD-APIモジュール222は、UIモジュール218から受信したリクエストに少なくとも基づいて、SOAPエンベロープ形式でSOAPリクエストを生成し、そのSOAPリクエストをWSD印刷装置204に転送する。WSD印刷装置204は、SOAPエンベロープ形式のSOAPレスポンスを生成してポートモニタ及びWSD-APIモジュール222に送信し、そのSOAPレスポンスはWSD印刷装置204の装置機能データを含む。WSD印刷装置204の装置機能データは、WSD印刷装置204が現在サポートしている機能及びオプションを示す。SOAPレスポンスにおける装置機能データは、特定の実施形態に依存して、WSD印刷装置204で利用可能な装置機能データの全部又は一部を含む。さらに、装置機能データは、如何なる数のSOAPリクエスト及びレスポンスを使用して取得されてもよい。SOAPレスポンスはデフォルト印刷チケットを含んでいてもよく、デフォルト印刷チケットは、WSD印刷装置204のデフォルトオプションを示す。
【００４５】
ステップ５において、ポートモニタ及びWSD-APIモジュール222は、WSD印刷装置204の装置機能データを含むレスポンスをUIモジュール218に送信する。これは、ポートモニタ及びWSD-APIモジュール222が、SOAPレスポンスからXML情報を抽出すること、及び抽出した情報を含むレスポンスを生成することを含む。リクエストが、SendRecvBiDiDataファンクションに対するコールを用いて実現される場合、そのファンクションコールに対するレスポンスは、WSD印刷装置204からの装置機能データを含む。
【００４６】
ステップ６において、UIモジュール218はWSD印刷装置204のプリンタ記述データ238を生成し、プリンタ記述データ238をレジストリ236に格納する。プリンタ記述データ238を生成するプロセスは、後に詳細に説明される。プリンタ記述データ238及びデフォルト印刷チケット240はレジストリ236に格納される。
【００４７】
ステップ７において、アプリケーションプログラム212は、グラフィカルユーザインターフェース（GUI）データを求めるリクエストをUIモジュール218に対して行う。ステップ８において、UIモジュール218はレジストリ236からプリンタ記述データ238を取得し、少なくともプリンタ記述データ238に基づいてGUIデータを生成する。これは、例えば、プリンタ記述データ238に含まれている文字列変数に対応するストリングを取得することを含む。ストリングは、例えば様々な言語をサポートするために保持される１つ以上のデータファイルから取得される。GUIデータはあるデータを含み、そのデータは、アプリケーションプログラム212により処理される場合、WSD印刷装置204がサポートしている機能及び設定をユーザが閲覧及び変更することを可能にする。GUIデータは、例えば、ディスプレイストリングを含む表示データを含み、ディスプレイストリングは、WSD印刷装置204が現在サポートしている機能及びオプションに対応している。ステップ９において、UIモジュール218はGUIデータをアプリケーションプログラム212に与える。
【００４８】
ユーザはアプリケーションプログラム212とやり取りを行い、特定の電子文書を印刷するのに使用される特定の機能及びオプションを閲覧して選択する。例えばユーザは穴あけを行う両面カラー印刷を選択する。ユーザが、特定の電子文書を印刷するために選択する様々なオプションを選択すると、ステップ１０において、アプリケーションプログラム212は、単独の文字列変数を有するデバイスモード（DEVMODE）構造の印刷ジョブを生成してレンダリングモジュール220に提供し、その文字列変数はジョブ設定を指定する印刷ジョブチケットを保っている。ステップ１１において、レンダリングモジュールは、UUIDのポート名とともに、目下の例ではWSD印刷装置204である装置の最終アドレスを求めるBiDiリクエストを、ポートモニタ及びWSD-APIモジュール222に送信する。ステップ１２において、ポートモニタ及びWSD-APIモジュール222は、WSD印刷装置204のIPアドレスを求めるリクエストを生成してWSD印刷装置204に送信する。WSD印刷装置204は、自身のIPアドレスをポートモニタ及びWSD-APIモジュール222に提供し、そのモジュール222はIPアドレスをレンダリングモジュール220に提供する。
【００４９】
ステップ１３において、レンダリングモジュール220は、DEVMODE構造から印刷ジョブチケットを抽出し、その印刷ジョブチケットを１つ以上のプリンタジョブ言語（PJL）コマンドとして、印刷データ230とともにポートモニタ及びWSD-APIモジュール222に送信する。PJLコマンドは、印刷データ230の一部として包含され、或いは別々に送信される。ステップ１４において、ポートモニタ及びWSD-APIモジュール222は、印刷データ230及び印刷ジョブチケット232を含む印刷ジョブを、WSD印刷装置204へHTTPを介して送信する。印刷データ230及び印刷ジョブチケット232は、W3Cメッセージ伝送最適化メカニズム（MTOM）を利用してWSD印刷装置204に送信されてもよい。
【００５０】
＜V．プリンタ記述データの生成＞
上述したように、UIモジュール218は、プリンタ記述データ238を生成してレジストリ236に格納するように構築され、かつWSD印刷装置204から受信したデフォルト印刷チケットを保存するように構築される。プリンタ記述データ238はGUIデータを生成するためにUIモジュール218により使用され、GUIデータは、アプリケーションプログラム212により処理された場合、GUIがユーザインターフェース210に表示されるようにし、そのGUIは、WSD印刷装置204がサポートしている機能及びオプションを表示し、特定の電子文書を印刷する際に使用される１つ以上の機能及びオプションをユーザが選択できるようにする。
【００５１】
プリンタ記述データ238を生成するプロセスは、概して、WSD印刷装置204の印刷装置機能データ中の情報と、インストールされた基本的な印刷ドライバの一部として提供されているコアマッピングデータ中のデータとを組み合わせることを含む。本明細書末尾の付録Ａは印刷装置機能データ例を含み、付録Ｂはコアマッピングデータ例を含み、付録Ｃはプリンタ記述データ238例を含む。
【００５２】
本発明の一実施例によれば、UIモジュール218は、印刷装置機能データ228を調査し、そこに示されている印刷装置機能を確認する。印刷装置機能データ228に属する機能の各々について、UIモジュール218は、その機能がコアマッピングデータ内に規定されているか否かを確認する。コアマッピングデータは、標準的な一群の印刷装置の機能及びオプションのPDLキーワード（PDLKeyword）及びrcNameIDを含む。印刷装置機能データ228内の特定の機能がコアマッピングデータ内で規定されていた場合、UIモジュール218は、その特定の機能及び対応するオプション各々についてPDLkeyWord値及びrcNameID値をコアマッピングファイルから取得し、そのPDLkeyWord値及びrcNameID値をプリンタ記述データ238に格納する。PDLkeyword値は、印刷ドライバ216が理解できる機能又はオプションの用語と、同じ機能又はオプションについてWSD印刷サービス208が理解できる用語との関連付けをもたらす。rcNameID値は、機能又はオプションの文字列（ストリング）を含む文字列変数名（リソースID）を示す。ストリングはGUIデータに含まれ、GUIデータは、UIモジュール218により生成されかつアプリケーションプログラム212に与えられる。以下の具体例を考察する。印刷装置機能データ228は「InputTray4」と命名された機能を含んでいるものとする。さらに、この機能は以下の表１に示されているようにコアマッピングデータ内で規定されているものとする。
【００５３】
表１
<DeviceFeature  Value="InputTray4">
<PDLKeyword  Value="InputTray4"/>
<rcNameID  Value="RC_STR_TRAY4"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption  >
</DeviceFeature  >
【００５４】
表１に示されているように、InputTray4という機能は、「NotInstalled」（未インストール）及び「Installed」（インストール済）という２つのオプションを有する。機能及び各オプションは、指定されたPDLkeyword値及び指定されたrcNameID値の双方を有し、UIモジュール218はプリンタ記述データ238の中でそれらを検索することに留意を要する。
【００５５】
印刷装置機能データ228内の特定の機能がコアマッピングファイルに規定されていなかった場合、一般的には、その特定の機能は新たな機能である。この場合、UIモジュール218は、印刷装置機能データ228内のその特定の機能の機能名を使用して、プリンタ記述データ238に対するPDLkeyword値を生成する。さらに、UIモジュール218は、プリンタ記述データ238内の特定の機能について表示名値（DisplayName値）を用意する。複数の言語をサポートするため、機能及び／又はオプションの各々について、複数のDisplayName値がプリンタ記述データ238に含められてもよい。DisplayName値はGUIデータに含まれ、GUIデータはUIモジュール218により生成されかつアプリケーションプログラム212に与えられる。先の例に関し、「InputTray4」という名称の機能がコアマッピングデータに規定されていなかったとする。さらに、この機能は以下の表２に示されるように印刷装置機能データ228内で規定されているものとする。
【００５６】
表２
<rodp:InputTray4>
<rodp:DisplayName  xml:lang="en-US">Tray  4</rodp:DisplayName>
<rodp:DefaultOption>NotInstalled</rodp:DefaultOption>
<rodp:InputTray4Entry  Name="NotInstalled">
<rodp:DisplayName  xml:lang="en-US">Not  Installed</rodp:DisplayName>
</rodp:InputTray4Entry>
<rodp:InputTray4Entry  Name="Installed">
<rodp:DisplayName  xml:lang="en-US">Installed</rodp:DisplayName>
</rodp:InputTray4Entry>
</rodp:InputTray4>
【００５７】
表２から分かるように、印刷装置機能データ228のInputTray4の定義の中では、PDLkeyword値もrcNameID値も一切含まれていない。この例の場合、機能名「InputTray4」は、PDLkeyword値としてプリンタ記述データ238に格納される。また、UIモジュール218は、その機能及び各オプションについてDisplayName値を取得し、そのDisplayName値をプリンタ記述データ238に格納する。
【００５８】
図５は、印刷装置機能データ228中の特定の機能について、プリンタ記述データ238を生成する方法を示す本発明の一実施例によるフローチャート500を示す。本方法は、如何なる数の機能についても、及び各機能の如何なる数のオプションについても使用可能である。ステップ502において、印刷装置機能データ228から、ある機能が検索される。ステップ504において、その機能はコアマッピングデータ内で規定されているか否かの判断が行われる。ステップ506において、その機能がコアマッピングデータに規定されていると判断された場合、ステップ508において、PDLkeyword及びrcNameIDがコアマッピングデータから検索される。ステップ510において、PDLkeyword及びrcNameIDはプリンタ記述データ238に格納される。上述したように、プリンタ記述データ238は、如何なる数のWSD印刷装置のプリンタ記述データを含んでもよい。
【００５９】
ステップ506において、その機能がコアマッピングデータに規定されていないと判断された場合、ステップ512において、機能名及び表示名（単数又は複数）が、印刷装置機能データ228から取得される。上述したように、複数の言語をサポートするため、複数の表示名が使用されてもよい。ステップ514において、その機能に対するPDLkeywordとして、機能名がプリンタ記述データ238に格納される。また、表示名はその機能と関連付けられてプリンタ記述データ238に格納される。
【００６０】
＜VI．プリンタ記述データの動的な更新＞
図６は、プリンタ記述データを更新する方法を示す、本発明の一実施例によるフローチャートを示す。ステップ１において、WSD印刷装置204は、印刷する機能又はオプションに変更があったことを示すイベントを生成する。これは、印刷する機能又はオプションの削除、付加又は修正を含んでよい。ポートモニタ及びWSD-APIモジュール222は、そのようなイベントを受信するように予め予約しており、そしてそのイベントを受信する。例えば、ポートモニタ及びWSD-APIモジュール222は、イベントを示すSOAPメッセージの形式でイベントの通知を受信してもよい。
【００６１】
ステップ２において、ポートモニタ及びWSD-APIモジュール222は、イベントの通知を受信し、スプーラ224に通知する。ステップ３において、スプーラ224はUIモジュール218に通知する。ステップ４において、UIモジュール218は、WSD印刷装置204の装置機能のリクエストを、ポートモニタ及びWSD-APIモジュール222に送信する。このリクエストは、例えばSendRecvBiDiDataファンクションに対するコールにより実現されてもよく、WSD印刷装置204の装置機能データのリクエストを含む。この場合、SendRecvBiDiDataファンクションは、ポートモニタ及びWSD-APIモジュール222に対するコールを行う。
【００６２】
ステップ５において、ポートモニタ及びWSD-APIモジュール222は、WSD印刷装置204の装置機能データを求めるリクエストをUIモジュール218から受信する。ポートモニタ及びWSD-APIモジュール222は、UIモジュール218から受信したリクエストに少なくとも基づいて、SOAPエンベロープ形式のSOAPリクエストを生成し、SOAPリクエストをWSD印刷装置204に転送する。
【００６３】
ステップ６において、WSD印刷装置204は、SOAPエンベロープ形式のSOAPレスポンスを生成し、ポートモニタ及びWSD-APIモジュール222に送信し、そのSOAPレスポンスはWSD印刷装置204の装置機能データを含む。WSD印刷装置204の装置機能データは、WSD印刷装置204が現在サポートしている機能及びオプションを指定する。SOAPレスポンスにおける装置機能データは、特定の実施形態に依存して、WSD印刷装置204で利用可能な装置機能データの全部又は一部を含む。例えば、イベント通知に応答して抽出された装置機能データは、WSD印刷装置204で利用可能な装置機能データの全てを含んでもよい。或いは、機能又はオプションにおける変更に対応する装置機能データのみが、WSD印刷装置204から抽出されてもよい。さらに、装置機能データは、如何なる数のSOAPリクエスト及びレスポンスを用いて取得されてもよい。SOAPレスポンスは、WSD印刷装置204のデフォルトオプションを示すデフォルト印刷チケットを含んでいてもよい。
【００６４】
ステップ７において、ポートモニタ及びWSD-APIモジュール222は、WSD印刷装置204の装置機能データを含むレスポンスを、UIモジュール218に送信する。これは、ポートモニタ及びWSD-APIモジュール222が、SOAPレスポンスからXML情報を抽出すること、及び抽出した情報を含むレスポンスを生成することを含む。リクエストがSendRecvBiDiDataファンクションに対するコールを利用して実現される場合、そのファンクションコールに対するレスポンスは、WSD印刷装置204の装置機能データを含む。
【００６５】
ステップ８において、UIモジュール218は、WSD印刷装置204のプリンタ記述データ238を生成し、上述したようにプリンタ記述データ238をレジストリ236に格納する。或いは、UIモジュール218は、WSD印刷装置204になされた機能及び／又はオプションの変更を反映するように、WSD印刷装置204の既存のプリンタ記述データを更新する。
【００６６】
ステップ９において、アプリケーションプログラム212は、GUIデータを求めるリクエストをUIモジュール218に対して行う。ステップ１０において、UIモジュール218は、レジストリ236からプリンタ記述データ238を取得し、要求されたGUIデータを生成する。GUIデータはあるデータを含み、そのデータは、アプリケーションプログラム212により処理されると、WSD印刷装置204がサポートしている機能及び設定をユーザが閲覧及び変更することを可能にする。GUIデータは、例えば、ディスプレイストリングを含む表示データを含み、そのディスプレイストリングは、WSD印刷装置204が現在サポートしている機能及びオプションに対応する。ステップ１１において、UIモジュール218はGUIデータをアプリケーションプログラム212に提供する。印刷ジョブを処理するプロセスは、図３及び４で上述したように行われる。
【００６７】
＜実現手段＞
本発明の一実施例によれば、説明された技法が１つ以上の特定用途コンピュータ装置により実現される。特定用途コンピュータ装置は、本技法を実行するように配線されたものでもよいし、１つ以上の特定用途向け集積回路（ASIC）やフィールドプログラマブルゲートアレイ（FPGA）のような本技法を実行するように永続的にプログラムされたディジタル電子装置を含んでもよいし、ファームウエアのプログラム命令にしたがって本技法を実行するようにプログラムされた１つ以上の汎用ハードウエアプロセッサと、メモリと、その他のストレージとを含んでもよいし又はそれらの組み合わせを含んでもよい。そのような特定用途コンピュータ装置は、特定の配線された論理装置、ASIC又はFPGAを、本技法を実行するように専用にプログラミングして組み合わせてもよい。特定用途コンピュータ装置は、デスクトップコンピュータシステム、ポータブルコンピュータシステム、携帯装置、ネットワーク装置でもよいし、或いは本技法を実行する配線された及び／又はプログラムされた論理装置を組み込んだ他の如何なる装置でもよい。
【００６８】
図７は本発明の実施例で使用されるコンピュータシステム例700のブロック図を示す。コンピュータシステム700は、情報を通信するためのバス702又は他の通信手段と、バス702に結合された情報を処理するプロセッサ704とを有する。コンピュータシステム700は、ランダムアクセスメモリ(RAM)又は他のダイナミックストレージデバイスのようなバス702に結合されたメインメモリ706を有し、メインメモリはプロセッサ704で実行される命令や情報を格納する。メインメモリ706は、プロセッサ704で実行される命令の実行中に、一時的な変数又は他の中間的な情報を格納するのに使用されてもよい。コンピュータシステム700は、バス702に結合されたリードオンリメモリ(ROM)又は他のスタティックストレージデバイスを更に含み、それらはプロセッサ704のための命令や静的な情報を格納する。磁気ディスク又は光ディスクのようなストレージデバイス710は、情報及び命令を格納するために用意されてバス702に結合される。
【００６９】
コンピュータシステム700は、コンピュータユーザに情報を表示するために、陰極線管(CRT)のようなディスプレイ712にバス702を介して結合されてもよい。英数字その他のキーを含む入力装置714は、情報及び命令選択内容をプロセッサ704に通知するためにバス702に結合される。他の種類のユーザ入力装置は、カーソル制御装置716（例えば、マウス、トラックボール、又はカーソル方向キー）であり、指示情報及び命令選択をプロセッサ704に通知し且つディスプレイ712でのカーソルの動きを制御する。この入力装置は典型的には第１軸（例えば、ｘ）及び第２軸（例えば、ｙ）の２軸による２つの自由度を有し、装置が平面上の位置を指定できるようにする。
【００７０】
コンピュータシステム700は、専用に配線された論理装置、１つ以上のASIC又はFPGA、ファームウエア及び／又はプログラム論理装置若しくはコンピュータソフトウエアを用いて、本願で説明された技法を実現してもよく、論理装置等は、コンピュータシステムに組み入れられ、コンピュータシステム700が特定用途の装置となるようにする或いはそのようにプログラムする。本発明の一実施例によれば、これらの技法は、プロセッサ704がメインメモリ706に保存されている１つ以上の命令の１つ以上のシーケンスを実行することにより、コンピュータシステム700において実行される。そのような命令は、ストレージ装置170のような他のコンピュータ読取可能な媒体からメインメモリ706に読み込まれてもよい。メインメモリ706に福間得ている命令シーケンスを実行することで、プロセッサ704に、本願で説明された処理ステップを実行させる。代替例の場合、本発明を実現するソフトウエア命令の代わりに又は追加的に、配線された回路が使用されてもよい。すなわち、本発明の実施例は、ハードウエア回路及びソフトウエアの特定の如何なる組み合わせにも限定されない。
【００７１】
ここで使用されているように「コンピュータ読取可能な媒体」なる用語は、コンピュータが特定の方法で処理を実行することを引き起こすデータを提供することに関与する如何なる媒体にも関連する。コンピュータシステム700を使用する実現例の場合、様々なコンピュータ読取可能な媒体が含まれ、例えば、命令をプロセッサ704へ実行に備えて提供する際に使用される。そのような媒体は多くの形態をとってよく、限定ではないが、不揮発性媒体及び揮発性媒体を含む。不揮発性媒体の具体例は、例えば、ストレージデバイス710のような光学的又は磁気的なディスクを含む。揮発性媒体は、メインメモリ706のようなダイナミックメモリを含む。コンピュータ読取可能な媒体の一般的な形態は、例えば、フロッピディスク、フレキシブルディスク、ハードディスク、磁気テープその他の如何なる磁気媒体；CD-ROMその他の如何なる光媒体；RAM、PROM、EPROM、フラッシュEPROMその他のメモリチップ又はメモリカートリッジ、又はコンピュータが読み取ることの可能な他の如何なる媒体をも含む。
【００７２】
コンピュータ読取可能な様々な形態は、１以上の命令の１以上のシーケンスをプロセッサ704の実行に備えて搬送する際にも適用可能である。例えば命令は初期には遠く離れたリモートコンピュータの磁気ディスクで搬送されてもよい。リモートコンピュータは自身のダイナミックメモリに命令をロードし、モデムを用いて電話回線を介して命令を送信してもよい。コンピュータシステム700付近のモデムは電話回線でそのデータを受信し、赤外線送信機を用いてそのデータを赤外線信号に変換する。赤外線検出器は、赤外線信号で搬送されたデータを受信し、適切な回路がそのデータをバス702に置く。バス702はデータをメインメモリ706に運び、プロセッサ704はメインメモリから命令を抽出して実行する。メインメモリ706で受信された命令は、プロセッサ704で実行される前又は後にストレージデバイス710に選択的に格納されてもよい。
【００７３】
コンピュータシステム700はバス702に結合された通信インターフェース718も含む。通信インターフェース718は、ローカルネットワーク722に接続されたネットワークリンク720に結合する双方向データ通信をもたらす。例えば、通信インターフェース718は、データ通信接続を対応するタイプの電話回線に与える統合サービスディジタルネットワーク(ISDN)カード又はモデムでもよい。別の例では、通信インターフェース718は、データ通信接続をコンパチブルなLANに与えるローカルエリアネットワーク(LAN)カードでもよい。無線リンクが使用されてもよい。どの実現手段でも、通信インターフェース718は、電気的な、電磁的な又は光学的な信号を送信及び受信し、様々なタイプの情報を表現するディジタルデータストリームを運ぶ。
【００７４】
ネットワークリンク720は典型的には１以上のネットワークを介して他のデータ装置とのデータ通信をもたらす。例えば、ネットワークリンク720はローカルネットワーク722を介してホストコンピュータ724とのコネクションを提供する、或いはインターネットサービスプロバイダ(ISP)726により運営されるデータ機器とのコネクションを提供する。そしてISP726はデータ通信サービスをワールドワイドパケットデータ通信ネットワーク(今日、インターネット728として一般に言及されている)を介して提供する。ローカルネットワーク722及びインターネット728の双方は、ディジタルデータストリームを搬送する、電気的な、電磁的な又は光学的な信号を使用する。
【００７５】
コンピュータシステム700は、ネットワーク、ネットワークリンク720及び通信インターフェース718を介して、メッセージを送信し及びプログラムコードを含むデータを受信する。インターネットの例の場合、サーバー730はインターネット728、ISP726、ローカルネットワーク722及び通信インターフェース718を介して、アプリケーションプログラムに関する要求されたコードを送信するかもしれない。プロセッサ704は受信したコードを受信したときに実行してもよいし、及び／又は後の実行に備えてストレージデバイス710又は他の不揮発性ストレージに格納してもよい。
【００７６】
以上の説明では、本発明の実施例が、実施例毎に異なる様々な具体的詳細とともに説明されてきた。本発明に関する独占排他権の指標であって出願人が意図しているものは、特許請求の範囲（出願後の如何なる修正をも含む）に規定されている。したがって、特許請求の範囲で明示的には規定されていない要素、特性、特徴、効果又は属性の如何なるものも、特許請求の範囲を、どのような方法であっても限定するように解釈してはならない。したがって、明細書及び図面は限定的な意味ではなく例示的に解釈される。
【００７７】
＜VIII．付録Ａ−装置機能データの具体例＞
<?xml  version="1.0"?>
<RequestedPrinterElements
xmlns:wprt=http://schemas.microsoft.com/windows/2006/08/wdp/print
xmlns:rodp="http://schemas.Ricoh-Usa.com/wsd/print">
<wprt:PrinterDescription>
<wprt:ColorSupported>true</wprt:ColorSupported>
<wprt:DeviceId>MFG:RICOH;CMD:PJL,RCS,PCL,PCLXL;MDL:Future  Printer
2010;STS:12301/13300/13000/10004,0;CLS:PRINTER;DES:RICOH  Future  Printer
2010;</wprt:DeviceId>
<wprt:MultipleDocumentJobsSupported>false</wprt:MultipleDocumentJobsSupported>
<wprt:PagesPerMinute>0</wprt:PagesPerMinute>
<wprt:PagesPerMinuteColor>0</wprt:PagesPerMinuteColor>
<wprt:PrinterName>RICOH  Future  Printer  2010</wprt:PrinterName>
<wprt:PrinterInfo>No  Setting</wprt:PrinterInfo>
<wprt:PrinterLocation>No  Setting</wprt:PrinterLocation>
</wprt:PrinterDescription>
<wprt:PrinterConfiguration>
<wprt:PrinterEventRate>1</wprt:PrinterEventRate>
<wprt:Storage>
<wprt:StorageEntry  Removed="false"  Name="">
<wprt:Type>HardDisk</wprt:Type>
<wprt:Size>1024</wprt:Size>
<wprt:Free>-1</wprt:Free>
</wprt:StorageEntry>
</wprt:Storage>
<wprt:Consumables>
<wprt:ComsumableEntry  Removed="false"  Name="Black  Toner">
<wprt:Type>Toner</wprt:Type>
<wprt:Color>Black</wprt:Color>
<wprt:Level>70</wprt:Level>
<wprt:Model>Black  Toner</wprt:Model>
</wprt:ComsumableEntry>
<wprt:ComsumableEntry  Removed="false"  Name="Cyan  Toner">
<wprt:Type>Toner</wprt:Type>
<wprt:Color>Cyan</wprt:Color>
<wprt:Level>50</wprt:Level>
<wprt:Model>Cyan  Toner</wprt:Model>
</wprt:ComsumableEntry>
<wprt:ComsumableEntry  Removed="false"  Name="Magenta  Toner">
<wprt:Type>Toner</wprt:Type>
<wprt:Color>Magenta</wprt:Color>
<wprt:Level>80</wprt:Level>
<wprt:Model>Magenta  Toner</wprt:Model>
</wprt:ComsumableEntry>
<wprt:ComsumableEntry  Removed="false"  Name="Yellow  Toner">
<wprt:Type>Toner</wprt:Type>
<wprt:Color>Yellow</wprt:Color>
<wprt:Level>70</wprt:Level>
<wprt:Model>Yellow  Toner</wprt:Model>
</wprt:ComsumableEntry>
</wprt:Consumables>
<wprt:InputBins>
<wprt:InputBinEntry  Name="Tray1">
<wprt:FeedDirection>ShortEdgeFirst</wprt:FeedDirection>
<wprt:MediaSize>Letter</wprt:MediaSize>
<wprt:MediaType>unknown</wprt:MediaType>
<wprt:MediaColor>unknown</wprt:MediaColor>
<wprt:Capacity>550</wprt:Capacity>
<wprt:Level>275</wprt:Level>
</wprt:InputBinEntry>
<wprt:InputBinEntry  Name="Tray2">
<wprt:FeedDirection>LongEdgeFirst</wprt:FeedDirection>
<wprt:MediaSize>unknown</wprt:MediaSize>
<wprt:MediaType>unknown</wprt:MediaType>
<wprt:MediaColor>unknown</wprt:MediaColor>
<wprt:Capacity>550</wprt:Capacity>
<wprt:Level>275</wprt:Level>
</wprt:InputBinEntry>
<wprt:InputBinEntry  Name="unknown">
<wprt:FeedDirection>ShortEdgeFirst</wprt:FeedDirection>
<wprt:MediaSize>Letter</wprt:MediaSize>
<wprt:MediaType>unknown</wprt:MediaType>
<wprt:MediaColor>unknown</wprt:MediaColor>
<wprt:Capacity>2000</wprt:Capacity>
<wprt:Level>0</wprt:Level>
</wprt:InputBinEntry>
<wprt:InputBinEntry  Name="Bypass">
<wprt:FeedDirection>ShortEdgeFirst</wprt:FeedDirection>
<wprt:MediaSize>Letter</wprt:MediaSize>
<wprt:MediaType>unknown</wprt:MediaType>
<wprt:MediaColor>unknown</wprt:MediaColor>
<wprt:Capacity>100</wprt:Capacity>
<wprt:Level>-3</wprt:Level>
</wprt:InputBinEntry>
</wprt:InputBins>
<wprt:Finishings>
<wprt:CollationSupported>true</wprt:CollationSupported>
<wprt:JogOffsetSupported>true</wprt:JogOffsetSupported>
<wprt:DuplexerInstalled>true</wprt:DuplexerInstalled>
<wprt:StaplerInstalled>true</wprt:StaplerInstalled>
<wprt:HolePunchInstalled>true</wprt:HolePunchInstalled>
</wprt:Finishings>
<wprt:OutputBins>
<wprt:OutputBinEntry  Name="InternalTray1">
<wprt:Capacity>500</wprt:Capacity>
<wprt:Level>-1</wprt:Level>
</wprt:OutputBinEntry>
<wprt:OutputBinEntry  Name="ExternalTray">
<wprt:Capacity>100</wprt:Capacity>
<wprt:Level>-1</wprt:Level>
</wprt:OutputBinEntry>
<wprt:OutputBinEntry  Name="FinisherShiftTray1">
<wprt:Capacity>500</wprt:Capacity>
<wprt:Level>-1</wprt:Level>
</wprt:OutputBinEntry>
<wprt:OutputBinEntry  Name="FinisherShiftTray2">
<wprt:Capacity>1500</wprt:Capacity>
<wprt:Level>-1</wprt:Level>
</wprt:OutputBinEntry>
</wprt:OutputBins>
<rodp:RicohPrinterConfiguration>
<rodp:Storage>
<rodp:StorageEntry  StorageName="RAM">
<rodp:DisplayName  xml:lang="en-US">Printer  Memory</rodp:DisplayName>
<rodp:DefaultOption>65536KB</rodp:DefaultOption>
<rodp:ConcealFromUI  ValueType="BOOL">
<rodp:ConcealFromUIValue  Value="TRUE"/>
</rodp:ConcealFromUI>
<rodp:MemoryEntry  Name="65536KB">
<rodp:DisplayName  xml:lang="en-US">64MB</rodp:DisplayName>
<rodp:MemoryConfigKB  ValueType="PAIR">
<rodp:MemoryConfigKBValue  Value="65536"/>
<rodp:MemoryConfigKBValue  Value="56700"/>
</rodp:MemoryConfigKB>
</rodp:MemoryEntry>
</rodp:StorageEntry>
<rodp:StorageEntry  StorageName="HardDisk">
<rodp:DisplayName  xml:lang="en-US">HardDisk</rodp:DisplayName>
<rodp:DefaultOption>Installed</rodp:DefaultOption>
<rodp:ConcealFromUI  ValueType="BOOL">
<rodp:ConcealFromUIValue  Value="TRUE"/>
</rodp:ConcealFromUI>
<rodp:MemoryEntry  Name="Installed">
<rodp:DisplayName  xml:lang="en-US">Installed</rodp:DisplayName>
</rodp:MemoryEntry>
</rodp:StorageEntry>
</rodp:Storage>
<rodp:HolePunchUnit>
<rodp:DisplayName  xml:lang="en-US">Punch  Unit</rodp:DisplayName>
<rodp:DefaultOption>NotInstalled</rodp:DefaultOption>
<rodp:HolePunchUnitEntry  Name="NotInstalled">
<rodp:DisplayName  xml:lang="en-US">Not  Installed</rodp:DisplayName>
</rodp:HolePunchUnitEntry>
<rodp:HolePunchUnitEntry  Name="2and3holes">
<rodp:DisplayName  xml:lang="en-US">2  and  3  holes</rodp:DisplayName>
</rodp:HolePunchUnitEntry>
<rodp:HolePunchUnitEntry  Name="2and4holes">
<rodp:DisplayName  xml:lang="en-US">2  and  4  holes</rodp:DisplayName>
</rodp:HolePunchUnitEntry>
<rodp:HolePunchUnitEntry  Name="2holesJP">
<rodp:DisplayName  xml:lang="en-US">2  holes  type  JP</rodp:DisplayName>
</rodp:HolePunchUnitEntry>
<rodp:HolePunchUnitEntry  Name="4holesEU">
<rodp:DisplayName  xml:lang="en-US">4  holes  type  EU</rodp:DisplayName>
</rodp:HolePunchUnitEntry>
<rodp:HolePunchUnitEntry  Name="4holesNE">
<rodp:DisplayName  xml:lang="en-US">4  holes  type  NE</rodp:DisplayName>
</rodp:HolePunchUnitEntry>
</rodp:HolePunchUnit>
<rodp:Finisher>
<rodp:DisplayName  xml:lang="en-US">Finisher</rodp:DisplayName>
<rodp:DefaultOption>NotInstalled</rodp:DefaultOption>
<rodp:FinisherEntry  Name="NotInstalled">
<rodp:DisplayName  xml:lang="en-US">Not  Installed</rodp:DisplayName>
</rodp:FinisherEntry>
<rodp:FinisherEntry  Name="Finisher2000">
<rodp:DisplayName  xml:lang="en-US">2  Tray  Finisher</rodp:DisplayName>
</rodp:FinisherEntry>
<rodp:FinisherEntry  Name="BookletFinisher">
<rodp:DisplayName  xml:lang="en-US">Booklet  Finisher</rodp:DisplayName>
</rodp:FinisherEntry>
</rodp:Finisher>
<rodp:UVCoating>
<DisplayName  xml:lang="en-US">UVCoatingDisplayName_ENG</DisplayName>
<DisplayName  xml:lang="ja-JP">UVCoatingDisplayName_JP_特徴</DisplayName>
<DisplayName  xml:lang="zh-CN">UVCoatingDisplayName_CN_渡膜</DisplayName>
<rodp:DefaultOption>UVCoatingOption1</rodp:DefaultOption>
<rodp:UVCoatingEntry  Name="UVCoatingOption1">
<DisplayName  xml:lang="en-US">UVCoatingOption1DisplayName_ENG</DisplayName>
<DisplayName  xml:lang="ja-JP">UVCoatingOption1DisplayName_JP_コーティング_オプション_1</DisplayName>
<DisplayName  xml:lang="zh-CN">UVCoatingOption1DisplayName_CN_渡膜_選項1</DisplayName>
</rodp:UVCoatingEntry>
<rodp:UVCoatingEntry  Name="UVCoatingOption2">
<DisplayName  xml:lang="en-US">UVCoatingOption2DisplayName_ENG</DisplayName>
<DisplayName  xml:lang="ja-JP">UVCoatingOption2DisplayName_JP_コーティング_オプション_2</DisplayName>
<DisplayName  xml:lang="zh-CN">UVCoatingOption2DisplayName_CN_渡膜_選項2</DisplayName>
</rodp:UVCoatingEntry>
<rodp:UVCoatingEntry  Name="UVCoatingOption3">
<DisplayName  xml:lang="en-US">UVCoatingOption3DisplayName_ENG</DisplayName>
<DisplayName  xml:lang="ja-JP">UVCoatingOption3DisplayName_JP_コーティング_オプション_3</DisplayName>
<DisplayName  xml:lang="zh-CN">UVCoatingOption3DisplayName_CN_渡膜_選項3</DisplayName>
</rodp:UVCoatingEntry>
</rodp:UVCoating>    
<rodp:LeftTray1and2>
<rodp:DisplayName  xml:lang="en-US">Left  Tray  1  and  2</rodp:DisplayName>
<rodp:DefaultOption>NotInstalled</rodp:DefaultOption>
<rodp:LeftTray1and2Entry  Name="NotInstalled">
<rodp:DisplayName  xml:lang="en-US">Not  Installed</rodp:DisplayName>
</rodp:LeftTray1and2Entry>
<rodp:LeftTray1and2Entry  Name="Installed">
<rodp:DisplayName  xml:lang="en-US">Installed</rodp:DisplayName>
</rodp:LeftTray1and2Entry>
</rodp:LeftTray1and2>
<rodp:InputTray3>
<rodp:DisplayName  xml:lang="en-US">Tray  3</rodp:DisplayName>
<rodp:DefaultOption>NotInstalled</rodp:DefaultOption>
<rodp:InputTray3Entry  Name="NotInstalled">
<rodp:DisplayName  xml:lang="en-US">Not  Installed</rodp:DisplayName>
</rodp:InputTray3Entry>
<rodp:InputTray3Entry  Name="Installed">
<rodp:DisplayName  xml:lang="en-US">Installed</rodp:DisplayName>
</rodp:InputTray3Entry>
</rodp:InputTray3>
<rodp:InputTray4>
<rodp:DisplayName  xml:lang="en-US">Tray  4</rodp:DisplayName>
<rodp:DefaultOption>NotInstalled</rodp:DefaultOption>
<rodp:InputTray4Entry  Name="NotInstalled">
<rodp:DisplayName  xml:lang="en-US">Not  Installed</rodp:DisplayName>
</rodp:InputTray4Entry>
<rodp:InputTray4Entry  Name="Installed">
<rodp:DisplayName  xml:lang="en-US">Installed</rodp:DisplayName>
</rodp:InputTray4Entry>
</rodp:InputTray4>
<rodp:LargeCapacityTray>
<rodp:DisplayName  xml:lang="en-US">Large  Capacity  Tray</rodp:DisplayName>
<rodp:DefaultOption>NotInstalled</rodp:DefaultOption>
<rodp:LargeCapacityTrayEntry  Name="NotInstalled">
<rodp:DisplayName  xml:lang="en-US">Not  Installed</rodp:DisplayName>
</rodp:LargeCapacityTrayEntry>
<rodp:LargeCapacityTrayEntry  Name="Installed">
<rodp:DisplayName  xml:lang="en-US">Installed</rodp:DisplayName>
</rodp:LargeCapacityTrayEntry>
</rodp:LargeCapacityTray>
</rodp:RicohPrinterConfiguration>
</wprt:PrinterConfiguration>
<wprt:PrinterCapabilities>
<wprt:JobValues>
<wprt:JobProcessing>
<wprt:Copies>
<wprt:MinValue>1</wprt:MinValue>
<wprt:MaxValue>999999</wprt:MaxValue>
</wprt:Copies>
<wprt:JobFinishings>
<wprt:Staple>
<wprt:Localtion>
<wprt:AllowedValue>unknown</wprt:AllowedValue>
</wprt:Localtion>
<wprt:Angle>
<wprt:AllowedValue>unknown</wprt:AllowedValue>
</wprt:Angle>
</wprt:Staple>
<wprt:HolePunch>
<wprt:Edge>
<wprt:AllowedValue>unknown</wprt:AllowedValue>
</wprt:Edge>
<wprt:Pattern>
<wprt:AllowedValue>unknown</wprt:AllowedValue>
</wprt:Pattern>
</wprt:HolePunch>
</wprt:JobFinishings>
<wprt:Priority>
<wprt:MinValue>50</wprt:MinValue>
<wprt:MaxValue>50</wprt:MaxValue>
</wprt:Priority>
</wprt:JobProcessing>
<wprt:DocumentProcessing>
<wprt:MediaSizeName>
<wprt:AllowedValue>Letter</wprt:AllowedValue>
<wprt:AllowedValue>unknown</wprt:AllowedValue>
</wprt:MediaSizeName>
<wprt:MediaType>
<wprt:AllowedValue>unknown</wprt:AllowedValue>
</wprt:MediaType>
<wprt:MediaColor>
<wprt:AllowedValue>unknown</wprt:AllowedValue>
</wprt:MediaColor>
<wprt:NumberUp>
<wprt:PagesPerSheet>
<wprt:AllowedValue>1</wprt:AllowedValue>
<wprt:AllowedValue>2</wprt:AllowedValue>
<wprt:AllowedValue>4</wprt:AllowedValue>
<wprt:AllowedValue>9</wprt:AllowedValue>
<wprt:AllowedValue>16</wprt:AllowedValue>
</wprt:PagesPerSheet>
<wprt:Direction>
<wprt:AllowedValue>RightDown</wprt:AllowedValue>
<wprt:AllowedValue>DownRight</wprt:AllowedValue>
<wprt:AllowedValue>LeftDown</wprt:AllowedValue>
<wprt:AllowedValue>DownLeft</wprt:AllowedValue>
</wprt:Direction>
</wprt:NumberUp>
<wprt:Orientation>
<wprt:AllowedValue>Landscape</wprt:AllowedValue>
<wprt:AllowedValue>Portrait</wprt:AllowedValue>
<wprt:AllowedValue>ReverseLandscape</wprt:AllowedValue>
<wprt:AllowedValue>ReversePortrait</wprt:AllowedValue>
</wprt:Orientation>
<wprt:Resolution>
<wprt:AllowedValue>
<wprt:Width>1200</wprt:Width>
<wprt:Height>1200</wprt:Height>
</wprt:AllowedValue>
</wprt:Resolution>
<wprt:PrintQuality>
<wprt:AllowedValue>Normal</wprt:AllowedValue>
</wprt:PrintQuality>
<wprt:Sides>
<wprt:AllowedValue>OneSided</wprt:AllowedValue>
<wprt:AllowedValue>TwoSidedLongEdge</wprt:AllowedValue>
<wprt:AllowedValue>TwoSidedShortEdge</wprt:AllowedValue>
</wprt:Sides>
</wprt:DocumentProcessing>
</wprt:JobValues>
<wprt:DocumentValues>
<wprt:DocumentDescription>
<wprt:Compression>
<wprt:AllowedValue>None</wprt:AllowedValue>
</wprt:Compression>
<wprt:Format>
<wprt:AllowedValue>application/octet-stream</wprt:AllowedValue>
<wprt:AllowedValue>unknown</wprt:AllowedValue>
</wprt:Format>
</wprt:DocumentDescription>
</wprt:DocumentValues>
<rodp:RicohPrinterCapabilities>
<rodp:JobValues>
<rodp:JobProcessing>
<rodp:JobFinishings>
<rodp:Collate>
<rodp:DisplayName  xml:lang="en-US">Collate</rodp:DisplayName>
<rodp:AllowedValue>
<rodp:Option>false</rodp:Option>
<rodp:DisplayName  xml:lang="en-US">OFF</rodp:DisplayName>
</rodp:AllowedValue>
<rodp:AllowedValue>
<rodp:Option>true</rodp:Option>
<rodp:DisplayName  xml:lang="en-US">ON</rodp:DisplayName>
</rodp:AllowedValue>
</rodp:Collate>
<rodp:Staple>
<rodp:DisplayName  xml:lang="en-US">Staple</rodp:DisplayName>
<rodp:AllowedValue>
<rodp:Option>OFF</rodp:Option>
<rodp:DisplayName  xml:lang="en-US">OFF</rodp:DisplayName>
</rodp:AllowedValue>
<rodp:AllowedValue>
<rodp:Option>TopLeft</rodp:Option>
<rodp:DisplayName  xml:lang="en-US">Top  Left</rodp:DisplayName>
</rodp:AllowedValue>
<rodp:AllowedValue>
<rodp:Option>TopRight</rodp:Option>
<rodp:DisplayName  xml:lang="en-US">Top  Right</rodp:DisplayName>
</rodp:AllowedValue>
<rodp:AllowedValue>
<rodp:Option>Left2</rodp:Option>
<rodp:DisplayName  xml:lang="en-US">Left  2</rodp:DisplayName>
</rodp:AllowedValue>
<rodp:AllowedValue>
<rodp:Option>Top2</rodp:Option>
<rodp:DisplayName  xml:lang="en-US">Top  2</rodp:DisplayName>
</rodp:AllowedValue>
<rodp:AllowedValue>
<rodp:Option>Right2</rodp:Option>
<rodp:DisplayName  xml:lang="en-US">Right  2</rodp:DisplayName>
</rodp:AllowedValue>
<rodp:AllowedValue>
<rodp:Option>TopLeftSlant</rodp:Option>
<rodp:DisplayName  xml:lang="en-US">Top  Left  Slant</rodp:DisplayName>
</rodp:AllowedValue>
<rodp:AllowedValue>
<rodp:Option>TopRightSlant</rodp:Option>
<rodp:DisplayName  xml:lang="en-US">Top  Right  Slant</rodp:DisplayName>
</rodp:AllowedValue>
<rodp:AllowedValue>
<rodp:Option>Booklet</rodp:Option>
<rodp:DisplayName  xml:lang="en-US">Booklet</rodp:DisplayName>
</rodp:AllowedValue>
</rodp:Staple>
<rodp:HolePunch>
<rodp:DisplayName  xml:lang="en-US">Punch</rodp:DisplayName>
<rodp:AllowedValue>
<rodp:Option>OFF</rodp:Option>
<rodp:DisplayName  xml:lang="en-US">OFF</rodp:DisplayName>
</rodp:AllowedValue>
<rodp:AllowedValue>
<rodp:Option>Left2</rodp:Option>
<rodp:DisplayName  xml:lang="en-US">Left  2</rodp:DisplayName>
</rodp:AllowedValue>
<rodp:AllowedValue>
<rodp:Option>Top2</rodp:Option>
<rodp:DisplayName  xml:lang="en-US">Top  2</rodp:DisplayName>
</rodp:AllowedValue>
<rodp:AllowedValue>
<rodp:Option>Right2</rodp:Option>
<rodp:DisplayName  xml:lang="en-US">Right  2</rodp:DisplayName>
</rodp:AllowedValue>
<rodp:AllowedValue>
<rodp:Option>Left3</rodp:Option>
<rodp:DisplayName  xml:lang="en-US">Left  3</rodp:DisplayName>
</rodp:AllowedValue>
<rodp:AllowedValue>
<rodp:Option>Top3</rodp:Option>
<rodp:DisplayName  xml:lang="en-US">Top  3</rodp:DisplayName>
</rodp:AllowedValue>
<rodp:AllowedValue>
<rodp:Option>Right3</rodp:Option>
<rodp:DisplayName  xml:lang="en-US">Right  3</rodp:DisplayName>
</rodp:AllowedValue>
<rodp:AllowedValue>
<rodp:Option>Left4</rodp:Option>
<rodp:DisplayName  xml:lang="en-US">Left  4</rodp:DisplayName>
</rodp:AllowedValue>
<rodp:AllowedValue>
<rodp:Option>Top4</rodp:Option>
<rodp:DisplayName  xml:lang="en-US">Top  4</rodp:DisplayName>
</rodp:AllowedValue>
<rodp:AllowedValue>
<rodp:Option>Right4</rodp:Option>
<rodp:DisplayName  xml:lang="en-US">Right  4</rodp:DisplayName>
</rodp:AllowedValue>
</rodp:HolePunch>
</rodp:JobFinishings>
</rodp:JobProcessing>
<rodp:DocumentProcessing>
<rodp:Orientation>
<rodp:DisplayName  xml:lang="en-US">Orientation</rodp:DisplayName>
<rodp:AllowedValue>
<rodp:Option>Landscape</rodp:Option>
<rodp:DisplayName  xml:lang="en-US">Landscape</rodp:DisplayName>
</rodp:AllowedValue>
<rodp:AllowedValue>
<rodp:Option>Portrait</rodp:Option>
<rodp:DisplayName  xml:lang="en-US">Portrait</rodp:DisplayName>
</rodp:AllowedValue>
</rodp:Orientation>
<rodp:Sides>
<rodp:DisplayName  xml:lang="en-US">Print  on  Both  Sides</rodp:DisplayName>
<rodp:AllowedValue>
<rodp:Option>OneSided</rodp:Option>
<rodp:DisplayName  xml:lang="en-US">None</rodp:DisplayName>
</rodp:AllowedValue>
<rodp:AllowedValue>
<rodp:Option>TwoSidedLongEdge</rodp:Option>
<rodp:DisplayName  xml:lang="en-US">Flip  on  long  edge</rodp:DisplayName>
</rodp:AllowedValue>
<rodp:AllowedValue>
<rodp:Option>TwoSidedShortEdge</rodp:Option>
<rodp:DisplayName  xml:lang="en-US">Flip  on  short  edge</rodp:DisplayName>
</rodp:AllowedValue>
</rodp:Sides>
<rodp:Resolution>
<rodp:DisplayName  xml:lang="en-US">Resolution</rodp:DisplayName>
<rodp:AllowedValue>
<rodp:Option>600</rodp:Option>
<rodp:DisplayName  xml:lang="en-US">600dpi</rodp:DisplayName>
</rodp:AllowedValue>
<rodp:AllowedValue>
<rodp:Option>1200</rodp:Option>
<rodp:DisplayName  xml:lang="en-US">1200dpi</rodp:DisplayName>
</rodp:AllowedValue>
</rodp:Resolution>
<rodp:MediaType>
<rodp:DisplayName  xml:lang="en-US">Media</rodp:DisplayName>
<rodp:ConflictPriority  ValueType="INT">
<rodp:ConflictPriorityValue  Value="30"/>
</rodp:ConflictPriority>
<rodp:AllowedValue>
<rodp:Option>Auto</rodp:Option>
<rodp:DisplayName  xml:lang="en-US">Auto  Select</rodp:DisplayName>
</rodp:AllowedValue>
<rodp:AllowedValue>
<rodp:Option>STANDARD</rodp:Option>
<rodp:DisplayName  xml:lang="en-US">Plain  Paper</rodp:DisplayName>
</rodp:AllowedValue>
<rodp:AllowedValue>
<rodp:Option>Recycled</rodp:Option>
<rodp:DisplayName  xml:lang="en-US">Recycled</rodp:DisplayName>
</rodp:AllowedValue>
<rodp:AllowedValue>
<rodp:Option>Special</rodp:Option>
<rodp:DisplayName  xml:lang="en-US">Special</rodp:DisplayName>
</rodp:AllowedValue>
<rodp:AllowedValue>
<rodp:Option>Thick</rodp:Option>
<rodp:DisplayName  xml:lang="en-US">Thick</rodp:DisplayName>
</rodp:AllowedValue>
<rodp:AllowedValue>
<rodp:Option>TRANSPARENCY</rodp:Option>
<rodp:DisplayName  xml:lang="en-US">Transparency</rodp:DisplayName>
</rodp:AllowedValue>
<rodp:AllowedValue>
<rodp:Option>Color</rodp:Option>
<rodp:DisplayName  xml:lang="en-US">Color</rodp:DisplayName>
</rodp:AllowedValue>
<rodp:AllowedValue>
<rodp:Option>Letterhead</rodp:Option>
<rodp:DisplayName  xml:lang="en-US">Letterhead</rodp:DisplayName>
</rodp:AllowedValue>
<rodp:AllowedValue>
<rodp:Option>Preprinted</rodp:Option>
<rodp:DisplayName  xml:lang="en-US">Preprinted</rodp:DisplayName>
</rodp:AllowedValue>
<rodp:AllowedValue>
<rodp:Option>Labels</rodp:Option>
<rodp:DisplayName  xml:lang="en-US">Labels</rodp:DisplayName>
</rodp:AllowedValue>
<rodp:AllowedValue>
<rodp:Option>Plain_Duplex_Backside</rodp:Option>
<rodp:DisplayName  xml:lang="en-US">Plain  (Duplex  Backside)</rodp:DisplayName>
</rodp:AllowedValue>
<rodp:AllowedValue>
<rodp:Option>Thick_Duplex_Backside</rodp:Option>
<rodp:DisplayName  xml:lang="en-US">Thick  (Duplex  Backside)</rodp:DisplayName>
</rodp:AllowedValue>
</rodp:MediaType>
<rodp:MediaSizeName>
<rodp:DisplayName  xml:lang="en-US">Paper  Size</rodp:DisplayName>
<rodp:AllowedValue>
<rodp:Option>na_arch-b_12x18in</rodp:Option>
<rodp:DisplayName  xml:lang="en-US">12x18</rodp:DisplayName>
<rodp:PageDimensions  ValueType="PAIR">
<rodp:PageDimensionsValue  Value="14400"/>
<rodp:PageDimensionsValue  Value="21600"/>
</rodp:PageDimensions>
<rodp:PrintableArea  ValueType="PAIR">
<rodp:PrintableAreaValue  Value="14000"/>
<rodp:PrintableAreaValue  Value="21200"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_ledger_11x17in</rodp:Option>
<rodp:DisplayName  xml:lang="en-US">11X17</rodp:DisplayName>
<rodp:PrintableArea  ValueType="PAIR">
<rodp:PrintableAreaValue  Value="12800"/>
<rodp:PrintableAreaValue  Value="20000"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_legal_8.5x14in</rodp:Option>
<rodp:DisplayName  xml:lang="en-US">LEGAL</rodp:DisplayName>
<rodp:PrintableArea  ValueType="PAIR">
<rodp:PrintableAreaValue  Value="9800"/>
<rodp:PrintableAreaValue  Value="16400"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_letter_8.5x11in</rodp:Option>
<rodp:DisplayName  xml:lang="en-US">LETTER</rodp:DisplayName>
<rodp:PrintableArea  ValueType="PAIR">
<rodp:PrintableAreaValue  Value="9800"/>
<rodp:PrintableAreaValue  Value="12800"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_executive_7.25x10.5in</rodp:Option>
<rodp:DisplayName  xml:lang="en-US">EXECUTIVE</rodp:DisplayName>
<rodp:PrintableArea  ValueType="PAIR">
<rodp:PrintableAreaValue  Value="8300"/>
<rodp:PrintableAreaValue  Value="12200"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_invoice_5.5x8.5in</rodp:Option>
<rodp:DisplayName  xml:lang="en-US">STATEMENT</rodp:DisplayName>
<rodp:PrintableArea  ValueType="PAIR">
<rodp:PrintableAreaValue  Value="6200"/>
<rodp:PrintableAreaValue  Value="9800"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_a3_297x420mm</rodp:Option>
<rodp:DisplayName  xml:lang="en-US">A3</rodp:DisplayName>
<rodp:PrintableArea  ValueType="PAIR">
<rodp:PrintableAreaValue  Value="13628"/>
<rodp:PrintableAreaValue  Value="19440"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_a4_210x297mm</rodp:Option>
<rodp:DisplayName  xml:lang="en-US">A4</rodp:DisplayName>
<rodp:PrintableArea  ValueType="PAIR">
<rodp:PrintableAreaValue  Value="9520"/>
<rodp:PrintableAreaValue  Value="13628"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_a5_148x210mm</rodp:Option>
<rodp:DisplayName  xml:lang="en-US">A5</rodp:DisplayName>
<rodp:PrintableArea  ValueType="PAIR">
<rodp:PrintableAreaValue  Value="6592"/>
<rodp:PrintableAreaValue  Value="9520"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_a6_105x148mm</rodp:Option>
<rodp:DisplayName  xml:lang="en-US">A6</rodp:DisplayName>
<rodp:PageDimensions  ValueType="PAIR">
<rodp:PageDimentsionValue  Value="4956"/>
<rodp:PageDimentsionValue  Value="6996"/>
</rodp:PageDimensions>
<rodp:PrintableArea  ValueType="PAIR">
<rodp:PrintableAreaValue  Value="4560"/>
<rodp:PrintableAreaValue  Value="6592"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>jis_b4_257x364mm</rodp:Option>
<rodp:DisplayName  xml:lang="en-US">B4</rodp:DisplayName>
<rodp:PrintableArea  ValueType="PAIR">
<rodp:PrintableAreaValue  Value="11740"/>
<rodp:PrintableAreaValue  Value="16796"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>jis_b5_182x257mm</rodp:Option>
<rodp:DisplayName  xml:lang="en-US">B5</rodp:DisplayName>
<rodp:PrintableArea  ValueType="PAIR">
<rodp:PrintableAreaValue  Value="8196"/>
<rodp:PrintableAreaValue  Value="11740"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_number-10_4.125x9.5in</rodp:Option>
<rodp:DisplayName  xml:lang="en-US">ENV_10</rodp:DisplayName>
<rodp:PrintableArea  ValueType="PAIR">
<rodp:PrintableAreaValue  Value="4548"/>
<rodp:PrintableAreaValue  Value="11000"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_dl_110x220mm</rodp:Option>
<rodp:DisplayName  xml:lang="en-US">ENV_DL</rodp:DisplayName>
<rodp:PrintableArea  ValueType="PAIR">
<rodp:PrintableAreaValue  Value="4796"/>
<rodp:PrintableAreaValue  Value="9992"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_monarch_3.875x7.5in</rodp:Option>
<rodp:DisplayName  xml:lang="en-US">ENV_MONARCH</rodp:DisplayName>
<rodp:PrintableArea  ValueType="PAIR">
<rodp:PrintableAreaValue  Value="4248"/>
<rodp:PrintableAreaValue  Value="8600"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_c5_162x229mm</rodp:Option>
<rodp:DisplayName  xml:lang="en-US">ENV_C5</rodp:DisplayName>
<rodp:PrintableArea  ValueType="PAIR">
<rodp:PrintableAreaValue  Value="7252"/>
<rodp:PrintableAreaValue  Value="10416"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>iso_c6_114x162mm</rodp:Option>
<rodp:DisplayName  xml:lang="en-US">ENV_C6</rodp:DisplayName>
<rodp:PrintableArea  ValueType="PAIR">
<rodp:PrintableAreaValue  Value="4984"/>
<rodp:PrintableAreaValue  Value="7252"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_foolscap_8.5x13in</rodp:Option>
<rodp:DisplayName  xml:lang="en-US">FOLIO</rodp:DisplayName>
<rodp:PrintableArea  ValueType="PAIR">
<rodp:PrintableAreaValue  Value="9800"/>
<rodp:PrintableAreaValue  Value="15200"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_unknown_8.25x13in</rodp:Option>
<rodp:DisplayName  xml:lang="en-US">8_25x13</rodp:DisplayName>
<rodp:PageDimensions  ValueType="PAIR">
<rodp:PageDimensionsValue  Value="9900"/>
<rodp:PageDimensionsValue  Value="15600"/>
</rodp:PageDimensions>
<rodp:PrintableArea  ValueType="PAIR">
<rodp:PrintableAreaValue  Value="9500"/>
<rodp:PrintableAreaValue  Value="15200"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>na_govt-legal_8x13in</rodp:Option>
<rodp:DisplayName  xml:lang="en-US">8x13</rodp:DisplayName>
<rodp:PageDimensions  ValueType="PAIR">
<rodp:PageDimensionsValue  Value="9600"/>
<rodp:PageDimensionsValue  Value="15600"/>
</rodp:PageDimensions>
<rodp:PrintableArea  ValueType="PAIR">
<rodp:PrintableAreaValue  Value="9200"/>
<rodp:PrintableAreaValue  Value="15200"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>om_pa-kai_267x389mm</rodp:Option>
<rodp:DisplayName  xml:lang="en-US">8kai</rodp:DisplayName>
<rodp:PageDimensions  ValueType="PAIR">
<rodp:PageDimensionsValue  Value="12612"/>
<rodp:PageDimensionsValue  Value="18424"/>
</rodp:PageDimensions>
<rodp:PrintableArea  ValueType="PAIR">
<rodp:PrintableAreaValue  Value="12212"/>
<rodp:PrintableAreaValue  Value="18024"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>prc_16k_146x215mm</rodp:Option>
<rodp:DisplayName  xml:lang="en-US">16kai</rodp:DisplayName>
<rodp:PageDimensions  ValueType="PAIR">
<rodp:PageDimensionsValue  Value="9212"/>
<rodp:PageDimensionsValue  Value="12612"/>
</rodp:PageDimensions>
<rodp:PrintableArea  ValueType="PAIR">
<rodp:PrintableAreaValue  Value="8812"/>
<rodp:PrintableAreaValue  Value="12212"/>
</rodp:PrintableArea>
<rodp:PrintableOrigin  ValueType="PAIR">
<rodp:PrintableOriginValue  Value="200"/>
<rodp:PrintableOriginValue  Value="200"/>
</rodp:PrintableOrigin>
</rodp:AllowedValue>
<rodp:AllowedValue>
<rodp:Option>custom_papersize</rodp:Option>
<rodp:DisplayName  xml:lang="en-US">CUSTOMSIZE</rodp:DisplayName>
<rodp:MinSize  ValueType="PAIR">
<rodp:MinSizeValue  Value="4251"/>
<rodp:MinSizeValue  Value="6992"/>
</rodp:MinSize>
<rodp:MaxSize  ValueType="PAIR">
<rodp:MaxSizeValue  Value="14412"/>
<rodp:MaxSizeValue  Value="28346"/>
</rodp:MaxSize>
<rodp:MaxPrintableWidth  ValueType="INT">
<rodp:MaxPrintableWidthValue  Value="14412"/>
</rodp:MaxPrintableWidth>
<rodp:MinLeftMargin  ValueType="INT">
<rodp:MinLeftMarginValue  Value="200"/>
</rodp:MinLeftMargin>
<rodp:TopMargin  ValueType="INT">
<rodp:TopMarginValue  Value="200"/>
</rodp:TopMargin>
<rodp:BottomMargin  ValueType="INT">
<rodp:BottomMarginValue  Value="200"/>
</rodp:BottomMargin>
</rodp:AllowedValue>
</rodp:MediaSizeName>
</rodp:DocumentProcessing>
<rodp:RicohPrinterSettings>
<rodp:ColorMode>
<rodp:DisplayName  xml:lang="en-US">Color  Mode</rodp:DisplayName>
<rodp:AllowedValue>
<rodp:Option>24bpp</rodp:Option>
<rodp:DisplayName  xml:lang="en-US">True  Color  (24BPP)</rodp:DisplayName>
</rodp:AllowedValue>
<rodp:AllowedValue>
<rodp:Option>Mono</rodp:Option>
<rodp:DisplayName  xml:lang="en-US">Monochrome</rodp:DisplayName>
</rodp:AllowedValue>
</rodp:ColorMode>
<rodp:Dither>
<rodp:DisplayName  xml:lang="en-US">Dither</rodp:DisplayName>
<rodp:AllowedValue>
<rodp:Option>High</rodp:Option>
<rodp:DisplayName  xml:lang="en-US">High</rodp:DisplayName>
</rodp:AllowedValue>
<rodp:AllowedValue>
<rodp:Option>Low</rodp:Option>
<rodp:DisplayName  xml:lang="en-US">Low</rodp:DisplayName>
</rodp:AllowedValue>
</rodp:Dither>
<rodp:SlipSheet>
<rodp:DisplayName  xml:lang="en-US">Slip  Sheet</rodp:DisplayName>
<rodp:ConflictPriority  ValueType="INT">
<rodp:ConflictPriorityValue  Value="10"/>
</rodp:ConflictPriority>
<rodp:AllowedValue>
<rodp:Option>OFF</rodp:Option>
<rodp:DisplayName  xml:lang="en-US">Off</rodp:DisplayName>
</rodp:AllowedValue>
<rodp:AllowedValue>
<rodp:Option>ON</rodp:Option>
<rodp:DisplayName  xml:lang="en-US">On</rodp:DisplayName>
</rodp:AllowedValue>
</rodp:SlipSheet>
<rodp:SlipSheetInputBin>
<rodp:DisplayName  xml:lang="en-US">Slip  Sheet  Paper  Source</rodp:DisplayName>
<rodp:AllowedValue>
<rodp:Option>Bypass</rodp:Option>
<rodp:DisplayName  xml:lang="en-US">Bypass  Tray</rodp:DisplayName>
</rodp:AllowedValue>
<rodp:AllowedValue>
<rodp:Option>Tray1</rodp:Option>
<rodp:DisplayName  xml:lang="en-US">Tray  1</rodp:DisplayName>
</rodp:AllowedValue>
<rodp:AllowedValue>
<rodp:Option>Tray2</rodp:Option>
<rodp:DisplayName  xml:lang="en-US">Tray  2</rodp:DisplayName>
</rodp:AllowedValue>
<rodp:AllowedValue>
<rodp:Option>Tray3</rodp:Option>
<rodp:DisplayName  xml:lang="en-US">Tray  3</rodp:DisplayName>
</rodp:AllowedValue>
<rodp:AllowedValue>
<rodp:Option>Tray4</rodp:Option>
<rodp:DisplayName  xml:lang="en-US">Tray  4</rodp:DisplayName>
</rodp:AllowedValue>
<rodp:AllowedValue>
<rodp:Option>LargeCapacity</rodp:Option>
<rodp:DisplayName  xml:lang="en-US">Large  Capacity  Tray</rodp:DisplayName>
</rodp:AllowedValue>
</rodp:SlipSheetInputBin>
<rodp:InputBins>
<rodp:DisplayName  xml:lang="en-US">Paper  Source</rodp:DisplayName>
<rodp:ConflictPriority  ValueType="INT">
<rodp:ConflictPriorityValue  Value="20"/>
</rodp:ConflictPriority>
<rodp:AllowedValue>
<rodp:Option>AUTO</rodp:Option>
<rodp:DisplayName  xml:lang="en-US">Auto  Select  by  Printer</rodp:DisplayName>
</rodp:AllowedValue>
<rodp:AllowedValue>
<rodp:Option>Bypass</rodp:Option>
<rodp:DisplayName  xml:lang="en-US">Bypass  Tray</rodp:DisplayName>
</rodp:AllowedValue>
<rodp:AllowedValue>
<rodp:Option>Tray1</rodp:Option>
<rodp:DisplayName  xml:lang="en-US">Tray  1</rodp:DisplayName>
</rodp:AllowedValue>
<rodp:AllowedValue>
<rodp:Option>Tray2</rodp:Option>
<rodp:DisplayName  xml:lang="en-US">Tray  2</rodp:DisplayName>
</rodp:AllowedValue>
<rodp:AllowedValue>
<rodp:Option>Tray3</rodp:Option>
<rodp:DisplayName  xml:lang="en-US">Tray  3</rodp:DisplayName>
</rodp:AllowedValue>
<rodp:AllowedValue>
<rodp:Option>Tray4</rodp:Option>
<rodp:DisplayName  xml:lang="en-US">Tray  4</rodp:DisplayName>
</rodp:AllowedValue>
<rodp:AllowedValue>
<rodp:Option>LargeCapacity</rodp:Option>
<rodp:DisplayName  xml:lang="en-US">Large  Capacity  Tray</rodp:DisplayName>
</rodp:AllowedValue>
</rodp:InputBins>
<rodp:OutputBins>
<rodp:DisplayName  xml:lang="en-US">Output  Bin</rodp:DisplayName>
<rodp:AllowedValue>
<rodp:Option>PrinterDefault</rodp:Option>
<rodp:DisplayName  xml:lang="en-US">Printer  Default</rodp:DisplayName>
</rodp:AllowedValue>
<rodp:AllowedValue>
<rodp:Option>StandardTray</rodp:Option>
<rodp:DisplayName  xml:lang="en-US">Standard  Tray</rodp:DisplayName>
</rodp:AllowedValue>
<rodp:AllowedValue>
<rodp:Option>ExternalTray</rodp:Option>
<rodp:DisplayName  xml:lang="en-US">External  Tray</rodp:DisplayName>
</rodp:AllowedValue>
<rodp:AllowedValue>
<rodp:Option>FinisherShiftTray1</rodp:Option>
<rodp:DisplayName  xml:lang="en-US">Finisher  Shift  Tray  1</rodp:DisplayName>
</rodp:AllowedValue>
<rodp:AllowedValue>
<rodp:Option>FinisherShiftTray2</rodp:Option>
<rodp:DisplayName  xml:lang="en-US">Finisher  Shift  Tray  2</rodp:DisplayName>
</rodp:AllowedValue>
<rodp:AllowedValue>
<rodp:Option>FinisherShiftTray</rodp:Option>
<rodp:DisplayName  xml:lang="en-US">Finisher  Shift  Tray</rodp:DisplayName>
</rodp:AllowedValue>
<rodp:AllowedValue>
<rodp:Option>FinisherBookletTray</rodp:Option>
<rodp:DisplayName  xml:lang="en-US">Booklet  Finisher  Tray</rodp:DisplayName>
</rodp:AllowedValue>
<rodp:AllowedValue>
<rodp:Option>LeftTray1</rodp:Option>
<rodp:DisplayName  xml:lang="en-US">Left  Tray  1</rodp:DisplayName>
</rodp:AllowedValue>
<rodp:AllowedValue>
<rodp:Option>LeftTray2</rodp:Option>
<rodp:DisplayName  xml:lang="en-US">Left  Tray  2</rodp:DisplayName>
</rodp:AllowedValue>
</rodp:OutputBins>
</rodp:RicohPrinterSettings>
</rodp:JobValues>
</rodp:RicohPrinterCapabilities>
</wprt:PrinterCapabilities>
<wprt:DefaultPrintTicket>
<wprt:JobDescription>
<wprt:JobName>DefaultJob</wprt:JobName>
<wprt:JobOriginatingUserName>DefaultUser</wprt:JobOriginatingUserName>
</wprt:JobDescription>
<wprt:JobProcessing>
<wprt:Copies>1</wprt:Copies>
<wprt:JobFinishings>
<wprt:Collate>false</wprt:Collate>
<wprt:JogOffset>false</wprt:JogOffset>
<wprt:Staple>
<wprt:Location>unknown</wprt:Location>
<wprt:Angle>unknown</wprt:Angle>
</wprt:Staple>
<wprt:HolePunch>
<wprt:Edge>unknown</wprt:Edge>
<wprt:Pattern>unknown</wprt:Pattern>
</wprt:HolePunch>
</wprt:JobFinishings>
<wprt:Priority>50</wprt:Priority>
</wprt:JobProcessing>
<wprt:DocumentProcessing>
<wprt:MediaSizeName>na_letter_8.5x11in</wprt:MediaSizeName>
<wprt:MediaType>Auto</wprt:MediaType>
<wprt:MediaColor>unknown</wprt:MediaColor>
<wprt:NumberUp>
<wprt:PagesPerSheet>1</wprt:PagesPerSheet>
<wprt:Direction>RightDown</wprt:Direction>
</wprt:NumberUp>
<wprt:Orientation>Portrait</wprt:Orientation>
<wprt:Resolution>
<wprt:Width>600</wprt:Width>
<wprt:Height>600</wprt:Height>
</wprt:Resolution>
<wprt:PrintQuality>Normal</wprt:PrintQuality>
<wprt:Sides>OneSided</wprt:Sides>
</wprt:DocumentProcessing>
<rodp:RicohDefaultPrintTicket>
<rodp:JobProcessing>
<rodp:JobType>Normal</rodp:JobType>
<rodp:LogEnabled>Disabled</rodp:LogEnabled>
<rodp:UserName>DefaultUser</rodp:UserName>
<rodp:JobID>DefaultJobID</rodp:JobID>
<rodp:Password>Password</rodp:Password>
<rodp:UserCode>UserDode</rodp:UserCode>
<rodp:JobName>DefaultJob</rodp:JobName>
<rodp:JobFinishings>
<rodp:Staple>OFF</rodp:Staple>
<rodp:HolePunch>OFF</rodp:HolePunch>
</rodp:JobFinishings>
</rodp:JobProcessing>
<rodp:DocumentProcessing/>
<rodp:RicohPrinterSettings>
<rodp:ColorMode>24bpp</rodp:ColorMode>
<rodp:Dither>High</rodp:Dither>
<rodp:InputBins>AUTO</rodp:InputBins>
<rodp:OutputBins>PrinterDefault</rodp:OutputBins>
<rodp:SlipSheet>OFF</rodp:SlipSheet>
<rodp:SlipSheetInputBin>Bypass</rodp:SlipSheetInputBin>
</rodp:RicohPrinterSettings>
</rodp:RicohDefaultPrintTicket>
</wprt:DefaultPrintTicket>
<wprt:RicohExtensionData>
<rodp:RicohExtensionData>
<rodp:DeviceCategory  Category="RicohWSDPrototype"/>
<rodp:PDLHeader>
<rodp:PrintRateUnit  ValueType="DEF">
<rodp:PrintRateUnitValue  Value="PPM"/>
</rodp:PrintRateUnit>
<rodp:MasterUnits  ValueType="PAIR">
<rodp:MasterUnitsValue  Value="1200"/>
<rodp:MasterUnitsValue  Value="1200"/>
</rodp:MasterUnits>
<rodp:PrinterType  ValueType="DEF">
<rodp:PrinterTypeValue  Value="PAGE"/>
</rodp:PrinterType>
<rodp:Define  ValueType="DEF">
<rodp:DefineValue  Value="RI_COLOR"/>
</rodp:Define>
</rodp:PDLHeader>
<rodp:PDLOptionalHeader>
<rodp:Support8CharPassword>
<rodp:DisplayName  xml:lang="en-US">Support8CharPassword</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:Support8CharPassword>
<rodp:SupportDocUiReplace>
<rodp:DisplayName  xml:lang="en-US">SupportDocUiReplace</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportDocUiReplace>
<rodp:AutoConfig>
<rodp:DisplayName  xml:lang="en-US">AutoConfig</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:AutoConfig>
<rodp:SupportSamplePrint>
<rodp:DisplayName  xml:lang="en-US">SupportSamplePrint</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportSamplePrint>
<rodp:SupportSecurePrint>
<rodp:DisplayName  xml:lang="en-US">SupportSecurePrint</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportSecurePrint>
<rodp:SupportHoldPrint>
<rodp:DisplayName  xml:lang="en-US">SupportHoldPrint</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportHoldPrint>
<rodp:SupportStoredPrint>
<rodp:DisplayName  xml:lang="en-US">SupportStoredPrint</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportStoredPrint>
<rodp:SupportDocumentBox>
<rodp:DisplayName  xml:lang="en-US">SupportDocumentBox</rodp:DisplayName>
<rodp:ConcealFromUI  ValueType="BOOL">
<rodp:ConcealFromUIValue  Value="TRUE"/>
</rodp:ConcealFromUI>
<rodp:DefaultOption>ON</rodp:DefaultOption>
<rodp:AllowedValue>
<rodp:Option>ON</rodp:Option>
<rodp:DisplayName  xml:lang="en-US">ON</rodp:DisplayName>
</rodp:AllowedValue>
</rodp:SupportDocumentBox>
</rodp:PDLOptionalHeader>
<rodp:DisplayOrder>
<rodp:DeviceFeature  Value="InputTray3"/>
<rodp:DeviceFeature  Value="InputTray4"/>
<rodp:DeviceFeature  Value="LargeCapacityTray"/>
<rodp:DeviceFeature  Value="LeftTray1and2"/>
<rodp:DeviceFeature  Value="Finisher"/>
<rodp:DeviceFeature  Value="HolePunchUnit"/>
<rodp:DeviceFeature  Value="MediaSizeName"/>
<rodp:DeviceFeature  Value="MediaType"/>
<rodp:DeviceFeature  Value="InputBins"/>
<rodp:DeviceFeature  Value="SlipSheet"/>
<rodp:DeviceFeature  Value="SlipSheetInputBin"/>
<rodp:DeviceFeature  Value="OutputBins"/>
<rodp:DeviceFeature  Value="Staple"/>
<rodp:DeviceFeature  Value="HolePunch"/>
<rodp:DeviceFeature  Value="Orientation"/>
<rodp:DeviceFeature  Value="Sides"/>
<rodp:DeviceFeature  Value="Resolution"/>
<rodp:DeviceFeature  Value="TrueTypeFormat"/>
<rodp:DeviceFeature  Value="ColorMode"/>
</rodp:DisplayOrder>
<rodp:DeviceConstraints>
<rodp:FeatureConstraint  Feature="Finisher"  Option="NotInstalled">
<rodp:Constraints>
<rodp:Constraint  Feature="OutputBins"  Option="FinisherShiftTray1"/>
<rodp:Constraint  Feature="OutputBins"  Option="FinisherShiftTray2"/>
<rodp:Constraint  Feature="OutputBins"  Option="FinisherShiftTray"/>
<rodp:Constraint  Feature="OutputBins"  Option="FinisherBookletTray"/>
<rodp:Constraint  Feature="HolePunchUnit"  Option="2and3holes"/>
<rodp:Constraint  Feature="HolePunchUnit"  Option="2and4holes"/>
<rodp:Constraint  Feature="HolePunchUnit"  Option="2holesJP"/>
<rodp:Constraint  Feature="HolePunchUnit"  Option="4holesEU"/>
<rodp:Constraint  Feature="HolePunchUnit"  Option="4holesNE"/>
</rodp:Constraints>
</rodp:FeatureConstraint>
<rodp:FeatureConstraint  Feature="Finisher"  Option="Finisher2000">
<rodp:Constraints>
<rodp:Constraint  Feature="LeftTray1and2"  Option="Installed"/>
<rodp:Constraint  Feature="HolePunchUnit"  Option="2holesJP"/>
<rodp:Constraint  Feature="HolePunchUnit"  Option="4holesEU"/>
<rodp:Constraint  Feature="OutputBins"  Option="FinisherShiftTray"/>
<rodp:Constraint  Feature="OutputBins"  Option="FinisherBookletTray"/>
<rodp:Constraint  Feature="OutputBins"  Option="LeftTray1"/>
<rodp:Constraint  Feature="OutputBins"  Option="LeftTray2"/>
</rodp:Constraints>
</rodp:FeatureConstraint>
<rodp:FeatureConstraint  Feature="Finisher"  Option="BookletFinisher">
<rodp:Constraints>
<rodp:Constraint  Feature="LeftTray1and2"  Option="Installed"/>
<rodp:Constraint  Feature="HolePunchUnit"  Option="2and4holes"/>
<rodp:Constraint  Feature="OutputBins"  Option="FinisherShiftTray1"/>
<rodp:Constraint  Feature="OutputBins"  Option="FinisherShiftTray2"/>
<rodp:Constraint  Feature="OutputBins"  Option="LeftTray1"/>
<rodp:Constraint  Feature="OutputBins"  Option="LeftTray2"/>
</rodp:Constraints>
</rodp:FeatureConstraint>
<rodp:FeatureConstraint  Feature="LeftTray1and2"  Option="NotInstalled">
<rodp:Constraints>
<rodp:Constraint  Feature="OutputBins"  Option="LeftTray1"/>
<rodp:Constraint  Feature="OutputBins"  Option="LeftTray2"/>
</rodp:Constraints>
</rodp:FeatureConstraint>
<rodp:FeatureConstraint  Feature="LeftTray1and2"  Option="Installed">
<rodp:Constraints>
<rodp:Constraint  Feature="HolePunchUnit"  Option="2holesJP"/>
<rodp:Constraint  Feature="HolePunchUnit"  Option="4holesEU"/>
<rodp:Constraint  Feature="HolePunchUnit"  Option="4holesNE"/>
<rodp:Constraint  Feature="HolePunchUnit"  Option="2and3holes"/>
<rodp:Constraint  Feature="HolePunchUnit"  Option="2and4holes"/>
<rodp:Constraint  Feature="OutputBins"  Option="FinisherShiftTray1"/>
<rodp:Constraint  Feature="OutputBins"  Option="FinisherShiftTray2"/>
<rodp:Constraint  Feature="OutputBins"  Option="FinisherShiftTray"/>
<rodp:Constraint  Feature="OutputBins"  Option="FinisherBookletTray"/>
</rodp:Constraints>
</rodp:FeatureConstraint>
<rodp:FeatureConstraint  Feature="InputTray4"  Option="Installed">
<rodp:Constraints>
<rodp:Constraint  Feature="InputTray3"  Option="NotInstalled"/>
</rodp:Constraints>
</rodp:FeatureConstraint>
<rodp:FeatureConstraint  Feature="HolePunchUnit"  Option="NotInstalled">
<rodp:Constraints>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:FeatureConstraint  Feature="HolePunchUnit"  Option="2and3holes">
<rodp:Constraints>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:FeatureConstraint  Feature="HolePunchUnit"  Option="2and4holes">
<rodp:Constraints>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
</rodp:Constraints>
</rodp:FeatureConstraint>
<rodp:FeatureConstraint  Feature="HolePunchUnit"  Option="2holesJP">
<rodp:Constraints>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
</rodp:Constraints>
</rodp:FeatureConstraint>
<rodp:FeatureConstraint  Feature="HolePunchUnit"  Option="4holesEU">
<rodp:Constraints>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
</rodp:Constraints>
</rodp:FeatureConstraint>
<rodp:FeatureConstraint  Feature="HolePunchUnit"  Option="4holesNE">
<rodp:Constraints>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
</rodp:Constraints>
</rodp:FeatureConstraint>
<rodp:FeatureConstraint  Feature="OutputBins"  Option="StandardTray">
<rodp:DisabledFeatures  ValueType="LIST">
<rodp:DisabledFeature  Value="Staple"/>
</rodp:DisabledFeatures>
<rodp:DisabledFeatures  ValueType="LIST">
<rodp:DisabledFeature  Value="HolePunch"/>
</rodp:DisabledFeatures>
<rodp:Constraints>
<rodp:Constraint  Feature="Staple"  Option="TopLeft"/>
<rodp:Constraint  Feature="Staple"  Option="TopLeftSlant"/>
<rodp:Constraint  Feature="Staple"  Option="TopRight"/>
<rodp:Constraint  Feature="Staple"  Option="TopRightSlant"/>
<rodp:Constraint  Feature="Staple"  Option="Top2"/>
<rodp:Constraint  Feature="Staple"  Option="Left2"/>
<rodp:Constraint  Feature="Staple"  Option="Right2"/>
<rodp:Constraint  Feature="Staple"  Option="Booklet"/>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:FeatureConstraint  Feature="OutputBins"  Option="ExternalTray">
<rodp:DisabledFeatures  ValueType="LIST">
<rodp:DisabledFeature  Value="Staple"/>
</rodp:DisabledFeatures>
<rodp:DisabledFeatures  ValueType="LIST">
<rodp:DisabledFeature  Value="HolePunch"/>
</rodp:DisabledFeatures>
<rodp:Constraints>
<rodp:Constraint  Feature="Staple"  Option="TopLeft"/>
<rodp:Constraint  Feature="Staple"  Option="TopLeftSlant"/>
<rodp:Constraint  Feature="Staple"  Option="TopRight"/>
<rodp:Constraint  Feature="Staple"  Option="TopRightSlant"/>
<rodp:Constraint  Feature="Staple"  Option="Top2"/>
<rodp:Constraint  Feature="Staple"  Option="Left2"/>
<rodp:Constraint  Feature="Staple"  Option="Right2"/>
<rodp:Constraint  Feature="Staple"  Option="Booklet"/>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
<rodp:Constraint  Feature="Sides"  Option="TwoSidedLongEdge"/>
<rodp:Constraint  Feature="Sides"  Option="TwoSidedShortEdge"/>
</rodp:Constraints>
</rodp:FeatureConstraint>
<rodp:FeatureConstraint  Feature="OutputBins"  Option="FinisherShiftTray1">
<rodp:Constraints>
<rodp:Constraint  Feature="Staple"  Option="Booklet"/>
</rodp:Constraints>
</rodp:FeatureConstraint>
<rodp:FeatureConstraint  Feature="OutputBins"  Option="FinisherShiftTray2">
<rodp:Constraints>
<rodp:Constraint  Feature="Staple"  Option="Booklet"/>
</rodp:Constraints>
</rodp:FeatureConstraint>
<rodp:FeatureConstraint  Feature="OutputBins"  Option="FinisherShiftTray">
<rodp:Constraints>
<rodp:Constraint  Feature="Staple"  Option="Booklet"/>
</rodp:Constraints>
</rodp:FeatureConstraint>
<rodp:FeatureConstraint  Feature="OutputBins"  Option="FinisherBookletTray">
<rodp:DisabledFeatures  ValueType="LIST">
<rodp:DisabledFeature  Value="HolePunch"/>
</rodp:DisabledFeatures>
<rodp:Constraints>
<rodp:Constraint  Feature="Staple"  Option="TopLeft"/>
<rodp:Constraint  Feature="Staple"  Option="TopLeftSlant"/>
<rodp:Constraint  Feature="Staple"  Option="TopRight"/>
<rodp:Constraint  Feature="Staple"  Option="TopRightSlant"/>
<rodp:Constraint  Feature="Staple"  Option="Top2"/>
<rodp:Constraint  Feature="Staple"  Option="Left2"/>
<rodp:Constraint  Feature="Staple"  Option="Right2"/>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:FeatureConstraint  Feature="OutputBins"  Option="LeftTray1">
<rodp:DisabledFeatures  ValueType="LIST">
<rodp:DisabledFeature  Value="Staple"/>
</rodp:DisabledFeatures>
<rodp:DisabledFeatures  ValueType="LIST">
<rodp:DisabledFeature  Value="HolePunch"/>
</rodp:DisabledFeatures>
<rodp:Constraints>
<rodp:Constraint  Feature="Staple"  Option="TopLeft"/>
<rodp:Constraint  Feature="Staple"  Option="TopLeftSlant"/>
<rodp:Constraint  Feature="Staple"  Option="TopRight"/>
<rodp:Constraint  Feature="Staple"  Option="TopRightSlant"/>
<rodp:Constraint  Feature="Staple"  Option="Top2"/>
<rodp:Constraint  Feature="Staple"  Option="Left2"/>
<rodp:Constraint  Feature="Staple"  Option="Right2"/>
<rodp:Constraint  Feature="Staple"  Option="Booklet"/>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:FeatureConstraint  Feature="OutputBins"  Option="LeftTray2">
<rodp:DisabledFeatures  ValueType="LIST">
<rodp:DisabledFeature  Value="Staple"/>
</rodp:DisabledFeatures>
<rodp:DisabledFeatures  ValueType="LIST">
<rodp:DisabledFeature  Value="HolePunch"/>
</rodp:DisabledFeatures>
<rodp:Constraints>
<rodp:Constraint  Feature="Staple"  Option="TopLeft"/>
<rodp:Constraint  Feature="Staple"  Option="TopLeftSlant"/>
<rodp:Constraint  Feature="Staple"  Option="TopRight"/>
<rodp:Constraint  Feature="Staple"  Option="TopRightSlant"/>
<rodp:Constraint  Feature="Staple"  Option="Top2"/>
<rodp:Constraint  Feature="Staple"  Option="Left2"/>
<rodp:Constraint  Feature="Staple"  Option="Right2"/>
<rodp:Constraint  Feature="Staple"  Option="Booklet"/>
<rodp:Constraint  Feature="HolePunch"  Option="Left2"/>
<rodp:Constraint  Feature="HolePunch"  Option="Top2"/>
<rodp:Constraint  Feature="HolePunch"  Option="Right2"/>
<rodp:Constraint  Feature="HolePunch"  Option="Left3"/>
<rodp:Constraint  Feature="HolePunch"  Option="Top3"/>
<rodp:Constraint  Feature="HolePunch"  Option="Right3"/>
<rodp:Constraint  Feature="HolePunch"  Option="Left4"/>
<rodp:Constraint  Feature="HolePunch"  Option="Top4"/>
<rodp:Constraint  Feature="HolePunch"  Option="Right4"/>
</rodp:Constraints>
</rodp:FeatureConstraint>
<rodp:GlobalConstraints>
<rodp:InvalidCombinations>
<rodp:InvalidCombination  Feature="InputBins"  Option="Tray1"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="InputBins"  Option="Tray1"/>
<rodp:InvalidCombination  Feature="MediaType"  Option="Thick"/>
</rodp:InvalidCombinations>
<rodp:InvalidCombinations>
<rodp:InvalidCombination  Feature="InputBins"  Option="Tray1"/>
<rodp:InvalidCombination  Feature="MediaType"  Option="Labels"/>
</rodp:InvalidCombinations>
<rodp:InvalidCombinations>
<rodp:InvalidCombination  Feature="InputBins"  Option="Tray1"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="InputBins"  Option="Tray1"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="InputBins"  Option="Tray2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="InputBins"  Option="Tray2"/>
<rodp:InvalidCombination  Feature="MediaType"  Option="Thick"/>
</rodp:InvalidCombinations>
<rodp:InvalidCombinations>
<rodp:InvalidCombination  Feature="InputBins"  Option="Tray2"/>
<rodp:InvalidCombination  Feature="MediaType"  Option="Labels"/>
</rodp:InvalidCombinations>
<rodp:InvalidCombinations>
<rodp:InvalidCombination  Feature="InputBins"  Option="Tray2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="InputBins"  Option="Tray2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="InputBins"  Option="Tray3"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="InputBins"  Option="Tray3"/>
<rodp:InvalidCombination  Feature="MediaType"  Option="Thick"/>
</rodp:InvalidCombinations>
<rodp:InvalidCombinations>
<rodp:InvalidCombination  Feature="InputBins"  Option="Tray3"/>
<rodp:InvalidCombination  Feature="MediaType"  Option="Labels"/>
</rodp:InvalidCombinations>
<rodp:InvalidCombinations>
<rodp:InvalidCombination  Feature="InputBins"  Option="Tray3"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="InputBins"  Option="Tray3"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="InputBins"  Option="Tray4"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="InputBins"  Option="Tray4"/>
<rodp:InvalidCombination  Feature="MediaType"  Option="Thick"/>
</rodp:InvalidCombinations>
<rodp:InvalidCombinations>
<rodp:InvalidCombination  Feature="InputBins"  Option="Tray4"/>
<rodp:InvalidCombination  Feature="MediaType"  Option="Labels"/>
</rodp:InvalidCombinations>
<rodp:InvalidCombinations>
<rodp:InvalidCombination  Feature="InputBins"  Option="Tray4"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="InputBins"  Option="Tray4"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="InputBins"  Option="LARGECAPACITY"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="InputBins"  Option="LARGECAPACITY"/>
<rodp:InvalidCombination  Feature="MediaType"  Option="Thick"/>
</rodp:InvalidCombinations>
<rodp:InvalidCombinations>
<rodp:InvalidCombination  Feature="InputBins"  Option="LARGECAPACITY"/>
<rodp:InvalidCombination  Feature="MediaType"  Option="Labels"/>
</rodp:InvalidCombinations>
<rodp:InvalidCombinations>
<rodp:InvalidCombination  Feature="InputBins"  Option="LARGECAPACITY"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="InputBins"  Option="LARGECAPACITY"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="InputTray3"  Option="NotInstalled"/>
<rodp:InvalidCombination  Feature="InputBins"  Option="Tray3"/>
</rodp:InvalidCombinations>
<rodp:InvalidCombinations>
<rodp:InvalidCombination  Feature="InputTray4"  Option="NotInstalled"/>
<rodp:InvalidCombination  Feature="InputBins"  Option="Tray4"/>
</rodp:InvalidCombinations>
<rodp:InvalidCombinations>
<rodp:InvalidCombination  Feature="LargeCapacityTray"  Option="NotInstalled"/>
<rodp:InvalidCombination  Feature="InputBins"  Option="LARGECAPACITY"/>
</rodp:InvalidCombinations>
<rodp:InvalidCombinations>
<rodp:InvalidCombination  Feature="InputTray3"  Option="NotInstalled"/>
<rodp:InvalidCombination  Feature="SlipSheetInputBin"  Option="Tray3"/>
</rodp:InvalidCombinations>
<rodp:InvalidCombinations>
<rodp:InvalidCombination  Feature="InputTray4"  Option="NotInstalled"/>
<rodp:InvalidCombination  Feature="SlipSheetInputBin"  Option="Tray4"/>
</rodp:InvalidCombinations>
<rodp:InvalidCombinations>
<rodp:InvalidCombination  Feature="LargeCapacityTray"  Option="NotInstalled"/>
<rodp:InvalidCombination  Feature="SlipSheetInputBin"  Option="LARGECAPACITY"/>
</rodp:InvalidCombinations>
<rodp:InvalidCombinations>
<rodp:InvalidCombination  Feature="InputBins"  Option="BypassTray"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="InputBins"  Option="BypassTray"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="TopLeft"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="TopRight"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="Top2"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="Left2"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="Right2"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="TopLeftSlant"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="TopRightSlant"/>
</rodp:InvalidCombinations>
<rodp:InvalidCombinations>
<rodp:InvalidCombination  Feature="InputBins"  Option="BypassTray"/>
<rodp:InvalidCombination  Feature="Staple"  Option="Booklet"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Left2"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Top2"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Right2"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Left3"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Top3"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Right3"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Left4"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Top4"/>
</rodp:InvalidCombinations>
<rodp:InvalidCombinations>
<rodp:InvalidCombination  Feature="InputBins"  Option="BypassTray"/>
<rodp:InvalidCombination  Feature="HolePunch"  Option="Right4"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="AUTO"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="Tray1"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="Tray2"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="Tray3"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="Tray4"/>
</rodp:InvalidCombinations>
<rodp:InvalidCombinations>
<rodp:InvalidCombination  Feature="SlipSheet"  Option="ON"/>
<rodp:InvalidCombination  Feature="InputBins"  Option="LARGECAPACITY"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Top2"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Top3"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Top4"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Right2"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Right3"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Right4"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Left2"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Left3"/>
</rodp:InvalidCombinations>
<rodp:InvalidCombinations>
<rodp:InvalidCombination  Feature="SlipSheet"  Option="ON"/>
<rodp:InvalidCombination  Feature="HolePunch"  Option="Left4"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="TopLeft"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="TopLeftSlant"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="TopRight"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="TopRightSlant"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="Top2"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="Left2"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="Right2"/>
</rodp:InvalidCombinations>
<rodp:InvalidCombinations>
<rodp:InvalidCombination  Feature="SlipSheet"  Option="ON"/>
<rodp:InvalidCombination  Feature="Staple"  Option="Booklet"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="STANDARD"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Thick"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Recycled"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Special"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Letterhead"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Preprinted"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Labels"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Color"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="SlipSheet"  Option="ON"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="SlipSheet"  Option="ON"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="SlipSheet"  Option="ON"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="Staple"  Option="TopLeft"/>
<rodp:InvalidCombination  Feature="HolePunch"  Option="Right2"/>
</rodp:InvalidCombinations>
<rodp:InvalidCombinations>
<rodp:InvalidCombination  Feature="Staple"  Option="TopLeft"/>
<rodp:InvalidCombination  Feature="HolePunch"  Option="Right3"/>
</rodp:InvalidCombinations>
<rodp:InvalidCombinations>
<rodp:InvalidCombination  Feature="Staple"  Option="TopLeft"/>
<rodp:InvalidCombination  Feature="HolePunch"  Option="Right4"/>
</rodp:InvalidCombinations>
<rodp:InvalidCombinations>
<rodp:InvalidCombination  Feature="Staple"  Option="TopLeftSlant"/>
<rodp:InvalidCombination  Feature="HolePunch"  Option="Right2"/>
</rodp:InvalidCombinations>
<rodp:InvalidCombinations>
<rodp:InvalidCombination  Feature="Staple"  Option="TopLeftSlant"/>
<rodp:InvalidCombination  Feature="HolePunch"  Option="Right3"/>
</rodp:InvalidCombinations>
<rodp:InvalidCombinations>
<rodp:InvalidCombination  Feature="Staple"  Option="TopLeftSlant"/>
<rodp:InvalidCombination  Feature="HolePunch"  Option="Right4"/>
</rodp:InvalidCombinations>
<rodp:InvalidCombinations>
<rodp:InvalidCombination  Feature="Staple"  Option="TopRight"/>
<rodp:InvalidCombination  Feature="HolePunch"  Option="Left2"/>
</rodp:InvalidCombinations>
<rodp:InvalidCombinations>
<rodp:InvalidCombination  Feature="Staple"  Option="TopRight"/>
<rodp:InvalidCombination  Feature="HolePunch"  Option="Left3"/>
</rodp:InvalidCombinations>
<rodp:InvalidCombinations>
<rodp:InvalidCombination  Feature="Staple"  Option="TopRight"/>
<rodp:InvalidCombination  Feature="HolePunch"  Option="Left4"/>
</rodp:InvalidCombinations>
<rodp:InvalidCombinations>
<rodp:InvalidCombination  Feature="Staple"  Option="TopRightSlant"/>
<rodp:InvalidCombination  Feature="HolePunch"  Option="Left2"/>
</rodp:InvalidCombinations>
<rodp:InvalidCombinations>
<rodp:InvalidCombination  Feature="Staple"  Option="TopRightSlant"/>
<rodp:InvalidCombination  Feature="HolePunch"  Option="Left3"/>
</rodp:InvalidCombinations>
<rodp:InvalidCombinations>
<rodp:InvalidCombination  Feature="Staple"  Option="TopRightSlant"/>
<rodp:InvalidCombination  Feature="HolePunch"  Option="Left4"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Left2"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Right2"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Left3"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Right3"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Left4"/>
</rodp:InvalidCombinations>
<rodp:InvalidCombinations>
<rodp:InvalidCombination  Feature="Staple"  Option="Top2"/>
<rodp:InvalidCombination  Feature="HolePunch"  Option="Right4"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Top2"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Right2"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Top3"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Right3"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Top4"/>
</rodp:InvalidCombinations>
<rodp:InvalidCombinations>
<rodp:InvalidCombination  Feature="Staple"  Option="Left2"/>
<rodp:InvalidCombination  Feature="HolePunch"  Option="Right4"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Left2"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Top2"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Left3"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Top3"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Left4"/>
</rodp:InvalidCombinations>
<rodp:InvalidCombinations>
<rodp:InvalidCombination  Feature="Staple"  Option="Right2"/>
<rodp:InvalidCombination  Feature="HolePunch"  Option="Top4"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Left2"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Top2"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Right2"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Left3"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Top3"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Right3"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Left4"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Top4"/>
</rodp:InvalidCombinations>
<rodp:InvalidCombinations>
<rodp:InvalidCombination  Feature="Staple"  Option="Booklet"/>
<rodp:InvalidCombination  Feature="HolePunch"  Option="Right4"/>
</rodp:InvalidCombinations>
<rodp:InvalidCombinations>
<rodp:InvalidCombination  Feature="Staple"  Option="TopLeft"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="TopLeft"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="TopLeft"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="TopLeft"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="TopLeft"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="TopLeftSlant"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="TopLeftSlant"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="TopLeftSlant"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="TopLeftSlant"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="TopLeftSlant"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="TopRight"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="TopRight"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="TopRight"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="TopRight"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="TopRight"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="TopRightSlant"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="TopRightSlant"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="TopRightSlant"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="TopRightSlant"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="TopRightSlant"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="Top2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="Top2"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="Top2"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="Top2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="Top2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="Left2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="Left2"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="Left2"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="Left2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="Left2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="Right2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="Right2"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="Right2"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="Right2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="Right2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Staple"  Option="Booklet"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Staple"  Option="Booklet"/>
<rodp:InvalidCombination  Feature="MediaType"  Option="Thick"/>
</rodp:InvalidCombinations>
<rodp:InvalidCombinations>
<rodp:InvalidCombination  Feature="Staple"  Option="Booklet"/>
<rodp:InvalidCombination  Feature="MediaType"  Option="Labels"/>
</rodp:InvalidCombinations>
<rodp:InvalidCombinations>
<rodp:InvalidCombination  Feature="Staple"  Option="Booklet"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Staple"  Option="Booklet"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="iso_a5_148x210mm"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Staple"  Option="Booklet"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="TopLeft"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="TopLeftSlant"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="TopRight"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="TopRightSlant"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="Top2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="Left2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="Right2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Staple"  Option="Booklet"/>
</rodp:InvalidCombinations>
<rodp:InvalidCombinations>
<rodp:InvalidCombination  Feature="HolePunch"  Option="Top2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Top2"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Top2"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Top2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Top2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Top3"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Top3"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Top3"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Top3"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Top3"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Top4"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Top4"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Top4"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Top4"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Top4"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Right2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Right2"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Right2"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Right2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Right2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Right3"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Right3"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Right3"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Right3"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Right3"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Right4"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Right4"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Right4"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Right4"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Right4"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Left2"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Left2"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Left2"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Left2"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Left2"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Left3"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Left3"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Left3"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Left3"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Left3"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="HolePunch"  Option="Left4"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="HolePunch"  Option="Left4"/>
<rodp:InvalidCombination  Feature="MediaType"  Option="Thick"/>
</rodp:InvalidCombinations>
<rodp:InvalidCombinations>
<rodp:InvalidCombination  Feature="HolePunch"  Option="Left4"/>
<rodp:InvalidCombination  Feature="MediaType"  Option="Labels"/>
</rodp:InvalidCombinations>
<rodp:InvalidCombinations>
<rodp:InvalidCombination  Feature="HolePunch"  Option="Left4"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="HolePunch"  Option="Left4"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Left2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Top2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Right2"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Left3"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Top3"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Right3"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Left4"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Top4"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="HolePunch"  Option="Right4"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Sides"  Option="TwoSidedLongEdge"/>
</rodp:InvalidCombinations>
<rodp:InvalidCombinations>
<rodp:InvalidCombination  Feature="MediaSizeName"  Option="na_invoice_5.5x8.5in"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="iso_a6_105x148mm"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="na_number-10_4.125x9.5in"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="iso_dl_110x220mm"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="na_monarch_3.875x7.5in"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="iso_c5_162x229mm"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="iso_c6_114x162mm"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="na_arch-b_12x18in"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="MediaSizeName"  Option="custom_papersize"/>
<rodp:InvalidCombination  Feature="Sides"  Option="TwoSidedShortEdge"/>
</rodp:InvalidCombinations>
<rodp:InvalidCombinations>
<rodp:InvalidCombination  Feature="Sides"  Option="TwoSidedLongEdge"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Sides"  Option="TwoSidedLongEdge"/>
<rodp:InvalidCombination  Feature="MediaType"  Option="Thick"/>
</rodp:InvalidCombinations>
<rodp:InvalidCombinations>
<rodp:InvalidCombination  Feature="Sides"  Option="TwoSidedLongEdge"/>
<rodp:InvalidCombination  Feature="MediaType"  Option="Labels"/>
</rodp:InvalidCombinations>
<rodp:InvalidCombinations>
<rodp:InvalidCombination  Feature="Sides"  Option="TwoSidedLongEdge"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Sides"  Option="TwoSidedLongEdge"/>
<rodp:InvalidCombination  Feature="MediaType"  Option="Thick_Duplex_Backside"/>
</rodp:InvalidCombinations>
<rodp:InvalidCombinations>
<rodp:InvalidCombination  Feature="Sides"  Option="TwoSidedShortEdge"/>
<rodp:InvalidCombination  Feature="MediaType"  Option="TRANSPARENCY"/>
</rodp:InvalidCombinations>
<rodp:InvalidCombinations>
<rodp:InvalidCombination  Feature="Sides"  Option="TwoSidedShortEdge"/>
<rodp:InvalidCombination  Feature="MediaType"  Option="Thick"/>
</rodp:InvalidCombinations>
<rodp:InvalidCombinations>
<rodp:InvalidCombination  Feature="Sides"  Option="TwoSidedShortEdge"/>
<rodp:InvalidCombination  Feature="MediaType"  Option="Labels"/>
</rodp:InvalidCombinations>
<rodp:InvalidCombinations>
<rodp:InvalidCombination  Feature="Sides"  Option="TwoSidedShortEdge"/>
<rodp:InvalidCombination  Feature="MediaType"  Option="Plain_Duplex_Backside"/>
</rodp:InvalidCombinations>
<rodp:InvalidCombinations>
<rodp:InvalidCombination  Feature="Sides"  Option="TwoSidedShortEdge"/>
<rodp:InvalidCombination  Feature="MediaType"  Option="Thick_Duplex_Backside"/>
</rodp:InvalidCombinations>
</rodp:GlobalConstraints>
</rodp:DeviceConstraints>
</rodp:RicohExtensionData>
</wprt:RicohExtensionData>
</RequestedPrinterElements>
＜IX．付録Ｂ−コアマッピングデータの具体例＞
<mapfile>
<DeviceFeature  Value="RAM">
<!--GPD  Keyword-->
<PDLKeyword  Value="Memory"/>
<rcNameID  Value="PRINTER_MEMORY_DISPLAY"  />    
<Featureoption  Value="65536KB">
<PDLKeyword  Value="65536KB"  />
</Featureoption  >    
</DeviceFeature  >
<!--No  Hard  Disk  is  defined,  since  no  name  need  to  map-->
<DeviceFeature  Value="Finisher">
<PDLKeyword  Value="Finisher"/>
<rcNameID  Value="RC_STR_FINISHER"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Finisher2000">
<PDLKeyword  Value="Finisher2000"  />
<rcNameID  Value="RC_STR_2TRAY_FINISHER"  />
</FeatureOption  >
<FeatureOption  Value="BookletFinisher">
<PDLKeyword  Value="BookletFinisher"  />
<rcNameID  Value="RC_STR_BOOKLET_FINISHER"  />
</FeatureOption>
<FeatureOption  Value="FinisherSR790">
<PDLKeyword  Value="FinisherSR790"  />
<rcNameID  Value="RC_STR_FINISHER_SR790"  />
</FeatureOption>
<FeatureOption  Value="FinisherSR3030">
<PDLKeyword  Value="FinisherSR3030"  />
<rcNameID  Value="RC_STR_FINISHER_SR3030"  />
</FeatureOption>
</DeviceFeature  >
<DeviceFeature  Value="LeftTray1and2">
<PDLKeyword  Value="LeftTray1and2"/>
<rcNameID  Value="RC_STR_LEFT_TRAY_1_AND_2"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption  >
</DeviceFeature  >
<DeviceFeature  Value="InputTray3">
<PDLKeyword  Value="InputTray3"/>
<rcNameID  Value="RC_STR_TRAY3"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption  >
</DeviceFeature  >
<DeviceFeature  Value="InputTray4">
<PDLKeyword  Value="InputTray4"/>
<rcNameID  Value="RC_STR_TRAY4"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption  >
</DeviceFeature  >
<DeviceFeature  Value="LargeCapacityTray">
<PDLKeyword  Value="LargeCapacityTray"/>
<rcNameID  Value="RC_STR_LARGE_CAPACITY_TRAY"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption>
</DeviceFeature>
<DeviceFeature  Value="HolePunchUnit">
<PDLKeyword  Value="PunchUnit"/>
<rcNameID  Value="RC_STR_PUNCH_UNIT"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="2and3holes">
<PDLKeyword  Value="2and3holes"  />
<rcNameID  Value="RC_STR_PUNCH_UNIT_2_AND_3"  />
</FeatureOption  >
<FeatureOption  Value="2and4holes">
<PDLKeyword  Value="2and4holes"  />
<rcNameID  Value="RC_STR_PUNCH_UNIT_2_AND_4"  />
</FeatureOption  >
<FeatureOption  Value="2holesJP">
<PDLKeyword  Value="2holesJP"  />
<rcNameID  Value="RC_STR_PUNCH_UNIT_2_JP"  />
</FeatureOption  >
<FeatureOption  Value="4holesEU">
<PDLKeyword  Value="4holesEU"  />
<rcNameID  Value="RC_STR_PUNCH_UNIT_4_EU"  />
</FeatureOption  >
<FeatureOption  Value="4holesNE">
<PDLKeyword  Value="4holesNE"  />
<rcNameID  Value="RC_STR_PUNCH_UNIT_4_NE"  />
</FeatureOption  >
</DeviceFeature  >
<DeviceFeature  Value="MediaSizeName">
<PDLKeyword  Value="PaperSize"/>
<rcNameID  Value="PAPER_SIZE_DISPLAY"  />
<FeatureOption  Value="na_arch-b_12x18in">
<PDLKeyword  Value="12x18"  />
<rcNameID  Value="RC_STR_12X18"  />
<BlockMacro  Value="=Cmd_Macro_PaperSize_12x18"/>
</FeatureOption  >
<FeatureOption  Value="na_ledger_11x17in">
<PDLKeyword  Value="11X17"  />
<rcNameID  Value="RCID_DMPAPER_SYSTEM_NAME"  />
<BlockMacro  Value="=Cmd_Macro_PaperSize_11X17"/>
</FeatureOption  >
<FeatureOption  Value="na_legal_8.5x14in">
<PDLKeyword  Value="LEGAL"  />
<rcNameID  Value="RCID_DMPAPER_SYSTEM_NAME"  />
<BlockMacro  Value="=Cmd_Macro_PaperSize_LEGAL"/>
</FeatureOption  >
<FeatureOption  Value="na_letter_8.5x11in">
<PDLKeyword  Value="LETTER"  />
<rcNameID  Value="RCID_DMPAPER_SYSTEM_NAME"  />
<BlockMacro  Value="=Cmd_Macro_PaperSize_LETTER"/>
</FeatureOption  >
<FeatureOption  Value="na_executive_7.25x10.5in">
<PDLKeyword  Value="EXECUTIVE"  />
<rcNameID  Value="RCID_DMPAPER_SYSTEM_NAME"  />
<BlockMacro  Value="=Cmd_Macro_PaperSize_EXECUTIVE"/>
</FeatureOption  >
<FeatureOption  Value="na_invoice_5.5x8.5in">
<PDLKeyword  Value="STATEMENT"  />
<rcNameID  Value="RC_STR_5_5X8_5"  />
<BlockMacro  Value="=Cmd_Macro_PaperSize_STATEMENT"/>
</FeatureOption  >
<FeatureOption  Value="iso_a3_297x420mm">
<PDLKeyword  Value="A3"  />
<rcNameID  Value="RCID_DMPAPER_SYSTEM_NAME"  />
<BlockMacro  Value="=Cmd_Macro_PaperSize_A3"/>
</FeatureOption  >
<FeatureOption  Value="iso_a4_210x297mm">
<PDLKeyword  Value="A4"  />
<rcNameID  Value="RCID_DMPAPER_SYSTEM_NAME"  />
<BlockMacro  Value="=Cmd_Macro_PaperSize_A4"/>
</FeatureOption  >
<FeatureOption  Value="iso_a5_148x210mm">
<PDLKeyword  Value="A5"  />
<rcNameID  Value="RCID_DMPAPER_SYSTEM_NAME"  />
<BlockMacro  Value="=Cmd_Macro_PaperSize_A5"/>
</FeatureOption  >
<FeatureOption  Value="iso_a6_105x148mm">
<PDLKeyword  Value="A6"  />
<rcNameID  Value="RC_STR_A6"  />
<BlockMacro  Value="=Cmd_Macro_PaperSize_A6"/>
</FeatureOption  >
<FeatureOption  Value="jis_b4_257x364mm">
<PDLKeyword  Value="B4"  />
<rcNameID  Value="RCID_DMPAPER_SYSTEM_NAME"  />
<BlockMacro  Value="=Cmd_Macro_PaperSize_B4"/>
</FeatureOption  >
<FeatureOption  Value="jis_b5_182x257mm">
<PDLKeyword  Value="B5"  />
<rcNameID  Value="RCID_DMPAPER_SYSTEM_NAME"  />
<BlockMacro  Value="=Cmd_Macro_PaperSize_B5"/>
</FeatureOption  >
<FeatureOption  Value="na_number-10_4.125x9.5in">
<PDLKeyword  Value="ENV_10"  />
<rcNameID  Value="RCID_DMPAPER_SYSTEM_NAME"  />
<BlockMacro  Value="=Cmd_Macro_PaperSize_ENV_10"/>
</FeatureOption  >
<FeatureOption  Value="iso_dl_110x220mm">
<PDLKeyword  Value="ENV_DL"  />
<rcNameID  Value="RCID_DMPAPER_SYSTEM_NAME"  />
<BlockMacro  Value="=Cmd_Macro_PaperSize_ENV_DL"/>
</FeatureOption  >
<FeatureOption  Value="na_monarch_3.875x7.5in">
<PDLKeyword  Value="ENV_MONARCH"  />
<rcNameID  Value="RCID_DMPAPER_SYSTEM_NAME"  />
<BlockMacro  Value="=Cmd_Macro_PaperSize_ENV_MONARCH"/>
</FeatureOption  >
<FeatureOption  Value="iso_c5_162x229mm">
<PDLKeyword  Value="ENV_C5"  />
<rcNameID  Value="RCID_DMPAPER_SYSTEM_NAME"  />
<BlockMacro  Value="=Cmd_Macro_PaperSize_ENV_C5"/>
</FeatureOption  >
<FeatureOption  Value="iso_c6_114x162mm">
<PDLKeyword  Value="ENV_C6"  />
<rcNameID  Value="RCID_DMPAPER_SYSTEM_NAME"  />
<BlockMacro  Value="=Cmd_Macro_PaperSize_ENV_C6"/>
</FeatureOption  >
<FeatureOption  Value="na_foolscap_8.5x13in">
<PDLKeyword  Value="FOLIO"  />
<rcNameID  Value="RC_STR_8_5X13"  />
<BlockMacro  Value="=Cmd_Macro_PaperSize_FOLIO"/>
</FeatureOption  >
<FeatureOption  Value="na_unknown_8.25x13in">
<PDLKeyword  Value="8_25x13"  />
<rcNameID  Value="RC_STR_8_25X13"  />
<BlockMacro  Value="=Cmd_Macro_PaperSize_8_25x13"/>
</FeatureOption  >
<FeatureOption  Value="na_govt-legal_8x13in">
<PDLKeyword  Value="8x13"  />
<rcNameID  Value="RC_STR_8X13"  />
<BlockMacro  Value="=Cmd_Macro_PaperSize_8x13"/>
</FeatureOption  >
<FeatureOption  Value="om_pa-kai_267x389mm">
<PDLKeyword  Value="8kai"  />
<rcNameID  Value="RC_STR_8K"  />
<BlockMacro  Value="=Cmd_Macro_PaperSize_8kai"/>
</FeatureOption  >
<FeatureOption  Value="prc_16k_146x215mm">
<PDLKeyword  Value="16kai"  />
<rcNameID  Value="RC_STR_16K"  />
<BlockMacro  Value="=Cmd_Macro_PaperSize_16kai"/>
</FeatureOption  >
<FeatureOption  Value="custom_papersize">
<PDLKeyword  Value="CUSTOMSIZE"  />
<rcNameID  Value="RCID_DMPAPER_SYSTEM_NAME"  />
<BlockMacro  Value="=Cmd_Macro_PaperSize_CUSTOMSIZE"/>
</FeatureOption  >
</DeviceFeature  >
<DeviceFeature  Value="MediaType">
<PDLKeyword  Value="MediaType"/>
<rcNameID  Value="MEDIA_TYPE_DISPLAY"  />
<FeatureOption  Value="Auto">
<PDLKeyword  Value="Auto"  />
<rcNameID  Value="HT_AUTO_SELECT_DISPLAY"  />
</FeatureOption  >
<FeatureOption  Value="STANDARD">
<PDLKeyword  Value="STANDARD"  />
<rcNameID  Value="RC_STR_PLAIN"  />
</FeatureOption>
<FeatureOption  Value="Recycled">
<PDLKeyword  Value="Recycled"  />
<rcNameID  Value="RC_STR_RECYCLED"  />
</FeatureOption  >
<FeatureOption  Value="Special">
<PDLKeyword  Value="Special"  />
<rcNameID  Value="RC_STR_SPECIAL"  />
</FeatureOption  >
<FeatureOption  Value="Thick">
<PDLKeyword  Value="Thick"  />
<rcNameID  Value="RC_STR_THICK"  />
</FeatureOption  >
<FeatureOption  Value="TRANSPARENCY">
<PDLKeyword  Value="TRANSPARENCY"  />
<rcNameID  Value="TRANSPARENCY_DISPLAY"  />
</FeatureOption  >
<FeatureOption  Value="Color">
<PDLKeyword  Value="Color"  />
<rcNameID  Value="RC_STR_COLOR"  />
</FeatureOption  >
<FeatureOption  Value="Letterhead">
<PDLKeyword  Value="Letterhead"  />
<rcNameID  Value="RC_STR_LETTERHEAD"  />
</FeatureOption  >
<FeatureOption  Value="Preprinted">
<PDLKeyword  Value="Preprinted"  />
<rcNameID  Value="RC_STR_PREPRINTED"  />
</FeatureOption  >
<FeatureOption  Value="Labels">
<PDLKeyword  Value="Labels"  />
<rcNameID  Value="RC_STR_LABELS"  />
</FeatureOption  >
<FeatureOption  Value="Plain_Duplex_Backside">
<PDLKeyword  Value="Plain_Duplex_Backside"  />
<rcNameID  Value="RC_STR_PLAIN_DUPLEX_BACKSIDE"  />
</FeatureOption  >
<FeatureOption  Value="Thick_Duplex_Backside">
<PDLKeyword  Value="Thick_Duplex_Backside"  />
<rcNameID  Value="RC_STR_THICK_DUPLEX_BACKSIDE"  />
</FeatureOption>
<FeatureOption  Value="Special1">
<PDLKeyword  Value="Special1"  />
<rcNameID  Value="RC_STR_SPECIAL1"  />
</FeatureOption  >
<FeatureOption  Value="Special2">
<PDLKeyword  Value="Special2"  />
<rcNameID  Value="RC_STR_SPECIAL2"  />
</FeatureOption  >
<FeatureOption  Value="Special3">
<PDLKeyword  Value="Special3"  />
<rcNameID  Value="RC_STR_SPECIAL3"  />
</FeatureOption  >
<FeatureOption  Value="Thick1">
<PDLKeyword  Value="Thick1"  />
<rcNameID  Value="RC_STR_THICK1"  />
</FeatureOption  >
<FeatureOption  Value="Thick2">
<PDLKeyword  Value="Thick2"  />
<rcNameID  Value="RC_STR_THICK2"  />
</FeatureOption  >
<FeatureOption  Value="Thick3">
<PDLKeyword  Value="Thick3"  />
<rcNameID  Value="RC_STR_THICK3"  />
</FeatureOption  >
<FeatureOption  Value="Cardstock">
<PDLKeyword  Value="Cardstock"  />
<rcNameID  Value="RC_STR_CARDSTOCK"  />
</FeatureOption  >
<FeatureOption  Value="MiddleThick">
<PDLKeyword  Value="MiddleThick"  />
<rcNameID  Value="RC_STR_MIDDLETHICK"  />
</FeatureOption  >
<FeatureOption  Value="Thick_Duplex_Backside1">
<PDLKeyword  Value="Thick_Duplex_Backside1"  />
<rcNameID  Value="RC_STR_THICK_DUPLEX_BACKSIDE1"  />
</FeatureOption  >
<FeatureOption  Value="Thick_Duplex_Backside2">
<PDLKeyword  Value="Thick_Duplex_Backside2"  />
<rcNameID  Value="RC_STR_THICK_DUPLEX_BACKSIDE2"  />
</FeatureOption  >
<FeatureOption  Value="Thick_Duplex_Backside3">
<PDLKeyword  Value="Thick_Duplex_Backside3"  />
<rcNameID  Value="RC_STR_THICK_DUPLEX_BACKSIDE3"  />
</FeatureOption  >
<FeatureOption  Value="Thick1GAP3">
<PDLKeyword  Value="Thick1GAP3"  />
<rcNameID  Value="RC_STR_THICK1GAP3"  />
</FeatureOption  >
<FeatureOption  Value="Thick2GAP3">
<PDLKeyword  Value="Thick2GAP3"  />
<rcNameID  Value="RC_STR_THICK2GAP3"  />
</FeatureOption  >
<FeatureOption  Value="Plain_Duplex_Backside">
<PDLKeyword  Value="Plain_Duplex_Backside"  />
<rcNameID  Value="RC_STR_PLAIN_DUPLEX_BACKSIDE"  />
</FeatureOption  >
<FeatureOption  Value="ThinGAP3">
<PDLKeyword  Value="ThinGAP3"  />
<rcNameID  Value="RC_STR_THINGAP3"  />
</FeatureOption  >
<FeatureOption  Value="GLOSSY">
<PDLKeyword  Value="GLOSSY"  />
<rcNameID  Value="GLOSSY_PAPER_DISPLAY"  />
</FeatureOption  >
<FeatureOption  Value="Coated">
<PDLKeyword  Value="Coated"  />
<rcNameID  Value="RC_STR_COATED"  />
</FeatureOption  >
<FeatureOption  Value="PlainPaperGAP3">
<PDLKeyword  Value="PlainPaperGAP3"  />
<rcNameID  Value="RC_STR_PLAINGAP3"  />
</FeatureOption  >
<FeatureOption  Value="Bond">
<PDLKeyword  Value="Bond"  />
<rcNameID  Value="RC_STR_BOND"  />
</FeatureOption  >
<FeatureOption  Value="Thin">
<PDLKeyword  Value="Thin"  />
<rcNameID  Value="RC_STR_THIN"  />
</FeatureOption  >
</DeviceFeature  >  
<DeviceFeature  Value="InputBins">
<PDLKeyword  Value="InputBin"/>
<rcNameID  Value="PAPER_SOURCE_DISPLAY"  />
<FeatureOption  Value="AUTO">
<PDLKeyword  Value="AUTO"  />
<rcNameID  Value="RC_STR_AUTO_SELECT_BY_PRINTER"  />
</FeatureOption  >
<FeatureOption  Value="Bypass">
<PDLKeyword  Value="BypassTray"  />
<rcNameID  Value="RC_STR_BYPASS_TRAY"  />
<OptionID  Value="RI_DMBINBYPASS_TRAY"  />
</FeatureOption  >
<FeatureOption  Value="Tray1">
<PDLKeyword  Value="Tray1"  />
<rcNameID  Value="RC_STR_TRAY1"  />
<OptionID  Value="RI_DMBIN_TRAY1"  />
</FeatureOption  >
<FeatureOption  Value="Tray2">
<PDLKeyword  Value="Tray2"  />
<rcNameID  Value="RC_STR_TRAY2"  />
<OptionID  Value="RI_DMBIN_TRAY2"  />
</FeatureOption  >
<FeatureOption  Value="Tray3">
<PDLKeyword  Value="Tray3"  />
<rcNameID  Value="RC_STR_TRAY3"  />
<OptionID  Value="RI_DMBIN_TRAY3"  />
</FeatureOption  >
<FeatureOption  Value="Tray4">
<PDLKeyword  Value="Tray4"  />
<rcNameID  Value="RC_STR_TRAY4"  />
<OptionID  Value="RI_DMBIN_TRAY4"  />
</FeatureOption  >
<FeatureOption  Value="LargeCapacity">
<PDLKeyword  Value="LARGECAPACITY"  />
<rcNameID  Value="RC_STR_LARGE_CAPACITY_TRAY"  />
</FeatureOption>
</DeviceFeature  >
<DeviceFeature  Value="SlipSheet">
<PDLKeyword  Value="SlipSheet"/>
<rcNameID  Value="RC_STR_SLIPSHEET"  />
<FeatureOption  Value="OFF">
<PDLKeyword  Value="OFF"  />
<rcNameID  Value="OFF_DISPLAY"  />
</FeatureOption>
<FeatureOption  Value="ON">
<PDLKeyword  Value="ON"  />
<rcNameID  Value="ON_DISPLAY"  />
</FeatureOption>
</DeviceFeature  >
<DeviceFeature  Value="SlipSheetInputBin">
<PDLKeyword  Value="SlipSheetInputBin"/>
<rcNameID  Value="RC_STR_SLIPSHEET_PAPER_SOURCE"  />
<FeatureOption  Value="Bypass">
<PDLKeyword  Value="BypassTray"  />
<rcNameID  Value="RC_STR_BYPASS_TRAY"  />
</FeatureOption>
<FeatureOption  Value="Tray1">
<PDLKeyword  Value="Tray1"  />
<rcNameID  Value="RC_STR_TRAY1"  />
</FeatureOption>
<FeatureOption  Value="Tray2">
<PDLKeyword  Value="Tray2"  />
<rcNameID  Value="RC_STR_TRAY2"  />
</FeatureOption>
<FeatureOption  Value="Tray3">
<PDLKeyword  Value="Tray3"  />
<rcNameID  Value="RC_STR_TRAY3"  />
</FeatureOption>
<FeatureOption  Value="Tray4">
<PDLKeyword  Value="Tray4"  />
<rcNameID  Value="RC_STR_TRAY4"  />
</FeatureOption>
<FeatureOption  Value="LargeCapacity">
<PDLKeyword  Value="LARGECAPACITY"  />
<rcNameID  Value="RC_STR_LARGE_CAPACITY_TRAY"  />
</FeatureOption>
</DeviceFeature  >
<DeviceFeature  Value="OutputBins">
<PDLKeyword  Value="OutputBin"/>
<rcNameID  Value="OUTPUTBIN_DISPLAY"  />
<FeatureOption  Value="PrinterDefault">
<PDLKeyword  Value="PrinterDefault"  />
<rcNameID  Value="RC_STR_PRINTER_DEFAULT"  />
</FeatureOption>
<FeatureOption  Value="StandardTray">
<PDLKeyword  Value="StandardTray"  />
<rcNameID  Value="RC_STR_STANDARD_TRAY"  />
</FeatureOption>
<FeatureOption  Value="ExternalTray">
<PDLKeyword  Value="ExternalTray"  />
<rcNameID  Value="RC_STR_EXTERNAL_TRAY"  />
</FeatureOption>
<FeatureOption  Value="FinisherShiftTray1">
<PDLKeyword  Value="FinisherShiftTray1"  />
<rcNameID  Value="RC_STR_FINISHER_SHIFT_TRAY1"  />
</FeatureOption>
<FeatureOption  Value="FinisherShiftTray2">
<PDLKeyword  Value="FinisherShiftTray2"  />
<rcNameID  Value="RC_STR_FINISHER_SHIFT_TRAY2"  />
</FeatureOption>
<FeatureOption  Value="FinisherShiftTray">
<PDLKeyword  Value="FinisherShiftTray"  />
<rcNameID  Value="RC_STR_FINISHER_SHIFT_TRAY"  />
</FeatureOption>
<FeatureOption  Value="FinisherBookletTray">
<PDLKeyword  Value="FinisherBookletTray"  />
<rcNameID  Value="RC_STR_BOOKLET_FINISHER_TRAY"  />
</FeatureOption>
<FeatureOption  Value="LeftTray1">
<PDLKeyword  Value="LeftTray1"  />
<rcNameID  Value="RC_STR_LEFT_TRAY1"  />
</FeatureOption>
<FeatureOption  Value="LeftTray2">
<PDLKeyword  Value="LeftTray2"  />
<rcNameID  Value="RC_STR_LEFT_TRAY2"  />
</FeatureOption>
<FeatureOption  Value="FinisherUpperTray">
<PDLKeyword  Value="FinisherUpperTray"  />
<rcNameID  Value="RC_STR_FINISHER_UPPER_TRAY"  />
</FeatureOption>
</DeviceFeature  >
<DeviceFeature  Value="Staple">
<PDLKeyword  Value="Stapling"/>
<rcNameID  Value="RC_STR_STAPLE"  />
<FeatureOption  Value="OFF">
<PDLKeyword  Value="OFF"  />
<rcNameID  Value="OFF_DISPLAY"  />
</FeatureOption>
<FeatureOption  Value="TopLeft">
<PDLKeyword  Value="TopLeft"  />
<rcNameID  Value="RC_STR_TOP_LEFT"  />
</FeatureOption>
<FeatureOption  Value="TopRight">
<PDLKeyword  Value="TopRight"  />
<rcNameID  Value="RC_STR_TOP_RIGHT"  />
</FeatureOption>
<FeatureOption  Value="Left2">
<PDLKeyword  Value="Left2"  />
<rcNameID  Value="RC_STR_LEFT2"  />
</FeatureOption>
<FeatureOption  Value="Top2">
<PDLKeyword  Value="Top2"  />
<rcNameID  Value="RC_STR_TOP2"  />
</FeatureOption>
<FeatureOption  Value="Right2">
<PDLKeyword  Value="Right2"  />
<rcNameID  Value="RC_STR_RIGHT2"  />
</FeatureOption>
<FeatureOption  Value="TopLeftSlant">
<PDLKeyword  Value="TopLeftSlant"  />
<rcNameID  Value="RC_STR_TOP_LEFT_SLANT"  />
</FeatureOption>
<FeatureOption  Value="TopRightSlant">
<PDLKeyword  Value="TopRightSlant"  />
<rcNameID  Value="RC_STR_TOP_RIGHT_SLANT"  />
</FeatureOption>
<FeatureOption  Value="Booklet">
<PDLKeyword  Value="Booklet"  />
<rcNameID  Value="RC_STR_BOOKLET"  />
</FeatureOption>
</DeviceFeature  >
<DeviceFeature  Value="HolePunch">
<PDLKeyword  Value="Punching"/>
<rcNameID  Value="RC_STR_PUNCH"  />
<FeatureOption  Value="OFF">
<PDLKeyword  Value="OFF"  />
<rcNameID  Value="OFF_DISPLAY"  />
</FeatureOption  >
<FeatureOption  Value="Left2">
<PDLKeyword  Value="Left2"  />
<rcNameID  Value="RC_STR_LEFT2"  />
</FeatureOption  >
<FeatureOption  Value="Top2">
<PDLKeyword  Value="Top2"  />
<rcNameID  Value="RC_STR_TOP2"  />
</FeatureOption  >
<FeatureOption  Value="Right2">
<PDLKeyword  Value="Right2"  />
<rcNameID  Value="RC_STR_RIGHT2"  />
</FeatureOption  >
<FeatureOption  Value="Left3">
<PDLKeyword  Value="Left3"  />
<rcNameID  Value="RC_STR_LEFT3"  />
</FeatureOption  >
<FeatureOption  Value="Top3">
<PDLKeyword  Value="Top3"  />
<rcNameID  Value="RC_STR_TOP3"  />
</FeatureOption  >
<FeatureOption  Value="Right3">
<PDLKeyword  Value="Right3"  />
<rcNameID  Value="RC_STR_RIGHT3"  />
</FeatureOption  >
<FeatureOption  Value="Left4">
<PDLKeyword  Value="Left4"  />
<rcNameID  Value="RC_STR_LEFT4"  />
</FeatureOption  >
<FeatureOption  Value="Top4">
<PDLKeyword  Value="Top4"  />
<rcNameID  Value="RC_STR_TOP4"  />
</FeatureOption  >
<FeatureOption  Value="Right4">
<PDLKeyword  Value="Right4"  />
<rcNameID  Value="RC_STR_RIGHT4"  />
</FeatureOption  >
</DeviceFeature  >
<DeviceFeature  Value="Orientation">
<PDLKeyword  Value="Orientation"/>
<rcNameID  Value="ORIENTATION_DISPLAY"  />
<FeatureOption  Value="Portrait">
<PDLKeyword  Value="PORTRAIT"  />
<rcNameID  Value="PORTRAIT_DISPLAY"  />
</FeatureOption  >
<FeatureOption  Value="Landscape">
<PDLKeyword  Value="LANDSCAPE_CC90"  />
<rcNameID  Value="LANDSCAPE_DISPLAY"  />
</FeatureOption  >
</DeviceFeature  >
<DeviceFeature  Value="Sides">
<PDLKeyword  Value="Duplex"/>
<rcNameID  Value="TWO_SIDED_PRINTING_DISPLAY"  />
<FeatureOption  Value="OneSided">
<PDLKeyword  Value="NONE"  />
<rcNameID  Value="NONE_DISPLAY"  />
</FeatureOption  >
<FeatureOption  Value="TwoSidedLongEdge">
<PDLKeyword  Value="VERTICAL"  />
<rcNameID  Value="FLIP_ON_LONG_EDGE_DISPLAY"  />
</FeatureOption  >
<FeatureOption  Value="TwoSidedShortEdge">
<PDLKeyword  Value="HORIZONTAL"  />
<rcNameID  Value="FLIP_ON_SHORT_EDGE_DISPLAY"  />
</FeatureOption  >
</DeviceFeature  >
<DeviceFeature  Value="Dither">
<PDLKeyword  Value="Dither"/>
<rcNameID  Value="RC_STR_DITHER_QUALITY"  />
<FeatureOption  Value="High">
<PDLKeyword  Value="High"  />
<rcNameID  Value="RC_STR_HIGH"  />
</FeatureOption  >
<FeatureOption  Value="Low">
<PDLKeyword  Value="Low"  />
<rcNameID  Value="RC_STR_LOW"  />
</FeatureOption  >
</DeviceFeature  >
<DeviceFeature  Value="Resolution">
<PDLKeyword  Value="Resolution"/>
<rcNameID  Value="RESOLUTION_DISPLAY"  />
<FeatureOption  Value="1200">
<PDLKeyword  Value="1200dpi"/>
<rcNameID  Value="RC_STR_1200DPI"  />
</FeatureOption  >
<FeatureOption  Value="600">
<PDLKeyword  Value="600dpi"/>
<rcNameID  Value="RC_STR_600DPI"  />
</FeatureOption  >
</DeviceFeature  >
<DeviceFeature  Value="TrueTypeFormat">
<PDLKeyword  Value="TrueTypeFormat"/>
<rcNameID  Value="RC_STR_TRUETYPE_FORMAT"  />
<FeatureOption  Value="TTFDownloadAsBitmap">
<PDLKeyword  Value="TTFDownloadAsBitmap"  />
<rcNameID  Value="RC_STR_TRUETYPE_BITMAP"  />
</FeatureOption  >
<FeatureOption  Value="TTFDownloadDisabled">
<PDLKeyword  Value="TTFDownloadDisabled"  />
<rcNameID  Value="RC_STR_TRUETYPE_DOWNLOADNONE"  />
</FeatureOption  >
</DeviceFeature  >
<DeviceFeature  Value="ColorMode">
<PDLKeyword  Value="ColorMode"/>
<rcNameID  Value="COLOR_PRINTING_MODE_DISPLAY"  />
<FeatureOption  Value="24bpp">
<PDLKeyword  Value="24bpp"/>
<rcNameID  Value="24BPP_DISPLAY"  />
</FeatureOption  >
<FeatureOption  Value="Mono">
<PDLKeyword  Value="Mono"/>
<rcNameID  Value="MONO_DISPLAY"  />
</FeatureOption  >
</DeviceFeature  >
<DeviceFeature  Value="Collate">
<PDLKeyword  Value="Collate"/>
<FeatureOption  Value="true">
<PDLKeyword  Value="ON"  />
<rcNameID  Value="ON_DISPLAY"  />
</FeatureOption>
<FeatureOption  Value="false">
<PDLKeyword  Value="OFF"  />
<rcNameID  Value="OFF_DISPLAY"  />
</FeatureOption>
</DeviceFeature>
<DeviceFeature  Value="PrintQuality">
<PDLKeyword  Value="PrintQuality"/>
<rcNameID  Value="TEXT_QUALITY_DISPLAY"  />
<FeatureOption  Value="SmoothingOff">
<PDLKeyword  Value="SmoothingOff"  />
<rcNameID  Value="RC_STR_EDGE_SMOOTHING_OFF"  />
</FeatureOption>
<FeatureOption  Value="SmoothingOn">
<PDLKeyword  Value="SmoothingOn"  />
<rcNameID  Value="RC_STR_EDGE_SMOOTHING_ON"  />
</FeatureOption>
</DeviceFeature>
<DeviceFeature  Value="PrintDensity">
<PDLKeyword  Value="PrintDensity"/>
<rcNameID  Value="PRINTDENSITY_DISPLAY"  />
<FeatureOption  Value="EconomodeOff">
<PDLKeyword  Value="EconomodeOff"  />
<rcNameID  Value="RC_STR_TONER_SAVER_OFF"  />
</FeatureOption>
<FeatureOption  Value="EconomodeOn">
<PDLKeyword  Value="EconomodeOn"  />
<rcNameID  Value="RC_STR_TONER_SAVER_ON"  />
</FeatureOption>
</DeviceFeature>
<DeviceFeature  Value="LCTDetail">
<PDLKeyword  Value="LCTDetail"/>
<rcNameID  Value="RC_STR_LARGE_CAPACITY_TRAY"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption>
</DeviceFeature>
<DeviceFeature  Value="Tray3LCT">
<PDLKeyword  Value="Tray3LCT"/>
<rcNameID  Value="RC_STR_TRAY3_LCT"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption>
</DeviceFeature>
<DeviceFeature  Value="Memory_HardDisk">
<PDLKeyword  Value="Memory_HardDisk"/>
<rcNameID  Value="RC_STR_MEMORY_HARDDISK"  />
<FeatureOption  Value="256MB_NotInstalled">
<PDLKeyword  Value="256MB_NotInstalled"  />
<rcNameID  Value="RC_STR_256MB_NOTINSTALLED"  />
</FeatureOption  >
<FeatureOption  Value="256MB_Installed">
<PDLKeyword  Value="256MB_Installed"  />
<rcNameID  Value="RC_STR_256MB_INSTALLED"  />
</FeatureOption>
<FeatureOption  Value="384MBorMore_NotInstalled">
<PDLKeyword  Value="384MBorMore_NotInstalled"  />
<rcNameID  Value="RC_STR_384MBORMORE_NOTINSTALLED"  />
</FeatureOption>
<FeatureOption  Value="384MBorMore_Installed">
<PDLKeyword  Value="384MBorMore_Installed"  />
<rcNameID  Value="RC_STR_384MBORMORE_INSTALLED"  />
</FeatureOption>
</DeviceFeature>
<DeviceFeature  Value="EdgeToEdgePrint">
<PDLKeyword  Value="EdgeToEdgePrint"/>
<rcNameID  Value="RC_STR_EDGE_TO_EDGE_PRINT"  />
<FeatureOption  Value="OFF">
<PDLKeyword  Value="OFF"  />
<rcNameID  Value="OFF_DISPLAY"  />
</FeatureOption  >
<FeatureOption  Value="ON">
<PDLKeyword  Value="ON"  />
<rcNameID  Value="ON_DISPLAY"  />
</FeatureOption>
</DeviceFeature>
<DeviceFeature  Value="InputTray2">
<PDLKeyword  Value="InputTray2"/>
<rcNameID  Value="RC_STR_TRAY2"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption>
</DeviceFeature>
<DeviceFeature  Value="HardDisk">
<PDLKeyword  Value="HardDisk"/>
<rcNameID  Value="RC_STR_HARDDISK"  />
<FeatureOption  Value="NotInstalled">
<PDLKeyword  Value="NotInstalled"  />
<rcNameID  Value="RC_STR_NOTINSTALLED"  />
</FeatureOption  >
<FeatureOption  Value="Installed">
<PDLKeyword  Value="Installed"  />
<rcNameID  Value="RC_STR_INSTALLED"  />
</FeatureOption>
</DeviceFeature>
</mapfile>
【００７８】
＜X．付録Ｃ−プリンタ記述データの具体例＞
<PrinterDescriptionData  Device="RICOH  Future  Printer  2010">
<DeviceFeatures>
<DeviceFeature  Value="InputTray3"  PrinterProperty="true">
<PDLKeyword  Value="InputTray3"/>
<rcNameID  Value="RC_STR_TRAY3"/>
<DisplayName  xml:lang="en-US">Tray  3</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
</FeatureOption>
<FeatureOption  Value="Installed">
<PDLKeyword  Value="Installed"/>
<rcNameID  Value="RC_STR_INSTALLED"/>
<DisplayName  xml:lang="en-US">Installed</DisplayName>
</FeatureOption>
</DeviceFeature>
<DeviceFeature  Value="InputTray4"  PrinterProperty="true">
<PDLKeyword  Value="InputTray4"/>
<rcNameID  Value="RC_STR_TRAY4"/>
<DisplayName  xml:lang="en-US">Tray  4</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
</FeatureOption>
<FeatureOption  Value="Installed">
<PDLKeyword  Value="Installed"/>
<rcNameID  Value="RC_STR_INSTALLED"/>
<DisplayName  xml:lang="en-US">Installed</DisplayName>
<Constraints>
<Constraint  Feature="InputTray3"  Option="NotInstalled"/>
</Constraints>
</FeatureOption>
</DeviceFeature>
<DeviceFeature  Value="LargeCapacityTray"  PrinterProperty="true">
<PDLKeyword  Value="LargeCapacityTray"/>
<rcNameID  Value="RC_STR_LARGE_CAPACITY_TRAY"/>
<DisplayName  xml:lang="en-US">Large  Capacity  Tray</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
</FeatureOption>
<FeatureOption  Value="Installed">
<PDLKeyword  Value="Installed"/>
<rcNameID  Value="RC_STR_INSTALLED"/>
<DisplayName  xml:lang="en-US">Installed</DisplayName>
</FeatureOption>
</DeviceFeature>
<DeviceFeature  Value="LeftTray1and2"  PrinterProperty="true">
<PDLKeyword  Value="LeftTray1and2"/>
<rcNameID  Value="RC_STR_LEFT_TRAY_1_AND_2"/>
<DisplayName  xml:lang="en-US">Left  Tray  1  and  2</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
<Constraints>
<Constraint  Feature="OutputBins"  Option="LeftTray1"/>
<Constraint  Feature="OutputBins"  Option="LeftTray2"/>
</Constraints>
</FeatureOption>
<FeatureOption  Value="Installed">
<PDLKeyword  Value="Installed"/>
<rcNameID  Value="RC_STR_INSTALLED"/>
<DisplayName  xml:lang="en-US">Installed</DisplayName>
<Constraints>
<Constraint  Feature="HolePunchUnit"  Option="2holesJP"/>
<Constraint  Feature="HolePunchUnit"  Option="4holesEU"/>
<Constraint  Feature="HolePunchUnit"  Option="4holesNE"/>
<Constraint  Feature="HolePunchUnit"  Option="2and3holes"/>
<Constraint  Feature="HolePunchUnit"  Option="2and4holes"/>
<Constraint  Feature="OutputBins"  Option="FinisherShiftTray1"/>
<Constraint  Feature="OutputBins"  Option="FinisherShiftTray2"/>
<Constraint  Feature="OutputBins"  Option="FinisherShiftTray"/>
<Constraint  Feature="OutputBins"  Option="FinisherBookletTray"/>
</Constraints>
</FeatureOption>
</DeviceFeature>
<DeviceFeature  Value="Finisher"  PrinterProperty="true">
<PDLKeyword  Value="Finisher"/>
<rcNameID  Value="RC_STR_FINISHER"/>
<DisplayName  xml:lang="en-US">Finisher</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
<Constraints>
<Constraint  Feature="OutputBins"  Option="FinisherShiftTray1"/>
<Constraint  Feature="OutputBins"  Option="FinisherShiftTray2"/>
<Constraint  Feature="OutputBins"  Option="FinisherShiftTray"/>
<Constraint  Feature="OutputBins"  Option="FinisherBookletTray"/>
<Constraint  Feature="HolePunchUnit"  Option="2and3holes"/>
<Constraint  Feature="HolePunchUnit"  Option="2and4holes"/>
<Constraint  Feature="HolePunchUnit"  Option="2holesJP"/>
<Constraint  Feature="HolePunchUnit"  Option="4holesEU"/>
<Constraint  Feature="HolePunchUnit"  Option="4holesNE"/>
</Constraints>
</FeatureOption>
<FeatureOption  Value="Finisher2000">
<PDLKeyword  Value="Finisher2000"/>
<rcNameID  Value="RC_STR_2TRAY_FINISHER"/>
<DisplayName  xml:lang="en-US">2  Tray  Finisher</DisplayName>
<Constraints>
<Constraint  Feature="LeftTray1and2"  Option="Installed"/>
<Constraint  Feature="HolePunchUnit"  Option="2holesJP"/>
<Constraint  Feature="HolePunchUnit"  Option="4holesEU"/>
<Constraint  Feature="OutputBins"  Option="FinisherShiftTray"/>
<Constraint  Feature="OutputBins"  Option="FinisherBookletTray"/>
<Constraint  Feature="OutputBins"  Option="LeftTray1"/>
<Constraint  Feature="OutputBins"  Option="LeftTray2"/>
</Constraints>
</FeatureOption>
<FeatureOption  Value="BookletFinisher">
<PDLKeyword  Value="BookletFinisher"/>
<rcNameID  Value="RC_STR_BOOKLET_FINISHER"/>
<DisplayName  xml:lang="en-US">Booklet  Finisher</DisplayName>
<Constraints>
<Constraint  Feature="LeftTray1and2"  Option="Installed"/>
<Constraint  Feature="HolePunchUnit"  Option="2and4holes"/>
<Constraint  Feature="OutputBins"  Option="FinisherShiftTray1"/>
<Constraint  Feature="OutputBins"  Option="FinisherShiftTray2"/>
<Constraint  Feature="OutputBins"  Option="LeftTray1"/>
<Constraint  Feature="OutputBins"  Option="LeftTray2"/>
</Constraints>
</FeatureOption>
</DeviceFeature>
<DeviceFeature  Value="HolePunchUnit"  PrinterProperty="true">
<PDLKeyword  Value="PunchUnit"/>
<rcNameID  Value="RC_STR_PUNCH_UNIT"/>
<DisplayName  xml:lang="en-US">Punch  Unit</DisplayName>
<DefaultOption>NotInstalled</DefaultOption>
<FeatureOption  Value="NotInstalled">
<PDLKeyword  Value="NotInstalled"/>
<rcNameID  Value="RC_STR_NOTINSTALLED"/>
<DisplayName  xml:lang="en-US">Not  Installed</DisplayName>
<Constraints>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
<FeatureOption  Value="2and3holes">
<PDLKeyword  Value="2and3holes"/>
<rcNameID  Value="RC_STR_PUNCH_UNIT_2_AND_3"/>
<DisplayName  xml:lang="en-US">2  and  3  holes</DisplayName>
<Constraints>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
<FeatureOption  Value="2and4holes">
<PDLKeyword  Value="2and4holes"/>
<rcNameID  Value="RC_STR_PUNCH_UNIT_2_AND_4"/>
<DisplayName  xml:lang="en-US">2  and  4  holes</DisplayName>
<Constraints>
<Constraint  Feature="HolePunch"  Option="Left3"/>
<Constraint  Feature="HolePunch"  Option="Top3"/>
<Constraint  Feature="HolePunch"  Option="Right3"/>
</Constraints>
</FeatureOption>
<FeatureOption  Value="2holesJP">
<PDLKeyword  Value="2holesJP"/>
<rcNameID  Value="RC_STR_PUNCH_UNIT_2_JP"/>
<DisplayName  xml:lang="en-US">2  holes  type  JP</DisplayName>
<Constraints>
<Constraint  Feature="HolePunch"  Option="Left4"/>
<Constraint  Feature="HolePunch"  Option="Top4"/>
<Constraint  Feature="HolePunch"  Option="Right4"/>
<Constraint  Feature="HolePunch"  Option="Left3"/>
<Constraint  Feature="HolePunch"  Option="Top3"/>
<Constraint  Feature="HolePunch"  Option="Right3"/>
</Constraints>
</FeatureOption>
<FeatureOption  Value="4holesEU">
<PDLKeyword  Value="4holesEU"/>
<rcNameID  Value="RC_STR_PUNCH_UNIT_4_EU"/>
<DisplayName  xml:lang="en-US">4  holes  type  EU</DisplayName>
<Constraints>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
</Constraints>
</FeatureOption>
<FeatureOption  Value="4holesNE">
<PDLKeyword  Value="4holesNE"/>
<rcNameID  Value="RC_STR_PUNCH_UNIT_4_NE"/>
<DisplayName  xml:lang="en-US">4  holes  type  NE</DisplayName>
<Constraints>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
</Constraints>
</FeatureOption>
</DeviceFeature>
<DeviceFeature  Value="MediaSizeName">
<PDLKeyword  Value="PaperSize"/>
<rcNameID  Value="PAPER_SIZE_DISPLAY"/>
<DisplayName  xml:lang="en-US">Paper  Size</DisplayName>
<FeatureOption  Value="na_arch-b_12x18in">
<PDLKeyword  Value="12x18"/>
<rcNameID  Value="RC_STR_12X18"/>
<BlockMacro  Value="=Cmd_Macro_PaperSize_12x18"/>
<DisplayName  xml:lang="en-US">12x18</DisplayName>
<PageDimensions  ValueType="PAIR"  Value="14400,21600"/>
<PrintableArea  ValueType="PAIR"  Value="14000,21200"/>
<PrintableOrigin  ValueType="PAIR"  Value="200,200"/>
</FeatureOption>
<FeatureOption  Value="na_ledger_11x17in">
<PDLKeyword  Value="11X17"/>
<rcNameID  Value="RCID_DMPAPER_SYSTEM_NAME"/>
<BlockMacro  Value="=Cmd_Macro_PaperSize_11X17"/>
<DisplayName  xml:lang="en-US">11X17</DisplayName>
<PrintableArea  ValueType="PAIR"  Value="12800,20000"/>
<PrintableOrigin  ValueType="PAIR"  Value="200,200"/>
</FeatureOption>
<FeatureOption  Value="na_legal_8.5x14in">
<PDLKeyword  Value="LEGAL"/>
<rcNameID  Value="RCID_DMPAPER_SYSTEM_NAME"/>
<BlockMacro  Value="=Cmd_Macro_PaperSize_LEGAL"/>
<DisplayName  xml:lang="en-US">LEGAL</DisplayName>
<PrintableArea  ValueType="PAIR"  Value="9800,16400"/>
<PrintableOrigin  ValueType="PAIR"  Value="200,200"/>
</FeatureOption>
<FeatureOption  Value="na_letter_8.5x11in">
<PDLKeyword  Value="LETTER"/>
<rcNameID  Value="RCID_DMPAPER_SYSTEM_NAME"/>
<BlockMacro  Value="=Cmd_Macro_PaperSize_LETTER"/>
<DisplayName  xml:lang="en-US">LETTER</DisplayName>
<PrintableArea  ValueType="PAIR"  Value="9800,12800"/>
<PrintableOrigin  ValueType="PAIR"  Value="200,200"/>
</FeatureOption>
<FeatureOption  Value="na_executive_7.25x10.5in">
<PDLKeyword  Value="EXECUTIVE"/>
<rcNameID  Value="RCID_DMPAPER_SYSTEM_NAME"/>
<BlockMacro  Value="=Cmd_Macro_PaperSize_EXECUTIVE"/>
<DisplayName  xml:lang="en-US">EXECUTIVE</DisplayName>
<PrintableArea  ValueType="PAIR"  Value="8300,12200"/>
<PrintableOrigin  ValueType="PAIR"  Value="200,200"/>
</FeatureOption>
<FeatureOption  Value="na_invoice_5.5x8.5in">
<PDLKeyword  Value="STATEMENT"/>
<rcNameID  Value="RC_STR_5_5X8_5"/>
<BlockMacro  Value="=Cmd_Macro_PaperSize_STATEMENT"/>
<DisplayName  xml:lang="en-US">STATEMENT</DisplayName>
<PrintableArea  ValueType="PAIR"  Value="6200,9800"/>
<PrintableOrigin  ValueType="PAIR"  Value="200,200"/>
</FeatureOption>
<FeatureOption  Value="iso_a3_297x420mm">
<PDLKeyword  Value="A3"/>
<rcNameID  Value="RCID_DMPAPER_SYSTEM_NAME"/>
<BlockMacro  Value="=Cmd_Macro_PaperSize_A3"/>
<DisplayName  xml:lang="en-US">A3</DisplayName>
<PrintableArea  ValueType="PAIR"  Value="13628,19440"/>
<PrintableOrigin  ValueType="PAIR"  Value="200,200"/>
</FeatureOption>
<FeatureOption  Value="iso_a4_210x297mm">
<PDLKeyword  Value="A4"/>
<rcNameID  Value="RCID_DMPAPER_SYSTEM_NAME"/>
<BlockMacro  Value="=Cmd_Macro_PaperSize_A4"/>
<DisplayName  xml:lang="en-US">A4</DisplayName>
<PrintableArea  ValueType="PAIR"  Value="9520,13628"/>
<PrintableOrigin  ValueType="PAIR"  Value="200,200"/>
</FeatureOption>
<FeatureOption  Value="iso_a5_148x210mm">
<PDLKeyword  Value="A5"/>
<rcNameID  Value="RCID_DMPAPER_SYSTEM_NAME"/>
<BlockMacro  Value="=Cmd_Macro_PaperSize_A5"/>
<DisplayName  xml:lang="en-US">A5</DisplayName>
<PrintableArea  ValueType="PAIR"  Value="6592,9520"/>
<PrintableOrigin  ValueType="PAIR"  Value="200,200"/>
</FeatureOption>
<FeatureOption  Value="iso_a6_105x148mm">
<PDLKeyword  Value="A6"/>
<rcNameID  Value="RC_STR_A6"/>
<BlockMacro  Value="=Cmd_Macro_PaperSize_A6"/>
<DisplayName  xml:lang="en-US">A6</DisplayName>
<PageDimensions  ValueType="PAIR"  Value=""/>
<PrintableArea  ValueType="PAIR"  Value="4560,6592"/>
<PrintableOrigin  ValueType="PAIR"  Value="200,200"/>
</FeatureOption>
<FeatureOption  Value="jis_b4_257x364mm">
<PDLKeyword  Value="B4"/>
<rcNameID  Value="RCID_DMPAPER_SYSTEM_NAME"/>
<BlockMacro  Value="=Cmd_Macro_PaperSize_B4"/>
<DisplayName  xml:lang="en-US">B4</DisplayName>
<PrintableArea  ValueType="PAIR"  Value="11740,16796"/>
<PrintableOrigin  ValueType="PAIR"  Value="200,200"/>
</FeatureOption>
<FeatureOption  Value="jis_b5_182x257mm">
<PDLKeyword  Value="B5"/>
<rcNameID  Value="RCID_DMPAPER_SYSTEM_NAME"/>
<BlockMacro  Value="=Cmd_Macro_PaperSize_B5"/>
<DisplayName  xml:lang="en-US">B5</DisplayName>
<PrintableArea  ValueType="PAIR"  Value="8196,11740"/>
<PrintableOrigin  ValueType="PAIR"  Value="200,200"/>
</FeatureOption>
<FeatureOption  Value="na_number-10_4.125x9.5in">
<PDLKeyword  Value="ENV_10"/>
<rcNameID  Value="RCID_DMPAPER_SYSTEM_NAME"/>
<BlockMacro  Value="=Cmd_Macro_PaperSize_ENV_10"/>
<DisplayName  xml:lang="en-US">ENV_10</DisplayName>
<PrintableArea  ValueType="PAIR"  Value="4548,11000"/>
<PrintableOrigin  ValueType="PAIR"  Value="200,200"/>
</FeatureOption>
<FeatureOption  Value="iso_dl_110x220mm">
<PDLKeyword  Value="ENV_DL"/>
<rcNameID  Value="RCID_DMPAPER_SYSTEM_NAME"/>
<BlockMacro  Value="=Cmd_Macro_PaperSize_ENV_DL"/>
<DisplayName  xml:lang="en-US">ENV_DL</DisplayName>
<PrintableArea  ValueType="PAIR"  Value="4796,9992"/>
<PrintableOrigin  ValueType="PAIR"  Value="200,200"/>
</FeatureOption>
<FeatureOption  Value="na_monarch_3.875x7.5in">
<PDLKeyword  Value="ENV_MONARCH"/>
<rcNameID  Value="RCID_DMPAPER_SYSTEM_NAME"/>
<BlockMacro  Value="=Cmd_Macro_PaperSize_ENV_MONARCH"/>
<DisplayName  xml:lang="en-US">ENV_MONARCH</DisplayName>
<PrintableArea  ValueType="PAIR"  Value="4248,8600"/>
<PrintableOrigin  ValueType="PAIR"  Value="200,200"/>
</FeatureOption>
<FeatureOption  Value="iso_c5_162x229mm">
<PDLKeyword  Value="ENV_C5"/>
<rcNameID  Value="RCID_DMPAPER_SYSTEM_NAME"/>
<BlockMacro  Value="=Cmd_Macro_PaperSize_ENV_C5"/>
<DisplayName  xml:lang="en-US">ENV_C5</DisplayName>
<PrintableArea  ValueType="PAIR"  Value="7252,10416"/>
<PrintableOrigin  ValueType="PAIR"  Value="200,200"/>
</FeatureOption>
<FeatureOption  Value="iso_c6_114x162mm">
<PDLKeyword  Value="ENV_C6"/>
<rcNameID  Value="RCID_DMPAPER_SYSTEM_NAME"/>
<BlockMacro  Value="=Cmd_Macro_PaperSize_ENV_C6"/>
<DisplayName  xml:lang="en-US">ENV_C6</DisplayName>
<PrintableArea  ValueType="PAIR"  Value="4984,7252"/>
<PrintableOrigin  ValueType="PAIR"  Value="200,200"/>
</FeatureOption>
<FeatureOption  Value="na_foolscap_8.5x13in">
<PDLKeyword  Value="FOLIO"/>
<rcNameID  Value="RC_STR_8_5X13"/>
<BlockMacro  Value="=Cmd_Macro_PaperSize_FOLIO"/>
<DisplayName  xml:lang="en-US">FOLIO</DisplayName>
<PrintableArea  ValueType="PAIR"  Value="9800,15200"/>
<PrintableOrigin  ValueType="PAIR"  Value="200,200"/>
</FeatureOption>
<FeatureOption  Value="na_unknown_8.25x13in">
<PDLKeyword  Value="8_25x13"/>
<rcNameID  Value="RC_STR_8_25X13"/>
<BlockMacro  Value="=Cmd_Macro_PaperSize_8_25x13"/>
<DisplayName  xml:lang="en-US">8_25x13</DisplayName>
<PageDimensions  ValueType="PAIR"  Value="9900,15600"/>
<PrintableArea  ValueType="PAIR"  Value="9500,15200"/>
<PrintableOrigin  ValueType="PAIR"  Value="200,200"/>
</FeatureOption>
<FeatureOption  Value="na_govt-legal_8x13in">
<PDLKeyword  Value="8x13"/>
<rcNameID  Value="RC_STR_8X13"/>
<BlockMacro  Value="=Cmd_Macro_PaperSize_8x13"/>
<DisplayName  xml:lang="en-US">8x13</DisplayName>
<PageDimensions  ValueType="PAIR"  Value="9600,15600"/>
<PrintableArea  ValueType="PAIR"  Value="9200,15200"/>
<PrintableOrigin  ValueType="PAIR"  Value="200,200"/>
</FeatureOption>
<FeatureOption  Value="om_pa-kai_267x389mm">
<PDLKeyword  Value="8kai"/>
<rcNameID  Value="RC_STR_8K"/>
<BlockMacro  Value="=Cmd_Macro_PaperSize_8kai"/>
<DisplayName  xml:lang="en-US">8kai</DisplayName>
<PageDimensions  ValueType="PAIR"  Value="12612,18424"/>
<PrintableArea  ValueType="PAIR"  Value="12212,18024"/>
<PrintableOrigin  ValueType="PAIR"  Value="200,200"/>
</FeatureOption>
<FeatureOption  Value="prc_16k_146x215mm">
<PDLKeyword  Value="16kai"/>
<rcNameID  Value="RC_STR_16K"/>
<BlockMacro  Value="=Cmd_Macro_PaperSize_16kai"/>
<DisplayName  xml:lang="en-US">16kai</DisplayName>
<PageDimensions  ValueType="PAIR"  Value="9212,12612"/>
<PrintableArea  ValueType="PAIR"  Value="8812,12212"/>
<PrintableOrigin  ValueType="PAIR"  Value="200,200"/>
</FeatureOption>
<FeatureOption  Value="custom_papersize">
<PDLKeyword  Value="CUSTOMSIZE"/>
<rcNameID  Value="RCID_DMPAPER_SYSTEM_NAME"/>
<BlockMacro  Value="=Cmd_Macro_PaperSize_CUSTOMSIZE"/>
<DisplayName  xml:lang="en-US">CUSTOMSIZE</DisplayName>
<MinSize  ValueType="PAIR"  Value="4251,6992"/>
<MaxSize  ValueType="PAIR"  Value="14412,28346"/>
<MaxPrintableWidth  ValueType="INT"  Value="14412"/>
<MinLeftMargin  ValueType="INT"  Value="200"/>
<TopMargin  ValueType="INT"  Value="200"/>
<BottomMargin  ValueType="INT"  Value="200"/>
</FeatureOption>
</DeviceFeature>
<DeviceFeature  Value="MediaType">
<PDLKeyword  Value="MediaType"/>
<rcNameID  Value="MEDIA_TYPE_DISPLAY"/>
<DisplayName  xml:lang="en-US">Media</DisplayName>
<ConflictPriority  ValueType="INT"  Value="30"/>
<FeatureOption  Value="Auto">
<PDLKeyword  Value="Auto"/>
<rcNameID  Value="HT_AUTO_SELECT_DISPLAY"/>
<DisplayName  xml:lang="en-US">Auto  Select</DisplayName>
</FeatureOption>
<FeatureOption  Value="STANDARD">
<PDLKeyword  Value="STANDARD"/>
<rcNameID  Value="RC_STR_PLAIN"/>
<DisplayName  xml:lang="en-US">Plain  Paper</DisplayName>
</FeatureOption>
<FeatureOption  Value="Recycled">
<PDLKeyword  Value="Recycled"/>
<rcNameID  Value="RC_STR_RECYCLED"/>
<DisplayName  xml:lang="en-US">Recycled</DisplayName>
</FeatureOption>
<FeatureOption  Value="Special">
<PDLKeyword  Value="Special"/>
<rcNameID  Value="RC_STR_SPECIAL"/>
<DisplayName  xml:lang="en-US">Special</DisplayName>
</FeatureOption>
<FeatureOption  Value="Thick">
<PDLKeyword  Value="Thick"/>
<rcNameID  Value="RC_STR_THICK"/>
<DisplayName  xml:lang="en-US">Thick</DisplayName>
</FeatureOption>
<FeatureOption  Value="TRANSPARENCY">
<PDLKeyword  Value="TRANSPARENCY"/>
<rcNameID  Value="TRANSPARENCY_DISPLAY"/>
<DisplayName  xml:lang="en-US">Transparency</DisplayName>
</FeatureOption>
<FeatureOption  Value="Color">
<PDLKeyword  Value="Color"/>
<rcNameID  Value="RC_STR_COLOR"/>
<DisplayName  xml:lang="en-US">Color</DisplayName>
</FeatureOption>
<FeatureOption  Value="Letterhead">
<PDLKeyword  Value="Letterhead"/>
<rcNameID  Value="RC_STR_LETTERHEAD"/>
<DisplayName  xml:lang="en-US">Letterhead</DisplayName>
</FeatureOption>
<FeatureOption  Value="Preprinted">
<PDLKeyword  Value="Preprinted"/>
<rcNameID  Value="RC_STR_PREPRINTED"/>
<DisplayName  xml:lang="en-US">Preprinted</DisplayName>
</FeatureOption>
<FeatureOption  Value="Labels">
<PDLKeyword  Value="Labels"/>
<rcNameID  Value="RC_STR_LABELS"/>
<DisplayName  xml:lang="en-US">Labels</DisplayName>
</FeatureOption>
<FeatureOption  Value="Plain_Duplex_Backside">
<PDLKeyword  Value="Plain_Duplex_Backside"/>
<rcNameID  Value="RC_STR_PLAIN_DUPLEX_BACKSIDE"/>
<DisplayName  xml:lang="en-US">Plain  (Duplex  Backside)</DisplayName>
</FeatureOption>
<FeatureOption  Value="Thick_Duplex_Backside">
<PDLKeyword  Value="Thick_Duplex_Backside"/>
<rcNameID  Value="RC_STR_THICK_DUPLEX_BACKSIDE"/>
<DisplayName  xml:lang="en-US">Thick  (Duplex  Backside)</DisplayName>
</FeatureOption>
</DeviceFeature>
<DeviceFeature  Value="InputBins">
<PDLKeyword  Value="InputBin"/>
<rcNameID  Value="PAPER_SOURCE_DISPLAY"/>
<DefaultOption>AUTO</DefaultOption>
<DisplayName  xml:lang="en-US">Paper  Source</DisplayName>
<ConflictPriority  ValueType="INT"  Value="20"/>
<FeatureOption  Value="AUTO">
<PDLKeyword  Value="AUTO"/>
<rcNameID  Value="RC_STR_AUTO_SELECT_BY_PRINTER"/>
<DisplayName  xml:lang="en-US">Auto  Select  by  Printer</DisplayName>
</FeatureOption>
<FeatureOption  Value="Bypass">
<PDLKeyword  Value="BypassTray"/>
<rcNameID  Value="RC_STR_BYPASS_TRAY"/>
<OptionID  Value="RI_DMBINBYPASS_TRAY"/>
<DisplayName  xml:lang="en-US">Bypass  Tray</DisplayName>
</FeatureOption>
<FeatureOption  Value="Tray1">
<PDLKeyword  Value="Tray1"/>
<rcNameID  Value="RC_STR_TRAY1"/>
<OptionID  Value="RI_DMBIN_TRAY1"/>
<DisplayName  xml:lang="en-US">Tray  1</DisplayName>
</FeatureOption>
<FeatureOption  Value="Tray2">
<PDLKeyword  Value="Tray2"/>
<rcNameID  Value="RC_STR_TRAY2"/>
<OptionID  Value="RI_DMBIN_TRAY2"/>
<DisplayName  xml:lang="en-US">Tray  2</DisplayName>
</FeatureOption>
<FeatureOption  Value="Tray3">
<PDLKeyword  Value="Tray3"/>
<rcNameID  Value="RC_STR_TRAY3"/>
<OptionID  Value="RI_DMBIN_TRAY3"/>
<DisplayName  xml:lang="en-US">Tray  3</DisplayName>
</FeatureOption>
<FeatureOption  Value="Tray4">
<PDLKeyword  Value="Tray4"/>
<rcNameID  Value="RC_STR_TRAY4"/>
<OptionID  Value="RI_DMBIN_TRAY4"/>
<DisplayName  xml:lang="en-US">Tray  4</DisplayName>
</FeatureOption>
<FeatureOption  Value="LargeCapacity">
<PDLKeyword  Value="LARGECAPACITY"/>
<rcNameID  Value="RC_STR_LARGE_CAPACITY_TRAY"/>
<DisplayName  xml:lang="en-US">Large  Capacity  Tray</DisplayName>
</FeatureOption>
</DeviceFeature>
<DeviceFeature  Value="SlipSheet">
<PDLKeyword  Value="SlipSheet"/>
<rcNameID  Value="RC_STR_SLIPSHEET"/>
<DefaultOption>OFF</DefaultOption>
<DisplayName  xml:lang="en-US">Slip  Sheet</DisplayName>
<ConflictPriority  ValueType="INT"  Value="10"/>
<FeatureOption  Value="OFF">
<PDLKeyword  Value="OFF"/>
<rcNameID  Value="OFF_DISPLAY"/>
<DisplayName  xml:lang="en-US">Off</DisplayName>
</FeatureOption>
<FeatureOption  Value="ON">
<PDLKeyword  Value="ON"/>
<rcNameID  Value="ON_DISPLAY"/>
<DisplayName  xml:lang="en-US">On</DisplayName>
</FeatureOption>
</DeviceFeature>
<DeviceFeature  Value="SlipSheetInputBin">
<PDLKeyword  Value="SlipSheetInputBin"/>
<rcNameID  Value="RC_STR_SLIPSHEET_PAPER_SOURCE"/>
<DefaultOption>Bypass</DefaultOption>
<DisplayName  xml:lang="en-US">Slip  Sheet  Paper  Source</DisplayName>
<FeatureOption  Value="Bypass">
<PDLKeyword  Value="BypassTray"/>
<rcNameID  Value="RC_STR_BYPASS_TRAY"/>
<DisplayName  xml:lang="en-US">Bypass  Tray</DisplayName>
</FeatureOption>
<FeatureOption  Value="Tray1">
<PDLKeyword  Value="Tray1"/>
<rcNameID  Value="RC_STR_TRAY1"/>
<DisplayName  xml:lang="en-US">Tray  1</DisplayName>
</FeatureOption>
<FeatureOption  Value="Tray2">
<PDLKeyword  Value="Tray2"/>
<rcNameID  Value="RC_STR_TRAY2"/>
<DisplayName  xml:lang="en-US">Tray  2</DisplayName>
</FeatureOption>
<FeatureOption  Value="Tray3">
<PDLKeyword  Value="Tray3"/>
<rcNameID  Value="RC_STR_TRAY3"/>
<DisplayName  xml:lang="en-US">Tray  3</DisplayName>
</FeatureOption>
<FeatureOption  Value="Tray4">
<PDLKeyword  Value="Tray4"/>
<rcNameID  Value="RC_STR_TRAY4"/>
<DisplayName  xml:lang="en-US">Tray  4</DisplayName>
</FeatureOption>
<FeatureOption  Value="LargeCapacity">
<PDLKeyword  Value="LARGECAPACITY"/>
<rcNameID  Value="RC_STR_LARGE_CAPACITY_TRAY"/>
<DisplayName  xml:lang="en-US">Large  Capacity  Tray</DisplayName>
</FeatureOption>
</DeviceFeature>
<DeviceFeature  Value="OutputBins">
<PDLKeyword  Value="OutputBin"/>
<rcNameID  Value="OUTPUTBIN_DISPLAY"/>
<DefaultOption>PrinterDefault</DefaultOption>
<DisplayName  xml:lang="en-US">Output  Bin</DisplayName>
<FeatureOption  Value="PrinterDefault">
<PDLKeyword  Value="PrinterDefault"/>
<rcNameID  Value="RC_STR_PRINTER_DEFAULT"/>
<DisplayName  xml:lang="en-US">Printer  Default</DisplayName>
</FeatureOption>
<FeatureOption  Value="StandardTray">
<PDLKeyword  Value="StandardTray"/>
<rcNameID  Value="RC_STR_STANDARD_TRAY"/>
<DisplayName  xml:lang="en-US">Standard  Tray</DisplayName>
<DisabledFeatures  ValueType="LIST">
<DisabledFeature  Value="Staple"/>
</DisabledFeatures>
<DisabledFeatures  ValueType="LIST">
<DisabledFeature  Value="HolePunch"/>
</DisabledFeatures>
<Constraints>
<Constraint  Feature="Staple"  Option="TopLeft"/>
<Constraint  Feature="Staple"  Option="TopLeftSlant"/>
<Constraint  Feature="Staple"  Option="TopRight"/>
<Constraint  Feature="Staple"  Option="TopRightSlant"/>
<Constraint  Feature="Staple"  Option="Top2"/>
<Constraint  Feature="Staple"  Option="Left2"/>
<Constraint  Feature="Staple"  Option="Right2"/>
<Constraint  Feature="Staple"  Option="Booklet"/>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
<FeatureOption  Value="ExternalTray">
<PDLKeyword  Value="ExternalTray"/>
<rcNameID  Value="RC_STR_EXTERNAL_TRAY"/>
<DisplayName  xml:lang="en-US">External  Tray</DisplayName>
<DisabledFeatures  ValueType="LIST">
<DisabledFeature  Value="Staple"/>
</DisabledFeatures>
<DisabledFeatures  ValueType="LIST">
<DisabledFeature  Value="HolePunch"/>
</DisabledFeatures>
<Constraints>
<Constraint  Feature="Staple"  Option="TopLeft"/>
<Constraint  Feature="Staple"  Option="TopLeftSlant"/>
<Constraint  Feature="Staple"  Option="TopRight"/>
<Constraint  Feature="Staple"  Option="TopRightSlant"/>
<Constraint  Feature="Staple"  Option="Top2"/>
<Constraint  Feature="Staple"  Option="Left2"/>
<Constraint  Feature="Staple"  Option="Right2"/>
<Constraint  Feature="Staple"  Option="Booklet"/>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
<Constraint  Feature="Sides"  Option="TwoSidedLongEdge"/>
<Constraint  Feature="Sides"  Option="TwoSidedShortEdge"/>
</Constraints>
</FeatureOption>
<FeatureOption  Value="FinisherShiftTray1">
<PDLKeyword  Value="FinisherShiftTray1"/>
<rcNameID  Value="RC_STR_FINISHER_SHIFT_TRAY1"/>
<DisplayName  xml:lang="en-US">Finisher  Shift  Tray  1</DisplayName>
<Constraints>
<Constraint  Feature="Staple"  Option="Booklet"/>
</Constraints>
</FeatureOption>
<FeatureOption  Value="FinisherShiftTray2">
<PDLKeyword  Value="FinisherShiftTray2"/>
<rcNameID  Value="RC_STR_FINISHER_SHIFT_TRAY2"/>
<DisplayName  xml:lang="en-US">Finisher  Shift  Tray  2</DisplayName>
<Constraints>
<Constraint  Feature="Staple"  Option="Booklet"/>
</Constraints>
</FeatureOption>
<FeatureOption  Value="FinisherShiftTray">
<PDLKeyword  Value="FinisherShiftTray"/>
<rcNameID  Value="RC_STR_FINISHER_SHIFT_TRAY"/>
<DisplayName  xml:lang="en-US">Finisher  Shift  Tray</DisplayName>
<Constraints>
<Constraint  Feature="Staple"  Option="Booklet"/>
</Constraints>
</FeatureOption>
<FeatureOption  Value="FinisherBookletTray">
<PDLKeyword  Value="FinisherBookletTray"/>
<rcNameID  Value="RC_STR_BOOKLET_FINISHER_TRAY"/>
<DisplayName  xml:lang="en-US">Booklet  Finisher  Tray</DisplayName>
<DisabledFeatures  ValueType="LIST">
<DisabledFeature  Value="HolePunch"/>
</DisabledFeatures>
<Constraints>
<Constraint  Feature="Staple"  Option="TopLeft"/>
<Constraint  Feature="Staple"  Option="TopLeftSlant"/>
<Constraint  Feature="Staple"  Option="TopRight"/>
<Constraint  Feature="Staple"  Option="TopRightSlant"/>
<Constraint  Feature="Staple"  Option="Top2"/>
<Constraint  Feature="Staple"  Option="Left2"/>
<Constraint  Feature="Staple"  Option="Right2"/>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
<FeatureOption  Value="LeftTray1">
<PDLKeyword  Value="LeftTray1"/>
<rcNameID  Value="RC_STR_LEFT_TRAY1"/>
<DisplayName  xml:lang="en-US">Left  Tray  1</DisplayName>
<DisabledFeatures  ValueType="LIST">
<DisabledFeature  Value="Staple"/>
</DisabledFeatures>
<DisabledFeatures  ValueType="LIST">
<DisabledFeature  Value="HolePunch"/>
</DisabledFeatures>
<Constraints>
<Constraint  Feature="Staple"  Option="TopLeft"/>
<Constraint  Feature="Staple"  Option="TopLeftSlant"/>
<Constraint  Feature="Staple"  Option="TopRight"/>
<Constraint  Feature="Staple"  Option="TopRightSlant"/>
<Constraint  Feature="Staple"  Option="Top2"/>
<Constraint  Feature="Staple"  Option="Left2"/>
<Constraint  Feature="Staple"  Option="Right2"/>
<Constraint  Feature="Staple"  Option="Booklet"/>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
<FeatureOption  Value="LeftTray2">
<PDLKeyword  Value="LeftTray2"/>
<rcNameID  Value="RC_STR_LEFT_TRAY2"/>
<DisplayName  xml:lang="en-US">Left  Tray  2</DisplayName>
<DisabledFeatures  ValueType="LIST">
<DisabledFeature  Value="Staple"/>
</DisabledFeatures>
<DisabledFeatures  ValueType="LIST">
<DisabledFeature  Value="HolePunch"/>
</DisabledFeatures>
<Constraints>
<Constraint  Feature="Staple"  Option="TopLeft"/>
<Constraint  Feature="Staple"  Option="TopLeftSlant"/>
<Constraint  Feature="Staple"  Option="TopRight"/>
<Constraint  Feature="Staple"  Option="TopRightSlant"/>
<Constraint  Feature="Staple"  Option="Top2"/>
<Constraint  Feature="Staple"  Option="Left2"/>
<Constraint  Feature="Staple"  Option="Right2"/>
<Constraint  Feature="Staple"  Option="Booklet"/>
<Constraint  Feature="HolePunch"  Option="Left2"/>
<Constraint  Feature="HolePunch"  Option="Top2"/>
<Constraint  Feature="HolePunch"  Option="Right2"/>
<Constraint  Feature="HolePunch"  Option="Left3"/>
<Constraint  Feature="HolePunch"  Option="Top3"/>
<Constraint  Feature="HolePunch"  Option="Right3"/>
<Constraint  Feature="HolePunch"  Option="Left4"/>
<Constraint  Feature="HolePunch"  Option="Top4"/>
<Constraint  Feature="HolePunch"  Option="Right4"/>
</Constraints>
</FeatureOption>
</DeviceFeature>
<DeviceFeature  Value="Staple">
<PDLKeyword  Value="Stapling"/>
<rcNameID  Value="RC_STR_STAPLE"/>
<DefaultOption>OFF</DefaultOption>
<DisplayName  xml:lang="en-US">Staple</DisplayName>
<FeatureOption  Value="OFF">
<PDLKeyword  Value="OFF"/>
<rcNameID  Value="OFF_DISPLAY"/>
<DisplayName  xml:lang="en-US">OFF</DisplayName>
</FeatureOption>
<FeatureOption  Value="TopLeft">
<PDLKeyword  Value="TopLeft"/>
<rcNameID  Value="RC_STR_TOP_LEFT"/>
<DisplayName  xml:lang="en-US">Top  Left</DisplayName>
</FeatureOption>
<FeatureOption  Value="TopRight">
<PDLKeyword  Value="TopRight"/>
<rcNameID  Value="RC_STR_TOP_RIGHT"/>
<DisplayName  xml:lang="en-US">Top  Right</DisplayName>
</FeatureOption>
<FeatureOption  Value="Left2">
<PDLKeyword  Value="Left2"/>
<rcNameID  Value="RC_STR_LEFT2"/>
<DisplayName  xml:lang="en-US">Left  2</DisplayName>
</FeatureOption>
<FeatureOption  Value="Top2">
<PDLKeyword  Value="Top2"/>
<rcNameID  Value="RC_STR_TOP2"/>
<DisplayName  xml:lang="en-US">Top  2</DisplayName>
</FeatureOption>
<FeatureOption  Value="Right2">
<PDLKeyword  Value="Right2"/>
<rcNameID  Value="RC_STR_RIGHT2"/>
<DisplayName  xml:lang="en-US">Right  2</DisplayName>
</FeatureOption>
<FeatureOption  Value="TopLeftSlant">
<PDLKeyword  Value="TopLeftSlant"/>
<rcNameID  Value="RC_STR_TOP_LEFT_SLANT"/>
<DisplayName  xml:lang="en-US">Top  Left  Slant</DisplayName>
</FeatureOption>
<FeatureOption  Value="TopRightSlant">
<PDLKeyword  Value="TopRightSlant"/>
<rcNameID  Value="RC_STR_TOP_RIGHT_SLANT"/>
<DisplayName  xml:lang="en-US">Top  Right  Slant</DisplayName>
</FeatureOption>
<FeatureOption  Value="Booklet">
<PDLKeyword  Value="Booklet"/>
<rcNameID  Value="RC_STR_BOOKLET"/>
<DisplayName  xml:lang="en-US">Booklet</DisplayName>
</FeatureOption>
</DeviceFeature>
<DeviceFeature  Value="HolePunch">
<PDLKeyword  Value="Punching"/>
<rcNameID  Value="RC_STR_PUNCH"/>
<DefaultOption>OFF</DefaultOption>
<DisplayName  xml:lang="en-US">Punch</DisplayName>
<FeatureOption  Value="OFF">
<PDLKeyword  Value="OFF"/>
<rcNameID  Value="OFF_DISPLAY"/>
<DisplayName  xml:lang="en-US">OFF</DisplayName>
</FeatureOption>
<FeatureOption  Value="Left2">
<PDLKeyword  Value="Left2"/>
<rcNameID  Value="RC_STR_LEFT2"/>
<DisplayName  xml:lang="en-US">Left  2</DisplayName>
</FeatureOption>
<FeatureOption  Value="Top2">
<PDLKeyword  Value="Top2"/>
<rcNameID  Value="RC_STR_TOP2"/>
<DisplayName  xml:lang="en-US">Top  2</DisplayName>
</FeatureOption>
<FeatureOption  Value="Right2">
<PDLKeyword  Value="Right2"/>
<rcNameID  Value="RC_STR_RIGHT2"/>
<DisplayName  xml:lang="en-US">Right  2</DisplayName>
</FeatureOption>
<FeatureOption  Value="Left3">
<PDLKeyword  Value="Left3"/>
<rcNameID  Value="RC_STR_LEFT3"/>
<DisplayName  xml:lang="en-US">Left  3</DisplayName>
</FeatureOption>
<FeatureOption  Value="Top3">
<PDLKeyword  Value="Top3"/>
<rcNameID  Value="RC_STR_TOP3"/>
<DisplayName  xml:lang="en-US">Top  3</DisplayName>
</FeatureOption>
<FeatureOption  Value="Right3">
<PDLKeyword  Value="Right3"/>
<rcNameID  Value="RC_STR_RIGHT3"/>
<DisplayName  xml:lang="en-US">Right  3</DisplayName>
</FeatureOption>
<FeatureOption  Value="Left4">
<PDLKeyword  Value="Left4"/>
<rcNameID  Value="RC_STR_LEFT4"/>
<DisplayName  xml:lang="en-US">Left  4</DisplayName>
</FeatureOption>
<FeatureOption  Value="Top4">
<PDLKeyword  Value="Top4"/>
<rcNameID  Value="RC_STR_TOP4"/>
<DisplayName  xml:lang="en-US">Top  4</DisplayName>
</FeatureOption>
<FeatureOption  Value="Right4">
<PDLKeyword  Value="Right4"/>
<rcNameID  Value="RC_STR_RIGHT4"/>
<DisplayName  xml:lang="en-US">Right  4</DisplayName>
</FeatureOption>
</DeviceFeature>
<DeviceFeature  Value="Orientation">
<PDLKeyword  Value="Orientation"/>
<rcNameID  Value="ORIENTATION_DISPLAY"/>
<DisplayName  xml:lang="en-US">Orientation</DisplayName>
<FeatureOption  Value="Landscape">
<PDLKeyword  Value="LANDSCAPE_CC90"/>
<rcNameID  Value="LANDSCAPE_DISPLAY"/>
<DisplayName  xml:lang="en-US">Landscape</DisplayName>
</FeatureOption>
<FeatureOption  Value="Portrait">
<PDLKeyword  Value="PORTRAIT"/>
<rcNameID  Value="PORTRAIT_DISPLAY"/>
<DisplayName  xml:lang="en-US">Portrait</DisplayName>
</FeatureOption>
</DeviceFeature>
<DeviceFeature  Value="Sides">
<PDLKeyword  Value="Duplex"/>
<rcNameID  Value="TWO_SIDED_PRINTING_DISPLAY"/>
<DisplayName  xml:lang="en-US">Print  on  Both  Sides</DisplayName>
<FeatureOption  Value="OneSided">
<PDLKeyword  Value="NONE"/>
<rcNameID  Value="NONE_DISPLAY"/>
<DisplayName  xml:lang="en-US">None</DisplayName>
</FeatureOption>
<FeatureOption  Value="TwoSidedLongEdge">
<PDLKeyword  Value="VERTICAL"/>
<rcNameID  Value="FLIP_ON_LONG_EDGE_DISPLAY"/>
<DisplayName  xml:lang="en-US">Flip  on  long  edge</DisplayName>
</FeatureOption>
<FeatureOption  Value="TwoSidedShortEdge">
<PDLKeyword  Value="HORIZONTAL"/>
<rcNameID  Value="FLIP_ON_SHORT_EDGE_DISPLAY"/>
<DisplayName  xml:lang="en-US">Flip  on  short  edge</DisplayName>
</FeatureOption>
</DeviceFeature>
<DeviceFeature  Value="Resolution">
<PDLKeyword  Value="Resolution"/>
<rcNameID  Value="RESOLUTION_DISPLAY"/>
<DisplayName  xml:lang="en-US">Resolution</DisplayName>
<FeatureOption  Value="600">
<PDLKeyword  Value="600dpi"/>
<rcNameID  Value="RC_STR_600DPI"/>
<DisplayName  xml:lang="en-US">600dpi</DisplayName>
</FeatureOption>
<FeatureOption  Value="1200">
<PDLKeyword  Value="1200dpi"/>
<rcNameID  Value="RC_STR_1200DPI"/>
<DisplayName  xml:lang="en-US">1200dpi</DisplayName>
</FeatureOption>
</DeviceFeature>
<DeviceFeature  Value="TrueTypeFormat"/>
<DeviceFeature  Value="ColorMode">
<PDLKeyword  Value="ColorMode"/>
<rcNameID  Value="COLOR_PRINTING_MODE_DISPLAY"/>
<DefaultOption>24bpp</DefaultOption>
<DisplayName  xml:lang="en-US">Color  Mode</DisplayName>
<FeatureOption  Value="24bpp">
<PDLKeyword  Value="24bpp"/>
<rcNameID  Value="24BPP_DISPLAY"/>
<DisplayName  xml:lang="en-US">True  Color  (24BPP)</DisplayName>
</FeatureOption>
<FeatureOption  Value="Mono">
<PDLKeyword  Value="Mono"/>
<rcNameID  Value="MONO_DISPLAY"/>
<DisplayName  xml:lang="en-US">Monochrome</DisplayName>
</FeatureOption>
</DeviceFeature>
<DeviceFeature  Value="RAM"  PrinterProperty="true">
<DisplayName  xml:lang="en-US">Printer  Memory</DisplayName>
<DefaultOption>65536KB</DefaultOption>
<ConcealFromUI  ValueType="BOOL"  Value="TRUE"/>
<FeatureOption  Value="65536KB">
<PDLKeyword  Value="65536KB"/>
<DisplayName  xml:lang="en-US">64MB</DisplayName>
</FeatureOption>
</DeviceFeature>
<DeviceFeature  Value="HardDisk"  PrinterProperty="true">
<DisplayName  xml:lang="en-US">HardDisk</DisplayName>
<DefaultOption>Installed</DefaultOption>
<ConcealFromUI  ValueType="BOOL"  Value="TRUE"/>
<FeatureOption  Value="Installed">
<PDLKeyword  Value="Installed"/>
<rcNameID  Value="RC_STR_INSTALLED"/>
<DisplayName  xml:lang="en-US">Installed</DisplayName>
</FeatureOption>
</DeviceFeature>
<DeviceFeature  Value="UVCoating"  PrinterProperty="true">
<PDLKeyword  Value="UVCoatingPDLName"/>
<DisplayName  xml:lang="en-US">UVCoatingDisplayName_ENG</DisplayName>
<DisplayName  xml:lang="ja-JP">UVCoatingDisplayName_JP_特徴</DisplayName>
<DisplayName  xml:lang="zh-CN">UVCoatingDisplayName_CN_渡膜</DisplayName>
<DefaultOption>UVCoatingOption1</DefaultOption>
<FeatureOption  Value="UVCoatingOption1">
<DisplayName  xml:lang="en-US">UVCoatingOption1DisplayName_ENG</DisplayName>
<DisplayName  xml:lang="ja-JP">UVCoatingOption1DisplayName_JP_コーティング_オプション_1</DisplayName>
<DisplayName  xml:lang="zh-CN">UVCoatingOption1DisplayName_CN_渡膜_選項1</DisplayName>
</FeatureOption>
<FeatureOption  Value="UVCoatingOption2">
<DisplayName  xml:lang="en-US">UVCoatingOption2DisplayName_ENG</DisplayName>
<DisplayName  xml:lang="ja-JP">UVCoatingOption2DisplayName_JP_コーティング_オプション_2</DisplayName>
<DisplayName  xml:lang="zh-CN">UVCoatingOption2DisplayName_CN_渡膜_選項2</DisplayName>
</FeatureOption>
<FeatureOption  Value="UVCoatingOption3">
<DisplayName  xml:lang="en-US">UVCoatingOption3DisplayName_ENG</DisplayName>
<DisplayName  xml:lang="ja-JP">UVCoatingOption3DisplayName_JP_コーティング_オプション_3</DisplayName>
<DisplayName  xml:lang="zh-CN">UVCoatingOption3DisplayName_CN_渡膜_選項3</DisplayName>
</FeatureOption>
</DeviceFeature>    
<DeviceFeature  Value="Copies"  MinValue="1"  MaxValue="999999"/>
<DeviceFeature  Value="PagesPerSheet">
<FeatureOption  Value="1"/>
<FeatureOption  Value="2"/>
<FeatureOption  Value="4"/>
<FeatureOption  Value="9"/>
<FeatureOption  Value="16"/>
</DeviceFeature>
<DeviceFeature  Value="Direction">
<FeatureOption  Value="RightDown"/>
<FeatureOption  Value="DownRight"/>
<FeatureOption  Value="LeftDown"/>
<FeatureOption  Value="DownLeft"/>
</DeviceFeature>
<DeviceFeature  Value="Collate">
<PDLKeyword  Value="Collate"/>
<DisplayName  xml:lang="en-US">Collate</DisplayName>
<FeatureOption  Value="false">
<PDLKeyword  Value="OFF"/>
<rcNameID  Value="OFF_DISPLAY"/>
<DisplayName  xml:lang="en-US">OFF</DisplayName>
</FeatureOption>
<FeatureOption  Value="true">
<PDLKeyword  Value="ON"/>
<rcNameID  Value="ON_DISPLAY"/>
<DisplayName  xml:lang="en-US">ON</DisplayName>
</FeatureOption>
</DeviceFeature>
<DeviceFeature  Value="Dither">
<PDLKeyword  Value="Dither"/>
<rcNameID  Value="RC_STR_DITHER_QUALITY"/>
<DefaultOption>High</DefaultOption>
<DisplayName  xml:lang="en-US">Dither</DisplayName>
<FeatureOption  Value="High">
<PDLKeyword  Value="High"/>
<rcNameID  Value="RC_STR_HIGH"/>
<DisplayName  xml:lang="en-US">High</DisplayName>
</FeatureOption>
<FeatureOption  Value="Low">
<PDLKeyword  Value="Low"/>
<rcNameID  Value="RC_STR_LOW"/>
<DisplayName  xml:lang="en-US">Low</DisplayName>
</FeatureOption>
</DeviceFeature>
<DeviceFeature  Value="Support8CharPassword">
<DisplayName  xml:lang="en-US">Support8CharPassword</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportDocUiReplace">
<DisplayName  xml:lang="en-US">SupportDocUiReplace</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="AutoConfig">
<DisplayName  xml:lang="en-US">AutoConfig</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportSamplePrint">
<DisplayName  xml:lang="en-US">SupportSamplePrint</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportSecurePrint">
<DisplayName  xml:lang="en-US">SupportSecurePrint</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportHoldPrint">
<DisplayName  xml:lang="en-US">SupportHoldPrint</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportStoredPrint">
<DisplayName  xml:lang="en-US">SupportStoredPrint</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
<DeviceFeature  Value="SupportDocumentBox">
<DisplayName  xml:lang="en-US">SupportDocumentBox</DisplayName>
<ConcealFromUI  ValueType="BOOL"  Value="TRUE"/>
<DefaultOption>ON</DefaultOption>
<FeatureOption  Value="ON">
<DisplayName  xml:lang="en-US">ON</DisplayName>
</FeatureOption>
</DeviceFeature>
</DeviceFeatures>
<GlobalConstraints>
<InvalidCombinations>
<InvalidCombination  Feature="InputBins"  Option="Tray1"/>
<InvalidCombination  Feature="MediaType"  Option="TRANSPARENCY"/>
</InvalidCombinations>
<InvalidCombinations>
<InvalidCombination  Feature="InputBins"  Option="Tray1"/>
<InvalidCombination  Feature="MediaType"  Option="Thick"/>
</InvalidCombinations>
<InvalidCombinations>
<InvalidCombination  Feature="InputBins"  Option="Tray1"/>
<InvalidCombination  Feature="MediaType"  Option="Labels"/>
</InvalidCombinations>
<InvalidCombinations>
<InvalidCombination  Feature="InputBins"  Option="Tray1"/>
<InvalidCombination  Feature="MediaType"  Option="Plain_Duplex_Backside"/>
</InvalidCombinations>
<InvalidCombinations>
<InvalidCombination  Feature="InputBins"  Option="Tray1"/>
<InvalidCombination  Feature="MediaType"  Option="Thick_Duplex_Backside"/>
</InvalidCombinations>
<InvalidCombinations>
<InvalidCombination  Feature="InputBins"  Option="Tray2"/>
<InvalidCombination  Feature="MediaType"  Option="TRANSPARENCY"/>
</InvalidCombinations>
<InvalidCombinations>
<InvalidCombination  Feature="InputBins"  Option="Tray2"/>
<InvalidCombination  Feature="MediaType"  Option="Thick"/>
</InvalidCombinations>
<InvalidCombinations>
<InvalidCombination  Feature="InputBins"  Option="Tray2"/>
<InvalidCombination  Feature="MediaType"  Option="Labels"/>
</InvalidCombinations>
<InvalidCombinations>
<InvalidCombination  Feature="InputBins"  Option="Tray2"/>
<InvalidCombination  Feature="MediaType"  Option="Plain_Duplex_Backside"/>
</InvalidCombinations>
<InvalidCombinations>
<InvalidCombination  Feature="InputBins"  Option="Tray2"/>
<InvalidCombination  Feature="MediaType"  Option="Thick_Duplex_Backside"/>
</InvalidCombinations>
<InvalidCombinations>
<InvalidCombination  Feature="InputBins"  Option="Tray3"/>
<InvalidCombination  Feature="MediaType"  Option="TRANSPARENCY"/>
</InvalidCombinations>
<InvalidCombinations>
<InvalidCombination  Feature="InputBins"  Option="Tray3"/>
<InvalidCombination  Feature="MediaType"  Option="Thick"/>
</InvalidCombinations>
<InvalidCombinations>
<InvalidCombination  Feature="InputBins"  Option="Tray3"/>
<InvalidCombination  Feature="MediaType"  Option="Labels"/>
</InvalidCombinations>
<InvalidCombinations>
<InvalidCombination  Feature="InputBins"  Option="Tray3"/>
<InvalidCombination  Feature="MediaType"  Option="Plain_Duplex_Backside"/>
</InvalidCombinations>
<InvalidCombinations>
<InvalidCombination  Feature="InputBins"  Option="Tray3"/>
<InvalidCombination  Feature="MediaType"  Option="Thick_Duplex_Backside"/>
</InvalidCombinations>
<InvalidCombinations>
<InvalidCombination  Feature="InputBins"  Option="Tray4"/>
<InvalidCombination  Feature="MediaType"  Option="TRANSPARENCY"/>
</InvalidCombinations>
<InvalidCombinations>
<InvalidCombination  Feature="InputBins"  Option="Tray4"/>
<InvalidCombination  Feature="MediaType"  Option="Thick"/>
</InvalidCombinations>
<InvalidCombinations>
<InvalidCombination  Feature="InputBins"  Option="Tray4"/>
<InvalidCombination  Feature="MediaType"  Option="Labels"/>
</InvalidCombinations>
<InvalidCombinations>
<InvalidCombination  Feature="InputBins"  Option="Tray4"/>
<InvalidCombination  Feature="MediaType"  Option="Plain_Duplex_Backside"/>
</InvalidCombinations>
<InvalidCombinations>
<InvalidCombination  Feature="InputBins"  Option="Tray4"/>
<InvalidCombination  Feature="MediaType"  Option="Thick_Duplex_Backside"/>
</InvalidCombinations>
<InvalidCombinations>
<InvalidCombination  Feature="InputBins"  Option="LARGECAPACITY"/>
<InvalidCombination  Feature="MediaType"  Option="TRANSPARENCY"/>
</InvalidCombinations>
<InvalidCombinations>
<InvalidCombination  Feature="InputBins"  Option="LARGECAPACITY"/>
<InvalidCombination  Feature="MediaType"  Option="Thick"/>
</InvalidCombinations>
<InvalidCombinations>
<InvalidCombination  Feature="InputBins"  Option="LARGECAPACITY"/>
<InvalidCombination  Feature="MediaType"  Option="Labels"/>
</InvalidCombinations>
<InvalidCombinations>
<InvalidCombination  Feature="InputBins"  Option="LARGECAPACITY"/>
<InvalidCombination  Feature="MediaType"  Option="Plain_Duplex_Backside"/>
</InvalidCombinations>
<InvalidCombinations>
<InvalidCombination  Feature="InputBins"  Option="LARGECAPACITY"/>
<InvalidCombination  Feature="MediaType"  Option="Thick_Duplex_Backside"/>
</InvalidCombinations>
<InvalidCombinations>
<InvalidCombination  Feature="InputTray3"  Option="NotInstalled"/>
<InvalidCombination  Feature="InputBins"  Option="Tray3"/>
</InvalidCombinations>
<InvalidCombinations>
<InvalidCombination  Feature="InputTray4"  Option="NotInstalled"/>
<InvalidCombination  Feature="InputBins"  Option="Tray4"/>
</InvalidCombinations>
<InvalidCombinations>
<InvalidCombination  Feature="LargeCapacityTray"  Option="NotInstalled"/>
<InvalidCombination  Feature="InputBins"  Option="LARGECAPACITY"/>
</InvalidCombinations>
<InvalidCombinations>
<InvalidCombination  Feature="InputTray3"  Option="NotInstalled"/>
<InvalidCombination  Feature="SlipSheetInputBin"  Option="Tray3"/>
</InvalidCombinations>
<InvalidCombinations>
<InvalidCombination  Feature="InputTray4"  Option="NotInstalled"/>
<InvalidCombination  Feature="SlipSheetInputBin"  Option="Tray4"/>
</InvalidCombinations>
<InvalidCombinations>
<InvalidCombination  Feature="LargeCapacityTray"  Option="NotInstalled"/>
<InvalidCombination  Feature="SlipSheetInputBin"  Option="LARGECAPACITY"/>
</InvalidCombinations>
<InvalidCombinations>
<InvalidCombination  Feature="InputBins"  Option="BypassTray"/>
<InvalidCombination  Feature="Sides"  Option="TwoSidedLongEdge"/>
</InvalidCombinations>
<InvalidCombinations>
<InvalidCombination  Feature="InputBins"  Option="BypassTray"/>
<InvalidCombination  Feature="Sides"  Option="TwoSidedShortEdge"/>
</InvalidCombinations>
<InvalidCombinations>
<InvalidCombination  Feature="InputBins"  Option="BypassTray"/>
<InvalidCombination  Feature="Staple"  Option="TopLeft"/>
</InvalidCombinations>
<InvalidCombinations>
<InvalidCombination  Feature="InputBins"  Option="BypassTray"/>
<InvalidCombination  Feature="Staple"  Option="TopRight"/>
</InvalidCombinations>
<InvalidCombinations>
<InvalidCombination  Feature="InputBins"  Option="BypassTray"/>
<InvalidCombination  Feature="Staple"  Option="Top2"/>
</InvalidCombinations>
<InvalidCombinations>
<InvalidCombination  Feature="InputBins"  Option="BypassTray"/>
<InvalidCombination  Feature="Staple"  Option="Left2"/>
</InvalidCombinations>
<InvalidCombinations>
<InvalidCombination  Feature="InputBins"  Option="BypassTray"/>
<InvalidCombination  Feature="Staple"  Option="Right2"/>
</InvalidCombinations>
<InvalidCombinations>
<InvalidCombination  Feature="InputBins"  Option="BypassTray"/>
<InvalidCombination  Feature="Staple"  Option="TopLeftSlant"/>
</InvalidCombinations>
<InvalidCombinations>
<InvalidCombination  Feature="InputBins"  Option="BypassTray"/>
<InvalidCombination  Feature="Staple"  Option="TopRightSlant"/>
</InvalidCombinations>
<InvalidCombinations>
<InvalidCombination  Feature="InputBins"  Option="BypassTray"/>
<InvalidCombination  Feature="Staple"  Option="Booklet"/>
</InvalidCombinations>
<InvalidCombinations>
<InvalidCombination  Feature="InputBins"  Option="BypassTray"/>
<InvalidCombination  Feature="HolePunch"  Option="Left2"/>
</InvalidCombinations>
<InvalidCombinations>
<InvalidCombination  Feature="InputBins"  Option="BypassTray"/>
<InvalidCombination  Feature="HolePunch"  Option="Top2"/>
</InvalidCombinations>
<InvalidCombinations>
<InvalidCombination  Feature="InputBins"  Option="BypassTray"/>
<InvalidCombination  Feature="HolePunch"  Option="Right2"/>
</InvalidCombinations>
<InvalidCombinations>
<InvalidCombination  Feature="InputBins"  Option="BypassTray"/>
<InvalidCombination  Feature="HolePunch"  Option="Left3"/>
</InvalidCombinations>
<InvalidCombinations>
<InvalidCombination  Feature="InputBins"  Option="BypassTray"/>
<InvalidCombination  Feature="HolePunch"  Option="Top3"/>
</InvalidCombinations>
<InvalidCombinations>
<InvalidCombination  Feature="InputBins"  Option="BypassTray"/>
<InvalidCombination  Feature="HolePunch"  Option="Right3"/>
</InvalidCombinations>
<InvalidCombinations>
<InvalidCombination  Feature="InputBins"  Option="BypassTray"/>
<InvalidCombination  Feature="HolePunch"  Option="Left4"/>
</InvalidCombinations>
<InvalidCombinations>
<InvalidCombination  Feature="InputBins"  Option="BypassTray"/>
<InvalidCombination  Feature="HolePunch"  Option="Top4"/>
</InvalidCombinations>
<InvalidCombinations>
<InvalidCombination  Feature="InputBins"  Option="BypassTray"/>
<InvalidCombination  Feature="HolePunch"  Option="Right4"/>
</InvalidCombinations>
<InvalidCombinations>
<InvalidCombination  Feature="SlipSheet"  Option="ON"/>
<InvalidCombination  Feature="InputBins"  Option="AUTO"/>
</InvalidCombinations>
<InvalidCombinations>
<InvalidCombination  Feature="SlipSheet"  Option="ON"/>
<InvalidCombination  Feature="InputBins"  Option="Tray1"/>
</InvalidCombinations>
<InvalidCombinations>
<InvalidCombination  Feature="SlipSheet"  Option="ON"/>
<InvalidCombination  Feature="InputBins"  Option="Tray2"/>
</InvalidCombinations>
<InvalidCombinations>
<InvalidCombination  Feature="SlipSheet"  Option="ON"/>
<InvalidCombination  Feature="InputBins"  Option="Tray3"/>
</InvalidCombinations>
<InvalidCombinations>
<InvalidCombination  Feature="SlipSheet"  Option="ON"/>
<InvalidCombination  Feature="InputBins"  Option="Tray4"/>
</InvalidCombinations>
<InvalidCombinations>
<InvalidCombination  Feature="SlipSheet"  Option="ON"/>
<InvalidCombination  Feature="InputBins"  Option="LARGECAPACITY"/>
</InvalidCombinations>
<InvalidCombinations>
<InvalidCombination  Feature="SlipSheet"  Option="ON"/>
<InvalidCombination  Feature="HolePunch"  Option="Top2"/>
</InvalidCombinations>
<InvalidCombinations>
<InvalidCombination  Feature="SlipSheet"  Option="ON"/>
<InvalidCombination  Feature="HolePunch"  Option="Top3"/>
</InvalidCombinations>
<InvalidCombinations>
<InvalidCombination  Feature="SlipSheet"  Option="ON"/>
<InvalidCombination  Feature="HolePunch"  Option="Top4"/>
</InvalidCombinations>
<InvalidCombinations>
<InvalidCombination  Feature="SlipSheet"  Option="ON"/>
<InvalidCombination  Feature="HolePunch"  Option="Right2"/>
</InvalidCombinations>
<InvalidCombinations>
<InvalidCombination  Feature="SlipSheet"  Option="ON"/>
<InvalidCombination  Feature="HolePunch"  Option="Right3"/>
</InvalidCombinations>
<InvalidCombinations>
<InvalidCombination  Feature="SlipSheet"  Option="ON"/>
<InvalidCombination  Feature="HolePunch"  Option="Right4"/>
</InvalidCombinations>
<InvalidCombinations>
<InvalidCombination  Feature="SlipSheet"  Option="ON"/>
<InvalidCombination  Feature="HolePunch"  Option="Left2"/>
</InvalidCombinations>
<InvalidCombinations>
<InvalidCombination  Feature="SlipSheet"  Option="ON"/>
<InvalidCombination  Feature="HolePunch"  Option="Left3"/>
</InvalidCombinations>
<InvalidCombinations>
<InvalidCombination  Feature="SlipSheet"  Option="ON"/>
<InvalidCombination  Feature="HolePunch"  Option="Left4"/>
</InvalidCombinations>
<InvalidCombinations>
<InvalidCombination  Feature="SlipSheet"  Option="ON"/>
<InvalidCombination  Feature="Staple"  Option="TopLeft"/>
</InvalidCombinations>
<InvalidCombinations>
<InvalidCombination  Feature="SlipSheet"  Option="ON"/>
<InvalidCombination  Feature="Staple"  Option="TopLeftSlant"/>
</InvalidCombinations>
<InvalidCombinations>
<InvalidCombination  Feature="SlipSheet"  Option="ON"/>
<InvalidCombination  Feature="Staple"  Option="TopRight"/>
</InvalidCombinations>
<InvalidCombinations>
<InvalidCombination  Feature="SlipSheet"  Option="ON"/>
<InvalidCombination  Feature="Staple"  Option="TopRightSlant"/>
</InvalidCombinations>
<InvalidCombinations>
<InvalidCombination  Feature="SlipSheet"  Option="ON"/>
<InvalidCombination  Feature="Staple"  Option="Top2"/>
</InvalidCombinations>
<InvalidCombinations>
<InvalidCombination  Feature="SlipSheet"  Option="ON"/>
<InvalidCombination  Feature="Staple"  Option="Left2"/>
</InvalidCombinations>
<InvalidCombinations>
<InvalidCombination  Feature="SlipSheet"  Option="ON"/>
<InvalidCombination  Feature="Staple"  Option="Right2"/>
</InvalidCombinations>
<InvalidCombinations>
<InvalidCombination  Feature="SlipSheet"  Option="ON"/>
<InvalidCombination  Feature="Staple"  Option="Booklet"/>
</InvalidCombinations>
<InvalidCombinations>
<InvalidCombination  Feature="SlipSheet"  Option="ON"/>
<InvalidCombination  Feature="MediaType"  Option="STANDARD"/>
</InvalidCombinations>
<InvalidCombinations>
<InvalidCombination  Feature="SlipSheet"  Option="ON"/>
<InvalidCombination  Feature="MediaType"  Option="Thick"/>
</InvalidCombinations>
<InvalidCombinations>
<InvalidCombination  Feature="SlipSheet"  Option="ON"/>
<InvalidCombination  Feature="MediaType"  Option="Recycled"/>
</InvalidCombinations>
<InvalidCombinations>
<InvalidCombination  Feature="SlipSheet"  Option="ON"/>
<InvalidCombination  Feature="MediaType"  Option="Special"/>
</InvalidCombinations>
<InvalidCombinations>
<InvalidCombination  Feature="SlipSheet"  Option="ON"/>
<InvalidCombination  Feature="MediaType"  Option="Letterhead"/>
</InvalidCombinations>
<InvalidCombinations>
<InvalidCombination  Feature="SlipSheet"  Option="ON"/>
<InvalidCombination  Feature="MediaType"  Option="Preprinted"/>
</InvalidCombinations>
<InvalidCombinations>
<InvalidCombination  Feature="SlipSheet"  Option="ON"/>
<InvalidCombination  Feature="MediaType"  Option="Labels"/>
</InvalidCombinations>
<InvalidCombinations>
<InvalidCombination  Feature="SlipSheet"  Option="ON"/>
<InvalidCombination  Feature="MediaType"  Option="Color"/>
</InvalidCombinations>
<InvalidCombinations>
<InvalidCombination  Feature="SlipSheet"  Option="ON"/>
<InvalidCombination  Feature="MediaType"  Option="Plain_Duplex_Backside"/>
</InvalidCombinations>
<InvalidCombinations>
<InvalidCombination  Feature="SlipSheet"  Option="ON"/>
<InvalidCombination  Feature="MediaType"  Option="Thick_Duplex_Backside"/>
</InvalidCombinations>
<InvalidCombinations>
<InvalidCombination  Feature="SlipSheet"  Option="ON"/>
<InvalidCombination  Feature="Sides"  Option="TwoSidedLongEdge"/>
</InvalidCombinations>
<InvalidCombinations>
<InvalidCombination  Feature="SlipSheet"  Option="ON"/>
<InvalidCombination  Feature="Sides"  Option="TwoSidedShortEdge"/>
</InvalidCombinations>
<InvalidCombinations>
<InvalidCombination  Feature="Staple"  Option="TopLeft"/>
<InvalidCombination  Feature="HolePunch"  Option="Right2"/>
</InvalidCombinations>
<InvalidCombinations>
<InvalidCombination  Feature="Staple"  Option="TopLeft"/>
<InvalidCombination  Feature="HolePunch"  Option="Right3"/>
</InvalidCombinations>
<InvalidCombinations>
<InvalidCombination  Feature="Staple"  Option="TopLeft"/>
<InvalidCombination  Feature="HolePunch"  Option="Right4"/>
</InvalidCombinations>
<InvalidCombinations>
<InvalidCombination  Feature="Staple"  Option="TopLeftSlant"/>
<InvalidCombination  Feature="HolePunch"  Option="Right2"/>
</InvalidCombinations>
<InvalidCombinations>
<InvalidCombination  Feature="Staple"  Option="TopLeftSlant"/>
<InvalidCombination  Feature="HolePunch"  Option="Right3"/>
</InvalidCombinations>
<InvalidCombinations>
<InvalidCombination  Feature="Staple"  Option="TopLeftSlant"/>
<InvalidCombination  Feature="HolePunch"  Option="Right4"/>
</InvalidCombinations>
<InvalidCombinations>
<InvalidCombination  Feature="Staple"  Option="TopRight"/>
<InvalidCombination  Feature="HolePunch"  Option="Left2"/>
</InvalidCombinations>
<InvalidCombinations>
<InvalidCombination  Feature="Staple"  Option="TopRight"/>
<InvalidCombination  Feature="HolePunch"  Option="Left3"/>
</InvalidCombinations>
<InvalidCombinations>
<InvalidCombination  Feature="Staple"  Option="TopRight"/>
<InvalidCombination  Feature="HolePunch"  Option="Left4"/>
</InvalidCombinations>
<InvalidCombinations>
<InvalidCombination  Feature="Staple"  Option="TopRightSlant"/>
<InvalidCombination  Feature="HolePunch"  Option="Left2"/>
</InvalidCombinations>
<InvalidCombinations>
<InvalidCombination  Feature="Staple"  Option="TopRightSlant"/>
<InvalidCombination  Feature="HolePunch"  Option="Left3"/>
</InvalidCombinations>
<InvalidCombinations>
<InvalidCombination  Feature="Staple"  Option="TopRightSlant"/>
<InvalidCombination  Feature="HolePunch"  Option="Left4"/>
</InvalidCombinations>
<InvalidCombinations>
<InvalidCombination  Feature="Staple"  Option="Top2"/>
<InvalidCombination  Feature="HolePunch"  Option="Left2"/>
</InvalidCombinations>
<InvalidCombinations>
<InvalidCombination  Feature="Staple"  Option="Top2"/>
<InvalidCombination  Feature="HolePunch"  Option="Right2"/>
</InvalidCombinations>
<InvalidCombinations>
<InvalidCombination  Feature="Staple"  Option="Top2"/>
<InvalidCombination  Feature="HolePunch"  Option="Left3"/>
</InvalidCombinations>
<InvalidCombinations>
<InvalidCombination  Feature="Staple"  Option="Top2"/>
<InvalidCombination  Feature="HolePunch"  Option="Right3"/>
</InvalidCombinations>
<InvalidCombinations>
<InvalidCombination  Feature="Staple"  Option="Top2"/>
<InvalidCombination  Feature="HolePunch"  Option="Left4"/>
</InvalidCombinations>
<InvalidCombinations>
<InvalidCombination  Feature="Staple"  Option="Top2"/>
<InvalidCombination  Feature="HolePunch"  Option="Right4"/>
</InvalidCombinations>
<InvalidCombinations>
<InvalidCombination  Feature="Staple"  Option="Left2"/>
<InvalidCombination  Feature="HolePunch"  Option="Top2"/>
</InvalidCombinations>
<InvalidCombinations>
<InvalidCombination  Feature="Staple"  Option="Left2"/>
<InvalidCombination  Feature="HolePunch"  Option="Right2"/>
</InvalidCombinations>
<InvalidCombinations>
<InvalidCombination  Feature="Staple"  Option="Left2"/>
<InvalidCombination  Feature="HolePunch"  Option="Top3"/>
</InvalidCombinations>
<InvalidCombinations>
<InvalidCombination  Feature="Staple"  Option="Left2"/>
<InvalidCombination  Feature="HolePunch"  Option="Right3"/>
</InvalidCombinations>
<InvalidCombinations>
<InvalidCombination  Feature="Staple"  Option="Left2"/>
<InvalidCombination  Feature="HolePunch"  Option="Top4"/>
</InvalidCombinations>
<InvalidCombinations>
<InvalidCombination  Feature="Staple"  Option="Left2"/>
<InvalidCombination  Feature="HolePunch"  Option="Right4"/>
</InvalidCombinations>
<InvalidCombinations>
<InvalidCombination  Feature="Staple"  Option="Right2"/>
<InvalidCombination  Feature="HolePunch"  Option="Left2"/>
</InvalidCombinations>
<InvalidCombinations>
<InvalidCombination  Feature="Staple"  Option="Right2"/>
<InvalidCombination  Feature="HolePunch"  Option="Top2"/>
</InvalidCombinations>
<InvalidCombinations>
<InvalidCombination  Feature="Staple"  Option="Right2"/>
<InvalidCombination  Feature="HolePunch"  Option="Left3"/>
</InvalidCombinations>
<InvalidCombinations>
<InvalidCombination  Feature="Staple"  Option="Right2"/>
<InvalidCombination  Feature="HolePunch"  Option="Top3"/>
</InvalidCombinations>
<InvalidCombinations>
<InvalidCombination  Feature="Staple"  Option="Right2"/>
<InvalidCombination  Feature="HolePunch"  Option="Left4"/>
</InvalidCombinations>
<InvalidCombinations>
<InvalidCombination  Feature="Staple"  Option="Right2"/>
<InvalidCombination  Feature="HolePunch"  Option="Top4"/>
</InvalidCombinations>
<InvalidCombinations>
<InvalidCombination  Feature="Staple"  Option="Booklet"/>
<InvalidCombination  Feature="HolePunch"  Option="Left2"/>
</InvalidCombinations>
<InvalidCombinations>
<InvalidCombination  Feature="Staple"  Option="Booklet"/>
<InvalidCombination  Feature="HolePunch"  Option="Top2"/>
</InvalidCombinations>
<InvalidCombinations>
<InvalidCombination  Feature="Staple"  Option="Booklet"/>
<InvalidCombination  Feature="HolePunch"  Option="Right2"/>
</InvalidCombinations>
<InvalidCombinations>
<InvalidCombination  Feature="Staple"  Option="Booklet"/>
<InvalidCombination  Feature="HolePunch"  Option="Left3"/>
</InvalidCombinations>
<InvalidCombinations>
<InvalidCombination  Feature="Staple"  Option="Booklet"/>
<InvalidCombination  Feature="HolePunch"  Option="Top3"/>
</InvalidCombinations>
<InvalidCombinations>
<InvalidCombination  Feature="Staple"  Option="Booklet"/>
<InvalidCombination  Feature="HolePunch"  Option="Right3"/>
</InvalidCombinations>
<InvalidCombinations>
<InvalidCombination  Feature="Staple"  Option="Booklet"/>
<InvalidCombination  Feature="HolePunch"  Option="Left4"/>
</InvalidCombinations>
<InvalidCombinations>
<InvalidCombination  Feature="Staple"  Option="Booklet"/>
<InvalidCombination  Feature="HolePunch"  Option="Top4"/>
</InvalidCombinations>
<InvalidCombinations>
<InvalidCombination  Feature="Staple"  Option="Booklet"/>
<InvalidCombination  Feature="HolePunch"  Option="Right4"/>
</InvalidCombinations>
<InvalidCombinations>
<InvalidCombination  Feature="Staple"  Option="TopLeft"/>
<InvalidCombination  Feature="MediaType"  Option="TRANSPARENCY"/>
</InvalidCombinations>
<InvalidCombinations>
<InvalidCombination  Feature="Staple"  Option="TopLeft"/>
<InvalidCombination  Feature="MediaType"  Option="Thick"/>
</InvalidCombinations>
<InvalidCombinations>
<InvalidCombination  Feature="Staple"  Option="TopLeft"/>
<InvalidCombination  Feature="MediaType"  Option="Labels"/>
</InvalidCombinations>
<InvalidCombinations>
<InvalidCombination  Feature="Staple"  Option="TopLeft"/>
<InvalidCombination  Feature="MediaType"  Option="Plain_Duplex_Backside"/>
</InvalidCombinations>
<InvalidCombinations>
<InvalidCombination  Feature="Staple"  Option="TopLeft"/>
<InvalidCombination  Feature="MediaType"  Option="Thick_Duplex_Backside"/>
</InvalidCombinations>
<InvalidCombinations>
<InvalidCombination  Feature="Staple"  Option="TopLeftSlant"/>
<InvalidCombination  Feature="MediaType"  Option="TRANSPARENCY"/>
</InvalidCombinations>
<InvalidCombinations>
<InvalidCombination  Feature="Staple"  Option="TopLeftSlant"/>
<InvalidCombination  Feature="MediaType"  Option="Thick"/>
</InvalidCombinations>
<InvalidCombinations>
<InvalidCombination  Feature="Staple"  Option="TopLeftSlant"/>
<InvalidCombination  Feature="MediaType"  Option="Labels"/>
</InvalidCombinations>
<InvalidCombinations>
<InvalidCombination  Feature="Staple"  Option="TopLeftSlant"/>
<InvalidCombination  Feature="MediaType"  Option="Plain_Duplex_Backside"/>
</InvalidCombinations>
<InvalidCombinations>
<InvalidCombination  Feature="Staple"  Option="TopLeftSlant"/>
<InvalidCombination  Feature="MediaType"  Option="Thick_Duplex_Backside"/>
</InvalidCombinations>
<InvalidCombinations>
<InvalidCombination  Feature="Staple"  Option="TopRight"/>
<InvalidCombination  Feature="MediaType"  Option="TRANSPARENCY"/>
</InvalidCombinations>
<InvalidCombinations>
<InvalidCombination  Feature="Staple"  Option="TopRight"/>
<InvalidCombination  Feature="MediaType"  Option="Thick"/>
</InvalidCombinations>
<InvalidCombinations>
<InvalidCombination  Feature="Staple"  Option="TopRight"/>
<InvalidCombination  Feature="MediaType"  Option="Labels"/>
</InvalidCombinations>
<InvalidCombinations>
<InvalidCombination  Feature="Staple"  Option="TopRight"/>
<InvalidCombination  Feature="MediaType"  Option="Plain_Duplex_Backside"/>
</InvalidCombinations>
<InvalidCombinations>
<InvalidCombination  Feature="Staple"  Option="TopRight"/>
<InvalidCombination  Feature="MediaType"  Option="Thick_Duplex_Backside"/>
</InvalidCombinations>
<InvalidCombinations>
<InvalidCombination  Feature="Staple"  Option="TopRightSlant"/>
<InvalidCombination  Feature="MediaType"  Option="TRANSPARENCY"/>
</InvalidCombinations>
<InvalidCombinations>
<InvalidCombination  Feature="Staple"  Option="TopRightSlant"/>
<InvalidCombination  Feature="MediaType"  Option="Thick"/>
</InvalidCombinations>
<InvalidCombinations>
<InvalidCombination  Feature="Staple"  Option="TopRightSlant"/>
<InvalidCombination  Feature="MediaType"  Option="Labels"/>
</InvalidCombinations>
<InvalidCombinations>
<InvalidCombination  Feature="Staple"  Option="TopRightSlant"/>
<InvalidCombination  Feature="MediaType"  Option="Plain_Duplex_Backside"/>
</InvalidCombinations>
<InvalidCombinations>
<InvalidCombination  Feature="Staple"  Option="TopRightSlant"/>
<InvalidCombination  Feature="MediaType"  Option="Thick_Duplex_Backside"/>
</InvalidCombinations>
<InvalidCombinations>
<InvalidCombination  Feature="Staple"  Option="Top2"/>
<InvalidCombination  Feature="MediaType"  Option="TRANSPARENCY"/>
</InvalidCombinations>
<InvalidCombinations>
<InvalidCombination  Feature="Staple"  Option="Top2"/>
<InvalidCombination  Feature="MediaType"  Option="Thick"/>
</InvalidCombinations>
<InvalidCombinations>
<InvalidCombination  Feature="Staple"  Option="Top2"/>
<InvalidCombination  Feature="MediaType"  Option="Labels"/>
</InvalidCombinations>
<InvalidCombinations>
<InvalidCombination  Feature="Staple"  Option="Top2"/>
<InvalidCombination  Feature="MediaType"  Option="Plain_Duplex_Backside"/>
</InvalidCombinations>
<InvalidCombinations>
<InvalidCombination  Feature="Staple"  Option="Top2"/>
<InvalidCombination  Feature="MediaType"  Option="Thick_Duplex_Backside"/>
</InvalidCombinations>
<InvalidCombinations>
<InvalidCombination  Feature="Staple"  Option="Left2"/>
<InvalidCombination  Feature="MediaType"  Option="TRANSPARENCY"/>
</InvalidCombinations>
<InvalidCombinations>
<InvalidCombination  Feature="Staple"  Option="Left2"/>
<InvalidCombination  Feature="MediaType"  Option="Thick"/>
</InvalidCombinations>
<InvalidCombinations>
<InvalidCombination  Feature="Staple"  Option="Left2"/>
<InvalidCombination  Feature="MediaType"  Option="Labels"/>
</InvalidCombinations>
<InvalidCombinations>
<InvalidCombination  Feature="Staple"  Option="Left2"/>
<InvalidCombination  Feature="MediaType"  Option="Plain_Duplex_Backside"/>
</InvalidCombinations>
<InvalidCombinations>
<InvalidCombination  Feature="Staple"  Option="Left2"/>
<InvalidCombination  Feature="MediaType"  Option="Thick_Duplex_Backside"/>
</InvalidCombinations>
<InvalidCombinations>
<InvalidCombination  Feature="Staple"  Option="Right2"/>
<InvalidCombination  Feature="MediaType"  Option="TRANSPARENCY"/>
</InvalidCombinations>
<InvalidCombinations>
<InvalidCombination  Feature="Staple"  Option="Right2"/>
<InvalidCombination  Feature="MediaType"  Option="Thick"/>
</InvalidCombinations>
<InvalidCombinations>
<InvalidCombination  Feature="Staple"  Option="Right2"/>
<InvalidCombination  Feature="MediaType"  Option="Labels"/>
</InvalidCombinations>
<InvalidCombinations>
<InvalidCombination  Feature="Staple"  Option="Right2"/>
<InvalidCombination  Feature="MediaType"  Option="Plain_Duplex_Backside"/>
</InvalidCombinations>
<InvalidCombinations>
<InvalidCombination  Feature="Staple"  Option="Right2"/>
<InvalidCombination  Feature="MediaType"  Option="Thick_Duplex_Backside"/>
</InvalidCombinations>
<InvalidCombinations>
<InvalidCombination  Feature="Staple"  Option="Booklet"/>
<InvalidCombination  Feature="MediaType"  Option="TRANSPARENCY"/>
</InvalidCombinations>
<InvalidCombinations>
<InvalidCombination  Feature="Staple"  Option="Booklet"/>
<InvalidCombination  Feature="MediaType"  Option="Thick"/>
</InvalidCombinations>
<InvalidCombinations>
<InvalidCombination  Feature="Staple"  Option="Booklet"/>
<InvalidCombination  Feature="MediaType"  Option="Labels"/>
</InvalidCombinations>
<InvalidCombinations>
<InvalidCombination  Feature="Staple"  Option="Booklet"/>
<InvalidCombination  Feature="MediaType"  Option="Plain_Duplex_Backside"/>
</InvalidCombinations>
<InvalidCombinations>
<InvalidCombination  Feature="Staple"  Option="Booklet"/>
<InvalidCombination  Feature="MediaType"  Option="Thick_Duplex_Backside"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="TopLeft"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="TopLeftSlant"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="TopRight"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="TopRightSlant"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="Top2"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="Left2"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="Right2"/>
</InvalidCombinations>
<InvalidCombinations>
<InvalidCombination  Feature="MediaSizeName"  Option="na_invoice_5.5x8.5in"/>
<InvalidCombination  Feature="Staple"  Option="Booklet"/>
</InvalidCombinations>
<InvalidCombinations>
<InvalidCombination  Feature="MediaSizeName"  Option="iso_a5_148x210mm"/>
<InvalidCombination  Feature="Staple"  Option="TopLeft"/>
</InvalidCombinations>
<InvalidCombinations>
<InvalidCombination  Feature="MediaSizeName"  Option="iso_a5_148x210mm"/>
<InvalidCombination  Feature="Staple"  Option="TopLeftSlant"/>
</InvalidCombinations>
<InvalidCombinations>
<InvalidCombination  Feature="MediaSizeName"  Option="iso_a5_148x210mm"/>
<InvalidCombination  Feature="Staple"  Option="TopRight"/>
</InvalidCombinations>
<InvalidCombinations>
<InvalidCombination  Feature="MediaSizeName"  Option="iso_a5_148x210mm"/>
<InvalidCombination  Feature="Staple"  Option="TopRightSlant"/>
</InvalidCombinations>
<InvalidCombinations>
<InvalidCombination  Feature="MediaSizeName"  Option="iso_a5_148x210mm"/>
<InvalidCombination  Feature="Staple"  Option="Top2"/>
</InvalidCombinations>
<InvalidCombinations>
<InvalidCombination  Feature="MediaSizeName"  Option="iso_a5_148x210mm"/>
<InvalidCombination  Feature="Staple"  Option="Left2"/>
</InvalidCombinations>
<InvalidCombinations>
<InvalidCombination  Feature="MediaSizeName"  Option="iso_a5_148x210mm"/>
<InvalidCombination  Feature="Staple"  Option="Right2"/>
</InvalidCombinations>
<InvalidCombinations>
<InvalidCombination  Feature="MediaSizeName"  Option="iso_a5_148x210mm"/>
<InvalidCombination  Feature="Staple"  Option="Booklet"/>
</InvalidCombinations>
<InvalidCombinations>
<InvalidCombination  Feature="MediaSizeName"  Option="iso_a6_105x148mm"/>
<InvalidCombination  Feature="Staple"  Option="TopLeft"/>
</InvalidCombinations>
<InvalidCombinations>
<InvalidCombination  Feature="MediaSizeName"  Option="iso_a6_105x148mm"/>
<InvalidCombination  Feature="Staple"  Option="TopLeftSlant"/>
</InvalidCombinations>
<InvalidCombinations>
<InvalidCombination  Feature="MediaSizeName"  Option="iso_a6_105x148mm"/>
<InvalidCombination  Feature="Staple"  Option="TopRight"/>
</InvalidCombinations>
<InvalidCombinations>
<InvalidCombination  Feature="MediaSizeName"  Option="iso_a6_105x148mm"/>
<InvalidCombination  Feature="Staple"  Option="TopRightSlant"/>
</InvalidCombinations>
<InvalidCombinations>
<InvalidCombination  Feature="MediaSizeName"  Option="iso_a6_105x148mm"/>
<InvalidCombination  Feature="Staple"  Option="Top2"/>
</InvalidCombinations>
<InvalidCombinations>
<InvalidCombination  Feature="MediaSizeName"  Option="iso_a6_105x148mm"/>
<InvalidCombination  Feature="Staple"  Option="Left2"/>
</InvalidCombinations>
<InvalidCombinations>
<InvalidCombination  Feature="MediaSizeName"  Option="iso_a6_105x148mm"/>
<InvalidCombination  Feature="Staple"  Option="Right2"/>
</InvalidCombinations>
<InvalidCombinations>
<InvalidCombination  Feature="MediaSizeName"  Option="iso_a6_105x148mm"/>
<InvalidCombination  Feature="Staple"  Option="Booklet"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="TopLeft"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="TopLeftSlant"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="TopRight"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="TopRightSlant"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="Top2"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="Left2"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="Right2"/>
</InvalidCombinations>
<InvalidCombinations>
<InvalidCombination  Feature="MediaSizeName"  Option="na_number-10_4.125x9.5in"/>
<InvalidCombination  Feature="Staple"  Option="Booklet"/>
</InvalidCombinations>
<InvalidCombinations>
<InvalidCombination  Feature="MediaSizeName"  Option="iso_dl_110x220mm"/>
<InvalidCombination  Feature="Staple"  Option="TopLeft"/>
</InvalidCombinations>
<InvalidCombinations>
<InvalidCombination  Feature="MediaSizeName"  Option="iso_dl_110x220mm"/>
<InvalidCombination  Feature="Staple"  Option="TopLeftSlant"/>
</InvalidCombinations>
<InvalidCombinations>
<InvalidCombination  Feature="MediaSizeName"  Option="iso_dl_110x220mm"/>
<InvalidCombination  Feature="Staple"  Option="TopRight"/>
</InvalidCombinations>
<InvalidCombinations>
<InvalidCombination  Feature="MediaSizeName"  Option="iso_dl_110x220mm"/>
<InvalidCombination  Feature="Staple"  Option="TopRightSlant"/>
</InvalidCombinations>
<InvalidCombinations>
<InvalidCombination  Feature="MediaSizeName"  Option="iso_dl_110x220mm"/>
<InvalidCombination  Feature="Staple"  Option="Top2"/>
</InvalidCombinations>
<InvalidCombinations>
<InvalidCombination  Feature="MediaSizeName"  Option="iso_dl_110x220mm"/>
<InvalidCombination  Feature="Staple"  Option="Left2"/>
</InvalidCombinations>
<InvalidCombinations>
<InvalidCombination  Feature="MediaSizeName"  Option="iso_dl_110x220mm"/>
<InvalidCombination  Feature="Staple"  Option="Right2"/>
</InvalidCombinations>
<InvalidCombinations>
<InvalidCombination  Feature="MediaSizeName"  Option="iso_dl_110x220mm"/>
<InvalidCombination  Feature="Staple"  Option="Booklet"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="TopLeft"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="TopLeftSlant"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="TopRight"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="TopRightSlant"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="Top2"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="Left2"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="Right2"/>
</InvalidCombinations>
<InvalidCombinations>
<InvalidCombination  Feature="MediaSizeName"  Option="na_monarch_3.875x7.5in"/>
<InvalidCombination  Feature="Staple"  Option="Booklet"/>
</InvalidCombinations>
<InvalidCombinations>
<InvalidCombination  Feature="MediaSizeName"  Option="iso_c5_162x229mm"/>
<InvalidCombination  Feature="Staple"  Option="TopLeft"/>
</InvalidCombinations>
<InvalidCombinations>
<InvalidCombination  Feature="MediaSizeName"  Option="iso_c5_162x229mm"/>
<InvalidCombination  Feature="Staple"  Option="TopLeftSlant"/>
</InvalidCombinations>
<InvalidCombinations>
<InvalidCombination  Feature="MediaSizeName"  Option="iso_c5_162x229mm"/>
<InvalidCombination  Feature="Staple"  Option="TopRight"/>
</InvalidCombinations>
<InvalidCombinations>
<InvalidCombination  Feature="MediaSizeName"  Option="iso_c5_162x229mm"/>
<InvalidCombination  Feature="Staple"  Option="TopRightSlant"/>
</InvalidCombinations>
<InvalidCombinations>
<InvalidCombination  Feature="MediaSizeName"  Option="iso_c5_162x229mm"/>
<InvalidCombination  Feature="Staple"  Option="Top2"/>
</InvalidCombinations>
<InvalidCombinations>
<InvalidCombination  Feature="MediaSizeName"  Option="iso_c5_162x229mm"/>
<InvalidCombination  Feature="Staple"  Option="Left2"/>
</InvalidCombinations>
<InvalidCombinations>
<InvalidCombination  Feature="MediaSizeName"  Option="iso_c5_162x229mm"/>
<InvalidCombination  Feature="Staple"  Option="Right2"/>
</InvalidCombinations>
<InvalidCombinations>
<InvalidCombination  Feature="MediaSizeName"  Option="iso_c5_162x229mm"/>
<InvalidCombination  Feature="Staple"  Option="Booklet"/>
</InvalidCombinations>
<InvalidCombinations>
<InvalidCombination  Feature="MediaSizeName"  Option="iso_c6_114x162mm"/>
<InvalidCombination  Feature="Staple"  Option="TopLeft"/>
</InvalidCombinations>
<InvalidCombinations>
<InvalidCombination  Feature="MediaSizeName"  Option="iso_c6_114x162mm"/>
<InvalidCombination  Feature="Staple"  Option="TopLeftSlant"/>
</InvalidCombinations>
<InvalidCombinations>
<InvalidCombination  Feature="MediaSizeName"  Option="iso_c6_114x162mm"/>
<InvalidCombination  Feature="Staple"  Option="TopRight"/>
</InvalidCombinations>
<InvalidCombinations>
<InvalidCombination  Feature="MediaSizeName"  Option="iso_c6_114x162mm"/>
<InvalidCombination  Feature="Staple"  Option="TopRightSlant"/>
</InvalidCombinations>
<InvalidCombinations>
<InvalidCombination  Feature="MediaSizeName"  Option="iso_c6_114x162mm"/>
<InvalidCombination  Feature="Staple"  Option="Top2"/>
</InvalidCombinations>
<InvalidCombinations>
<InvalidCombination  Feature="MediaSizeName"  Option="iso_c6_114x162mm"/>
<InvalidCombination  Feature="Staple"  Option="Left2"/>
</InvalidCombinations>
<InvalidCombinations>
<InvalidCombination  Feature="MediaSizeName"  Option="iso_c6_114x162mm"/>
<InvalidCombination  Feature="Staple"  Option="Right2"/>
</InvalidCombinations>
<InvalidCombinations>
<InvalidCombination  Feature="MediaSizeName"  Option="iso_c6_114x162mm"/>
<InvalidCombination  Feature="Staple"  Option="Booklet"/>
</InvalidCombinations>
<InvalidCombinations>
<InvalidCombination  Feature="MediaSizeName"  Option="na_arch-b_12x18in"/>
<InvalidCombination  Feature="Staple"  Option="TopLeft"/>
</InvalidCombinations>
<InvalidCombinations>
<InvalidCombination  Feature="MediaSizeName"  Option="na_arch-b_12x18in"/>
<InvalidCombination  Feature="Staple"  Option="TopLeftSlant"/>
</InvalidCombinations>
<InvalidCombinations>
<InvalidCombination  Feature="MediaSizeName"  Option="na_arch-b_12x18in"/>
<InvalidCombination  Feature="Staple"  Option="TopRight"/>
</InvalidCombinations>
<InvalidCombinations>
<InvalidCombination  Feature="MediaSizeName"  Option="na_arch-b_12x18in"/>
<InvalidCombination  Feature="Staple"  Option="TopRightSlant"/>
</InvalidCombinations>
<InvalidCombinations>
<InvalidCombination  Feature="MediaSizeName"  Option="na_arch-b_12x18in"/>
<InvalidCombination  Feature="Staple"  Option="Top2"/>
</InvalidCombinations>
<InvalidCombinations>
<InvalidCombination  Feature="MediaSizeName"  Option="na_arch-b_12x18in"/>
<InvalidCombination  Feature="Staple"  Option="Left2"/>
</InvalidCombinations>
<InvalidCombinations>
<InvalidCombination  Feature="MediaSizeName"  Option="na_arch-b_12x18in"/>
<InvalidCombination  Feature="Staple"  Option="Right2"/>
</InvalidCombinations>
<InvalidCombinations>
<InvalidCombination  Feature="MediaSizeName"  Option="na_arch-b_12x18in"/>
<InvalidCombination  Feature="Staple"  Option="Booklet"/>
</InvalidCombinations>
<InvalidCombinations>
<InvalidCombination  Feature="MediaSizeName"  Option="custom_papersize"/>
<InvalidCombination  Feature="Staple"  Option="TopLeft"/>
</InvalidCombinations>
<InvalidCombinations>
<InvalidCombination  Feature="MediaSizeName"  Option="custom_papersize"/>
<InvalidCombination  Feature="Staple"  Option="TopLeftSlant"/>
</InvalidCombinations>
<InvalidCombinations>
<InvalidCombination  Feature="MediaSizeName"  Option="custom_papersize"/>
<InvalidCombination  Feature="Staple"  Option="TopRight"/>
</InvalidCombinations>
<InvalidCombinations>
<InvalidCombination  Feature="MediaSizeName"  Option="custom_papersize"/>
<InvalidCombination  Feature="Staple"  Option="TopRightSlant"/>
</InvalidCombinations>
<InvalidCombinations>
<InvalidCombination  Feature="MediaSizeName"  Option="custom_papersize"/>
<InvalidCombination  Feature="Staple"  Option="Top2"/>
</InvalidCombinations>
<InvalidCombinations>
<InvalidCombination  Feature="MediaSizeName"  Option="custom_papersize"/>
<InvalidCombination  Feature="Staple"  Option="Left2"/>
</InvalidCombinations>
<InvalidCombinations>
<InvalidCombination  Feature="MediaSizeName"  Option="custom_papersize"/>
<InvalidCombination  Feature="Staple"  Option="Right2"/>
</InvalidCombinations>
<InvalidCombinations>
<InvalidCombination  Feature="MediaSizeName"  Option="custom_papersize"/>
<InvalidCombination  Feature="Staple"  Option="Booklet"/>
</InvalidCombinations>
<InvalidCombinations>
<InvalidCombination  Feature="HolePunch"  Option="Top2"/>
<InvalidCombination  Feature="MediaType"  Option="TRANSPARENCY"/>
</InvalidCombinations>
<InvalidCombinations>
<InvalidCombination  Feature="HolePunch"  Option="Top2"/>
<InvalidCombination  Feature="MediaType"  Option="Thick"/>
</InvalidCombinations>
<InvalidCombinations>
<InvalidCombination  Feature="HolePunch"  Option="Top2"/>
<InvalidCombination  Feature="MediaType"  Option="Labels"/>
</InvalidCombinations>
<InvalidCombinations>
<InvalidCombination  Feature="HolePunch"  Option="Top2"/>
<InvalidCombination  Feature="MediaType"  Option="Plain_Duplex_Backside"/>
</InvalidCombinations>
<InvalidCombinations>
<InvalidCombination  Feature="HolePunch"  Option="Top2"/>
<InvalidCombination  Feature="MediaType"  Option="Thick_Duplex_Backside"/>
</InvalidCombinations>
<InvalidCombinations>
<InvalidCombination  Feature="HolePunch"  Option="Top3"/>
<InvalidCombination  Feature="MediaType"  Option="TRANSPARENCY"/>
</InvalidCombinations>
<InvalidCombinations>
<InvalidCombination  Feature="HolePunch"  Option="Top3"/>
<InvalidCombination  Feature="MediaType"  Option="Thick"/>
</InvalidCombinations>
<InvalidCombinations>
<InvalidCombination  Feature="HolePunch"  Option="Top3"/>
<InvalidCombination  Feature="MediaType"  Option="Labels"/>
</InvalidCombinations>
<InvalidCombinations>
<InvalidCombination  Feature="HolePunch"  Option="Top3"/>
<InvalidCombination  Feature="MediaType"  Option="Plain_Duplex_Backside"/>
</InvalidCombinations>
<InvalidCombinations>
<InvalidCombination  Feature="HolePunch"  Option="Top3"/>
<InvalidCombination  Feature="MediaType"  Option="Thick_Duplex_Backside"/>
</InvalidCombinations>
<InvalidCombinations>
<InvalidCombination  Feature="HolePunch"  Option="Top4"/>
<InvalidCombination  Feature="MediaType"  Option="TRANSPARENCY"/>
</InvalidCombinations>
<InvalidCombinations>
<InvalidCombination  Feature="HolePunch"  Option="Top4"/>
<InvalidCombination  Feature="MediaType"  Option="Thick"/>
</InvalidCombinations>
<InvalidCombinations>
<InvalidCombination  Feature="HolePunch"  Option="Top4"/>
<InvalidCombination  Feature="MediaType"  Option="Labels"/>
</InvalidCombinations>
<InvalidCombinations>
<InvalidCombination  Feature="HolePunch"  Option="Top4"/>
<InvalidCombination  Feature="MediaType"  Option="Plain_Duplex_Backside"/>
</InvalidCombinations>
<InvalidCombinations>
<InvalidCombination  Feature="HolePunch"  Option="Top4"/>
<InvalidCombination  Feature="MediaType"  Option="Thick_Duplex_Backside"/>
</InvalidCombinations>
<InvalidCombinations>
<InvalidCombination  Feature="HolePunch"  Option="Right2"/>
<InvalidCombination  Feature="MediaType"  Option="TRANSPARENCY"/>
</InvalidCombinations>
<InvalidCombinations>
<InvalidCombination  Feature="HolePunch"  Option="Right2"/>
<InvalidCombination  Feature="MediaType"  Option="Thick"/>
</InvalidCombinations>
<InvalidCombinations>
<InvalidCombination  Feature="HolePunch"  Option="Right2"/>
<InvalidCombination  Feature="MediaType"  Option="Labels"/>
</InvalidCombinations>
<InvalidCombinations>
<InvalidCombination  Feature="HolePunch"  Option="Right2"/>
<InvalidCombination  Feature="MediaType"  Option="Plain_Duplex_Backside"/>
</InvalidCombinations>
<InvalidCombinations>
<InvalidCombination  Feature="HolePunch"  Option="Right2"/>
<InvalidCombination  Feature="MediaType"  Option="Thick_Duplex_Backside"/>
</InvalidCombinations>
<InvalidCombinations>
<InvalidCombination  Feature="HolePunch"  Option="Right3"/>
<InvalidCombination  Feature="MediaType"  Option="TRANSPARENCY"/>
</InvalidCombinations>
<InvalidCombinations>
<InvalidCombination  Feature="HolePunch"  Option="Right3"/>
<InvalidCombination  Feature="MediaType"  Option="Thick"/>
</InvalidCombinations>
<InvalidCombinations>
<InvalidCombination  Feature="HolePunch"  Option="Right3"/>
<InvalidCombination  Feature="MediaType"  Option="Labels"/>
</InvalidCombinations>
<InvalidCombinations>
<InvalidCombination  Feature="HolePunch"  Option="Right3"/>
<InvalidCombination  Feature="MediaType"  Option="Plain_Duplex_Backside"/>
</InvalidCombinations>
<InvalidCombinations>
<InvalidCombination  Feature="HolePunch"  Option="Right3"/>
<InvalidCombination  Feature="MediaType"  Option="Thick_Duplex_Backside"/>
</InvalidCombinations>
<InvalidCombinations>
<InvalidCombination  Feature="HolePunch"  Option="Right4"/>
<InvalidCombination  Feature="MediaType"  Option="TRANSPARENCY"/>
</InvalidCombinations>
<InvalidCombinations>
<InvalidCombination  Feature="HolePunch"  Option="Right4"/>
<InvalidCombination  Feature="MediaType"  Option="Thick"/>
</InvalidCombinations>
<InvalidCombinations>
<InvalidCombination  Feature="HolePunch"  Option="Right4"/>
<InvalidCombination  Feature="MediaType"  Option="Labels"/>
</InvalidCombinations>
<InvalidCombinations>
<InvalidCombination  Feature="HolePunch"  Option="Right4"/>
<InvalidCombination  Feature="MediaType"  Option="Plain_Duplex_Backside"/>
</InvalidCombinations>
<InvalidCombinations>
<InvalidCombination  Feature="HolePunch"  Option="Right4"/>
<InvalidCombination  Feature="MediaType"  Option="Thick_Duplex_Backside"/>
</InvalidCombinations>
<InvalidCombinations>
<InvalidCombination  Feature="HolePunch"  Option="Left2"/>
<InvalidCombination  Feature="MediaType"  Option="TRANSPARENCY"/>
</InvalidCombinations>
<InvalidCombinations>
<InvalidCombination  Feature="HolePunch"  Option="Left2"/>
<InvalidCombination  Feature="MediaType"  Option="Thick"/>
</InvalidCombinations>
<InvalidCombinations>
<InvalidCombination  Feature="HolePunch"  Option="Left2"/>
<InvalidCombination  Feature="MediaType"  Option="Labels"/>
</InvalidCombinations>
<InvalidCombinations>
<InvalidCombination  Feature="HolePunch"  Option="Left2"/>
<InvalidCombination  Feature="MediaType"  Option="Plain_Duplex_Backside"/>
</InvalidCombinations>
<InvalidCombinations>
<InvalidCombination  Feature="HolePunch"  Option="Left2"/>
<InvalidCombination  Feature="MediaType"  Option="Thick_Duplex_Backside"/>
</InvalidCombinations>
<InvalidCombinations>
<InvalidCombination  Feature="HolePunch"  Option="Left3"/>
<InvalidCombination  Feature="MediaType"  Option="TRANSPARENCY"/>
</InvalidCombinations>
<InvalidCombinations>
<InvalidCombination  Feature="HolePunch"  Option="Left3"/>
<InvalidCombination  Feature="MediaType"  Option="Thick"/>
</InvalidCombinations>
<InvalidCombinations>
<InvalidCombination  Feature="HolePunch"  Option="Left3"/>
<InvalidCombination  Feature="MediaType"  Option="Labels"/>
</InvalidCombinations>
<InvalidCombinations>
<InvalidCombination  Feature="HolePunch"  Option="Left3"/>
<InvalidCombination  Feature="MediaType"  Option="Plain_Duplex_Backside"/>
</InvalidCombinations>
<InvalidCombinations>
<InvalidCombination  Feature="HolePunch"  Option="Left3"/>
<InvalidCombination  Feature="MediaType"  Option="Thick_Duplex_Backside"/>
</InvalidCombinations>
<InvalidCombinations>
<InvalidCombination  Feature="HolePunch"  Option="Left4"/>
<InvalidCombination  Feature="MediaType"  Option="TRANSPARENCY"/>
</InvalidCombinations>
<InvalidCombinations>
<InvalidCombination  Feature="HolePunch"  Option="Left4"/>
<InvalidCombination  Feature="MediaType"  Option="Thick"/>
</InvalidCombinations>
<InvalidCombinations>
<InvalidCombination  Feature="HolePunch"  Option="Left4"/>
<InvalidCombination  Feature="MediaType"  Option="Labels"/>
</InvalidCombinations>
<InvalidCombinations>
<InvalidCombination  Feature="HolePunch"  Option="Left4"/>
<InvalidCombination  Feature="MediaType"  Option="Plain_Duplex_Backside"/>
</InvalidCombinations>
<InvalidCombinations>
<InvalidCombination  Feature="HolePunch"  Option="Left4"/>
<InvalidCombination  Feature="MediaType"  Option="Thick_Duplex_Backside"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Left2"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Top2"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Right2"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Left3"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Top3"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Right3"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Left4"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Top4"/>
</InvalidCombinations>
<InvalidCombinations>
<InvalidCombination  Feature="MediaSizeName"  Option="na_invoice_5.5x8.5in"/>
<InvalidCombination  Feature="HolePunch"  Option="Right4"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Left2"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Top2"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Right2"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Left3"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Top3"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Right3"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Left4"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Top4"/>
</InvalidCombinations>
<InvalidCombinations>
<InvalidCombination  Feature="MediaSizeName"  Option="iso_a6_105x148mm"/>
<InvalidCombination  Feature="HolePunch"  Option="Right4"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Left2"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Top2"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Right2"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Left3"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Top3"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Right3"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Left4"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Top4"/>
</InvalidCombinations>
<InvalidCombinations>
<InvalidCombination  Feature="MediaSizeName"  Option="na_number-10_4.125x9.5in"/>
<InvalidCombination  Feature="HolePunch"  Option="Right4"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Left2"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Top2"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Right2"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Left3"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Top3"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Right3"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Left4"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Top4"/>
</InvalidCombinations>
<InvalidCombinations>
<InvalidCombination  Feature="MediaSizeName"  Option="iso_dl_110x220mm"/>
<InvalidCombination  Feature="HolePunch"  Option="Right4"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Left2"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Top2"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Right2"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Left3"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Top3"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Right3"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Left4"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Top4"/>
</InvalidCombinations>
<InvalidCombinations>
<InvalidCombination  Feature="MediaSizeName"  Option="na_monarch_3.875x7.5in"/>
<InvalidCombination  Feature="HolePunch"  Option="Right4"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Left2"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Top2"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Right2"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Left3"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Top3"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Right3"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Left4"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Top4"/>
</InvalidCombinations>
<InvalidCombinations>
<InvalidCombination  Feature="MediaSizeName"  Option="iso_c5_162x229mm"/>
<InvalidCombination  Feature="HolePunch"  Option="Right4"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Left2"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Top2"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Right2"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Left3"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Top3"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Right3"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Left4"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Top4"/>
</InvalidCombinations>
<InvalidCombinations>
<InvalidCombination  Feature="MediaSizeName"  Option="iso_c6_114x162mm"/>
<InvalidCombination  Feature="HolePunch"  Option="Right4"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Left2"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Top2"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Right2"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Left3"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Top3"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Right3"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Left4"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Top4"/>
</InvalidCombinations>
<InvalidCombinations>
<InvalidCombination  Feature="MediaSizeName"  Option="na_arch-b_12x18in"/>
<InvalidCombination  Feature="HolePunch"  Option="Right4"/>
</InvalidCombinations>
<InvalidCombinations>
<InvalidCombination  Feature="MediaSizeName"  Option="custom_papersize"/>
<InvalidCombination  Feature="HolePunch"  Option="Left2"/>
</InvalidCombinations>
<InvalidCombinations>
<InvalidCombination  Feature="MediaSizeName"  Option="custom_papersize"/>
<InvalidCombination  Feature="HolePunch"  Option="Top2"/>
</InvalidCombinations>
<InvalidCombinations>
<InvalidCombination  Feature="MediaSizeName"  Option="custom_papersize"/>
<InvalidCombination  Feature="HolePunch"  Option="Right2"/>
</InvalidCombinations>
<InvalidCombinations>
<InvalidCombination  Feature="MediaSizeName"  Option="custom_papersize"/>
<InvalidCombination  Feature="HolePunch"  Option="Left3"/>
</InvalidCombinations>
<InvalidCombinations>
<InvalidCombination  Feature="MediaSizeName"  Option="custom_papersize"/>
<InvalidCombination  Feature="HolePunch"  Option="Top3"/>
</InvalidCombinations>
<InvalidCombinations>
<InvalidCombination  Feature="MediaSizeName"  Option="custom_papersize"/>
<InvalidCombination  Feature="HolePunch"  Option="Right3"/>
</InvalidCombinations>
<InvalidCombinations>
<InvalidCombination  Feature="MediaSizeName"  Option="custom_papersize"/>
<InvalidCombination  Feature="HolePunch"  Option="Left4"/>
</InvalidCombinations>
<InvalidCombinations>
<InvalidCombination  Feature="MediaSizeName"  Option="custom_papersize"/>
<InvalidCombination  Feature="HolePunch"  Option="Top4"/>
</InvalidCombinations>
<InvalidCombinations>
<InvalidCombination  Feature="MediaSizeName"  Option="custom_papersize"/>
<InvalidCombination  Feature="HolePunch"  Option="Right4"/>
</InvalidCombinations>
<InvalidCombinations>
<InvalidCombination  Feature="MediaSizeName"  Option="na_invoice_5.5x8.5in"/>
<InvalidCombination  Feature="Sides"  Option="TwoSidedLongEdge"/>
</InvalidCombinations>
<InvalidCombinations>
<InvalidCombination  Feature="MediaSizeName"  Option="iso_a6_105x148mm"/>
<InvalidCombination  Feature="Sides"  Option="TwoSidedLongEdge"/>
</InvalidCombinations>
<InvalidCombinations>
<InvalidCombination  Feature="MediaSizeName"  Option="na_number-10_4.125x9.5in"/>
<InvalidCombination  Feature="Sides"  Option="TwoSidedLongEdge"/>
</InvalidCombinations>
<InvalidCombinations>
<InvalidCombination  Feature="MediaSizeName"  Option="iso_dl_110x220mm"/>
<InvalidCombination  Feature="Sides"  Option="TwoSidedLongEdge"/>
</InvalidCombinations>
<InvalidCombinations>
<InvalidCombination  Feature="MediaSizeName"  Option="na_monarch_3.875x7.5in"/>
<InvalidCombination  Feature="Sides"  Option="TwoSidedLongEdge"/>
</InvalidCombinations>
<InvalidCombinations>
<InvalidCombination  Feature="MediaSizeName"  Option="iso_c5_162x229mm"/>
<InvalidCombination  Feature="Sides"  Option="TwoSidedLongEdge"/>
</InvalidCombinations>
<InvalidCombinations>
<InvalidCombination  Feature="MediaSizeName"  Option="iso_c6_114x162mm"/>
<InvalidCombination  Feature="Sides"  Option="TwoSidedLongEdge"/>
</InvalidCombinations>
<InvalidCombinations>
<InvalidCombination  Feature="MediaSizeName"  Option="na_arch-b_12x18in"/>
<InvalidCombination  Feature="Sides"  Option="TwoSidedLongEdge"/>
</InvalidCombinations>
<InvalidCombinations>
<InvalidCombination  Feature="MediaSizeName"  Option="custom_papersize"/>
<InvalidCombination  Feature="Sides"  Option="TwoSidedLongEdge"/>
</InvalidCombinations>
<InvalidCombinations>
<InvalidCombination  Feature="MediaSizeName"  Option="na_invoice_5.5x8.5in"/>
<InvalidCombination  Feature="Sides"  Option="TwoSidedShortEdge"/>
</InvalidCombinations>
<InvalidCombinations>
<InvalidCombination  Feature="MediaSizeName"  Option="iso_a6_105x148mm"/>
<InvalidCombination  Feature="Sides"  Option="TwoSidedShortEdge"/>
</InvalidCombinations>
<InvalidCombinations>
<InvalidCombination  Feature="MediaSizeName"  Option="na_number-10_4.125x9.5in"/>
<InvalidCombination  Feature="Sides"  Option="TwoSidedShortEdge"/>
</InvalidCombinations>
<InvalidCombinations>
<InvalidCombination  Feature="MediaSizeName"  Option="iso_dl_110x220mm"/>
<InvalidCombination  Feature="Sides"  Option="TwoSidedShortEdge"/>
</InvalidCombinations>
<InvalidCombinations>
<InvalidCombination  Feature="MediaSizeName"  Option="na_monarch_3.875x7.5in"/>
<InvalidCombination  Feature="Sides"  Option="TwoSidedShortEdge"/>
</InvalidCombinations>
<InvalidCombinations>
<InvalidCombination  Feature="MediaSizeName"  Option="iso_c5_162x229mm"/>
<InvalidCombination  Feature="Sides"  Option="TwoSidedShortEdge"/>
</InvalidCombinations>
<InvalidCombinations>
<InvalidCombination  Feature="MediaSizeName"  Option="iso_c6_114x162mm"/>
<InvalidCombination  Feature="Sides"  Option="TwoSidedShortEdge"/>
</InvalidCombinations>
<InvalidCombinations>
<InvalidCombination  Feature="MediaSizeName"  Option="na_arch-b_12x18in"/>
<InvalidCombination  Feature="Sides"  Option="TwoSidedShortEdge"/>
</InvalidCombinations>
<InvalidCombinations>
<InvalidCombination  Feature="MediaSizeName"  Option="custom_papersize"/>
<InvalidCombination  Feature="Sides"  Option="TwoSidedShortEdge"/>
</InvalidCombinations>
<InvalidCombinations>
<InvalidCombination  Feature="Sides"  Option="TwoSidedLongEdge"/>
<InvalidCombination  Feature="MediaType"  Option="TRANSPARENCY"/>
</InvalidCombinations>
<InvalidCombinations>
<InvalidCombination  Feature="Sides"  Option="TwoSidedLongEdge"/>
<InvalidCombination  Feature="MediaType"  Option="Thick"/>
</InvalidCombinations>
<InvalidCombinations>
<InvalidCombination  Feature="Sides"  Option="TwoSidedLongEdge"/>
<InvalidCombination  Feature="MediaType"  Option="Labels"/>
</InvalidCombinations>
<InvalidCombinations>
<InvalidCombination  Feature="Sides"  Option="TwoSidedLongEdge"/>
<InvalidCombination  Feature="MediaType"  Option="Plain_Duplex_Backside"/>
</InvalidCombinations>
<InvalidCombinations>
<InvalidCombination  Feature="Sides"  Option="TwoSidedLongEdge"/>
<InvalidCombination  Feature="MediaType"  Option="Thick_Duplex_Backside"/>
</InvalidCombinations>
<InvalidCombinations>
<InvalidCombination  Feature="Sides"  Option="TwoSidedShortEdge"/>
<InvalidCombination  Feature="MediaType"  Option="TRANSPARENCY"/>
</InvalidCombinations>
<InvalidCombinations>
<InvalidCombination  Feature="Sides"  Option="TwoSidedShortEdge"/>
<InvalidCombination  Feature="MediaType"  Option="Thick"/>
</InvalidCombinations>
<InvalidCombinations>
<InvalidCombination  Feature="Sides"  Option="TwoSidedShortEdge"/>
<InvalidCombination  Feature="MediaType"  Option="Labels"/>
</InvalidCombinations>
<InvalidCombinations>
<InvalidCombination  Feature="Sides"  Option="TwoSidedShortEdge"/>
<InvalidCombination  Feature="MediaType"  Option="Plain_Duplex_Backside"/>
</InvalidCombinations>
<InvalidCombinations>
<InvalidCombination  Feature="Sides"  Option="TwoSidedShortEdge"/>
<InvalidCombination  Feature="MediaType"  Option="Thick_Duplex_Backside"/>
</InvalidCombinations>
</GlobalConstraints>
</PrinterDescriptionData>
【００７９】
＜関連出願＞
本願は以下の出願に関連し、これらの出願の内容全体は、あたかも本願に完全に記載されているかのように本願のリファレンスに組み入れられる。
【００８０】
西暦2009年3月6日付けで出願された“Driverless  Architecture  For  Printing  Systems”と題する米国特許出願、
西暦2009年3月6日付けで出願された“Paper  Size  Support  For  A  Print  System”と題する米国特許出願、
西暦2009年3月6日付けで出願された“Print  Driver  Localization  Support  From  Printing  Device  To  Support  Multiple  User  Profiles”と題する米国特許出願、
西暦2007年8月29日付けで出願された“Capability-Based  Control  Of  A  Computer  Peripheral  Device”と題する米国特許出願第11/846,884号、
西暦2007年8月29日付けで出願された“Automatically  Generating  Capability-Based  Computer  Peripheral  Device  Drivers”と題する米国特許出願第11/846,926号、
西暦2008年1月24日付けで出願された“On-Demand  Print  Driver”と題する米国特許出願第12/019,610号、
西暦2008年10月17日付けで出願された“Providing  Device  Defined  User  Interface  Modifiers  To  A  Computer  System”と題する米国特許出願第12/253,823号、及び
西暦2009年1月27日付けで出願された“Automatically  Updating  A  Printer  Driver  With  New  Printing  Device  Features”と題する米国特許出願第12/360,794号。
【符号の説明】
【００８１】
200  印刷システム
202  クライアント装置
204  ウェブサービスイネーブル印刷装置
206  ネットワーク
208  WSD印刷サービス
210  ユーザインターフェース
212  アプリケーションプログラム
214  印刷ドライバインストレーションアプリケーション
216  印刷ドライバ
218  UIモジュール
220  レンダリングモジュール
222  ポートモニタ及びWSD−APIモジュール
224  スプーラ
226  ストレージ
228  印刷装置機能データ
230  印刷データ
232  印刷ジョブチケット
234  印刷ドライバストレージ
236  レジストリ
238  プリンタ記述データ
240  デフォルト印刷チケット
700  コンピュータシステム
702  バス
704  プロセッサ
706  メインメモリ
708  リードオンリメモリ
710  ストレージデバイス
712  ディスプレイ
714  入力装置
716  カーソル制御部
718  通信インターフェース
720  ネットワークリンク
722  ローカルネットワーク
724  ホスト
726  インターネットサービスプロバイダ
728  インターネット
730  サーバー
【図１】
2010211795.tif 000003
【図２】
2010211795.tif 000004
【図３】
2010211795.tif 000005
【図４】
2010211795.tif 000006
【図５】
2010211795.tif 000007
【図６】
2010211795.tif 000008
【図７】
2010211795.tif 000009